(57)【要約】  式（Ｉ）の化合物  【化１】2021501254.tif 000038［式中、１つのＲｐは、−ＮＨ２であり、残り２つのＲｐは、−ＯＲ４および−ＮＲ１Ｒ４からなる群から独立して選択される］。式（Ｘ）の化合物  【化２】2021501254.tif 000039［式中、１つのＲｐは、−ＮＨ２であり、残り２つのＲｐは、−ＯＲ４および−ＮＲ１Ｒ４からなる群から独立して選択される］。
2021501254.tif 000002
【特許請求の範囲】
【請求項１】
式（Ｉ）の化合物
【化１】
2021501254.tif 000036
［式中、環Ａ、ＢおよびＣのそれぞれの上の個々のＲｏおよびＲｍ基は、水素、重水素およびＲ５からなる群から独立して選択され；
ここで、それぞれのＲ５は、ハロゲン、ニトロ、アルキル、置換アルキル、アリール、置換アリール、アルカリル、置換アルカリル、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−および−Ｐ（Ｏ）（Ｏ−）２からなる群から独立して選択され、ここで、添え字ｎは、０〜４、好ましくは０〜１の整数、最も好ましくは０であり；同じヘテロ原子に結合しているＲ１、Ｒ２およびＲ３の任意の２つは、組み合わさって、−Ｏ−、−ＮＲ１５−および−Ｓ−からなる群から選択される１個以上の追加のヘテロ原子を任意に含んでいてもよい５員以上の環を形成することができ；
Ｇは、水素、重水素、Ｃ１〜Ｃ１６アルコキシド、フェノキシド、ビスフェノキシド、ニトライト、アルキルアミン、イミダゾール、アリールアミン、ポリアルキレンオキシド、ハライド、アルキルスルフィド、アリールスルフィドおよびホスフィンオキシドからなる群から独立して選択され；
Ｒ１、Ｒ２、Ｒ３およびＲ１５は、水素、アルキル、置換アルキル、アリール、置換アリール、アルカリル、置換アルカリルおよびＲ４からなる群から独立して選択され；ここで、Ｒ４は、２８〜５００の範囲の前記モノマーの分子量を持つ１種以上の有機モノマーで構成される有機基であり；
１つのＲｐは、−ＮＨ２であり、残り２つのＲｐは、−ＯＲ４および−ＮＲ１Ｒ４からなる群から独立して選択され；
前記化合物中に存在する任意の電荷は、好適な独立して選択される内部または外部対イオンと均衡がとれている］。
【請求項２】
前記環Ａ、ＢおよびＣのうちの少なくとも１つ上の４つすべてのＲｏおよびＲｍが、水素である、請求項１に記載の化合物。
【請求項３】
３つすべての環Ａ、ＢおよびＣ上のすべてのＲｏおよびＲｍが、水素である、請求項２に記載の化合物。
【請求項４】
前記残り２つのＲｐが、独立して選択される−ＮＲ４Ｒ４である、請求項１〜３の何れか１項に記載の化合物。
【請求項５】
それぞれのＲ４が、独立して選択される（Ｃ２Ｈ４Ｏ）ｘ（Ｃ３Ｈ６Ｏ）ｙ（Ｃ２Ｈ４Ｏ）ｚＲ２０であり；Ｒ２０が、水素、アルキル、置換アルキル、アリール、置換アリール、アルカリルおよび置換アルカリルからなる群から選択され；可変基ｘ、ｙおよびｚが、０および正の自然数から独立して選択される整数であり；ｘ、ｙおよびｚの和が、１以上である、請求項１〜４の何れか１項に記載の化合物。
【請求項６】
前記可変基ｘ、ｙおよびｚが、０〜１００から独立して選択される、請求項５に記載の化合物。
【請求項７】
前記可変基ｘ、ｙおよびｚが、０〜２０から独立して選択される、請求項６に記載の化合物。
【請求項８】
前記可変基ｘ、ｙおよびｚが、０〜１０から独立して選択される、請求項７に記載の化合物。
【請求項９】
前記可変基ｘが、１〜５であり、前記可変基ｙが、０〜５であり、前記可変基ｚが、０である、請求項８に記載の化合物。
【請求項１０】
前記可変基ｙが、１〜５である、請求項９に記載の化合物。
【請求項１１】
前記可変基ｘが、１〜２であり、前記可変基ｙが、０〜３である、請求項９に記載の化合物。
【請求項１２】
前記可変基ｙが、１〜３である、請求項１１に記載の化合物。
【請求項１３】
Ｒ２０が、水素である、請求項５〜１２の何れか１項に記載の化合物。
【請求項１４】
Ｇが、水素または重水素である、請求項１〜１３の何れか１項に記載の化合物。
【請求項１５】
式（Ｘ）の化合物
【化２】
2021501254.tif 000037
［式中、環Ａ、ＢおよびＣのそれぞれの上の個々のＲｏおよびＲｍ基は、水素、重水素およびＲ５からなる群から独立して選択され；
ここで、それぞれのＲ５は、ハロゲン、ニトロ、アルキル、置換アルキル、アリール、置換アリール、アルカリル、置換アルカリル、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−および−Ｐ（Ｏ）（Ｏ−）２からなる群から独立して選択され、ここで、添え字ｎは、０〜４、好ましくは０〜１の整数、最も好ましくは０であり；同じヘテロ原子に結合しているＲ１、Ｒ２およびＲ３の任意の２つは、組み合わさって、−Ｏ−、−ＮＲ１５−および−Ｓ−からなる群から選択される１個以上の追加のヘテロ原子を任意に含んでいてもよい５員以上の環を形成することができ；
Ｒ１、Ｒ２、Ｒ３およびＲ１５は、水素、アルキル、置換アルキル、アリール、置換アリール、アルカリル、置換アルカリルおよびＲ４からなる群から独立して選択され；ここで、Ｒ４は、２８〜５００の範囲の前記モノマーの分子量を持つ１種以上の有機モノマーで構成される有機基であり；
１つのＲｐは、−ＮＨ２であり、残り２つのＲｐは、−ＯＲ４および−ＮＲ１Ｒ４からなる群から独立して選択され；
前記化合物中に存在する電荷は、好適な独立して選択される内部または外部対イオンと均衡がとれている］。
【請求項１６】
前記環Ａ、ＢおよびＣのうちの少なくとも１つ上の４つすべてのＲｏおよびＲｍが、水素である、請求項１５に記載の化合物。
【請求項１７】
３つすべての環Ａ、ＢおよびＣ上のすべてのＲｏおよびＲｍが、水素である、請求項１６に記載の化合物。
【請求項１８】
前記残り２つのＲｐが、独立して選択される−ＮＲ４Ｒ４である、請求項１５〜１７の何れか１項に記載の化合物。
【請求項１９】
それぞれのＲ４が、独立して選択される（Ｃ２Ｈ４Ｏ）ｘ（Ｃ３Ｈ６Ｏ）ｙ（Ｃ２Ｈ４Ｏ）ｚＲ２０であり；Ｒ２０が、水素、アルキル、置換アルキル、アリール、置換アリール、アルカリル、置換アルカリルからなる群から選択され；可変基ｘ、ｙおよびｚが、０および正の自然数から独立して選択される整数であり；ｘ、ｙおよびｚの和が、１以上である、請求項１５〜１８の何れか１項に記載の化合物。
【請求項２０】
前記可変基ｘ、ｙおよびｚが、０〜１００から独立して選択される、請求項１９に記載の化合物。
【請求項２１】
前記可変基ｘ、ｙおよびｚが、０〜２０から独立して選択される、請求項２０に記載の化合物。
【請求項２２】
前記可変基ｘ、ｙおよびｚが、０〜１０から独立して選択される、請求項２１に記載の化合物。
【請求項２３】
前記可変基ｘが、１〜５であり、前記可変基ｙが、０〜５であり、前記可変基ｚが、０である、請求項２２に記載の化合物。
【請求項２４】
前記可変基ｙが、１〜５である、請求項２３に記載の化合物。
【請求項２５】
前記可変基ｘが、１〜２であり、前記可変基ｙが、０〜３である、請求項２３に記載の化合物。
【請求項２６】
前記可変基ｙが、１〜３である、請求項２５に記載の化合物。
【請求項２７】
Ｒ２０が、水素である、請求項１９〜２６の何れか１項に記載の化合物。
【請求項２８】
式（Ｘ）の化合物中に存在する前記電荷が、ハライドおよびスルフェートからなる群から選択される外部対イオンによって均衡がとれている、請求項１５〜２７の何れか１項に記載の化合物。
【請求項２９】
前記環Ａ、ＢおよびＣのうちの少なくとも１つの上のＲｏおよびＲｍのうちの少なくとも１つが、−Ｃ（Ｏ）Ｏ−および−Ｓ（Ｏ）２Ｏ−から選択される、請求項１５、１６および１８〜２７の何れか１項に記載の化合物。
【発明の詳細な説明】
【技術分野】
【０００１】
本出願は、ロイコ化合物およびそれらの対応する着色した対応物、そのような化合物を含有する洗濯ケア組成物、ならびにテキスタイル物品の洗濯におけるそのような化合物の使用について記載する。これらのタイプの組成物は、安定した、実質的に無色の状態で提供され得、次いで、ある特定の物理的または化学的変化への曝露、たとえば酸素への曝露、イオン添加、光への曝露などの時に、強い着色状態に転換され得る。化合物を含有する洗濯ケア組成物は、洗濯ケア組成物で洗浄もしくは別様に処理したテキスタイル物品の明らかなもしくは視覚的に認識される白さを増強するように、またはそれらに所望の色相を付与するように、設計される。
背景
テキスタイル基材が経年するにつれて、それらの色は、基材を含む繊維の、光、空気、汚れへの曝露、および自然劣化により、褪せるまたは黄ばむ傾向がある。そのため、これらのテキスタイル基材を視覚的に増強し、色褪せおよび黄ばみに対抗するために、消費者製品における機能性染料の使用が先行技術において周知となった。たとえば、テキスタイル用途において、光学的増白剤または青味剤の何れかの白色化剤を使用することが周知である。しかしながら、伝統的な白色化剤は、他の調合成分（たとえば、香料など）との有害な相互作用に起因して、保存の際に有効性を失う傾向がある。さらに、そのような白色化剤は、テキスタイル基材上への堆積不良に悩まされる場合がある。そのため、調合者は、保存の際の任意の有効性の喪失に対抗するために使用される白色化剤のレベルを増大し、かつ／またはテキスタイル基材上に堆積させるのに利用可能な白色化剤の量を増大する傾向がある。
【０００２】
ロイコ染料も、具体的な化学的または物理的な誘因への曝露時に、無色またはわずかに着色した状態から着色状態への変化を呈することが、先行技術において公知である。出現する彩色の変化は、典型的には、ヒトの目に視覚的に知覚可能である。既存の化合物はすべて、可視光領域（４００〜７５０ｎｍ）において若干の吸光度を有し、故に、多かれ少なかれ、若干の色を有する。本発明において、染料は、その適用濃度および条件では顕著な色を生じさせず、その誘発された形態では顕著な色を生じさせるならば、「ロイコ染料」とみなされる。誘発時の色変化は、４００〜７５０ｎｍの範囲内、好ましくは５００〜６５０ｎｍの範囲内、最も好ましくは５３０〜６２０ｎｍの範囲内で、ロイコ染料分子のモル減衰係数（いくつかの文献において、モル吸光係数、モル吸収係数および／またはモル吸収率としても公知である）の変化から生じる。誘発前後におけるロイコ染料のモル減衰係数の増大は、５０％より大きい、より好ましくは２００％より大きい、最も好ましくは５００％より大きいものとなるべきである。
【０００３】
ロイコ化合物を含む洗剤調合物は、洗浄時に、織物に測定可能な白さという利益をもたらす機会を提供する。これらの白さという利益は、いくつかの要因、たとえば洗浄後にロイコ化合物によって織物に付与された特定の色相によって決まり得る。望ましいロイコ化合物は、２１０〜３４５の相対色相角を白色綿織物に付与するものを含む。その範囲内で、２７０以上の相対色相角が、ある特定の事例において、望ましいものとなり得る。しかしながら、望ましい特性を呈し、この所望の範囲の色相を織物に付与することができるロイコ着色剤は、入手するのが困難であることが判明している。故に、この所望の色相を洗濯された織物に付与することができるロイコ化合物およびそれらの対応する着色形態の必要性が依然として残っている。本発明の化合物は、ロイコ形態であるか着色形態であるかにかかわらず、この必要性を満たし、白さという利益のために洗剤において有益に使用され得る新規材料であると考えられている。
発明の概要
第１の態様において、本発明は、式（Ｉ）の化合物
【０００４】
【化１】
2021501254.tif 000003
【０００５】
［式中、環Ａ、ＢおよびＣのそれぞれの上の個々のＲｏおよびＲｍ基は、水素、重水素およびＲ５からなる群から独立して選択され；
ここで、それぞれのＲ５は、ハロゲン、ニトロ、アルキル、置換アルキル、アリール、置換アリール、アルカリル、置換アルカリル、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−および−Ｐ（Ｏ）（Ｏ−）２からなる群から独立して選択され、ここで、添え字ｎは、０〜４、好ましくは０〜１の整数、最も好ましくは０であり；同じヘテロ原子に結合しているＲ１、Ｒ２およびＲ３の任意の２つは、組み合わさって、−Ｏ−、−ＮＲ１５−および−Ｓ−からなる群から選択される１個以上の追加のヘテロ原子を含んでいてもよい５員以上の環を形成することができ；
Ｇは、水素、重水素、Ｃ１〜Ｃ１６アルコキシド、フェノキシド、ビスフェノキシド、ニトライト、アルキルアミン、イミダゾール、アリールアミン、ポリアルキレンオキシド、ハライド、アルキルスルフィド、アリールスルフィドおよびホスフィンオキシドからなる群から独立して選択され；
Ｒ１、Ｒ２、Ｒ３およびＲ１５は、水素、アルキル、置換アルキル、アリール、置換アリール、アルカリル、置換アルカリルおよびＲ４からなる群から独立して選択され；ここで、Ｒ４は、２８〜５００の範囲の前記モノマーの分子量を持つ１種以上の有機モノマーで構成される有機基であり；
１つのＲｐは、−ＮＨ２であり、残り２つのＲｐは、−ＯＲ４および−ＮＲ１Ｒ４からなる群から独立して選択され；
化合物中に存在する任意の電荷は、好適な独立して選択される内部または外部対イオンと均衡がとれている］
を提供する。
【０００６】
第２の態様において、本発明は、式（Ｘ）の化合物
【０００７】
【化２】
2021501254.tif 000004
【０００８】
［式中、環Ａ、ＢおよびＣのそれぞれの上の個々のＲｏおよびＲｍ基は、水素、重水素およびＲ５からなる群から独立して選択され；
ここで、それぞれのＲ５は、ハロゲン、ニトロ、アルキル、置換アルキル、アリール、置換アリール、アルカリル、置換アルカリル、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−および−Ｐ（Ｏ）（Ｏ−）２からなる群から独立して選択され、ここで、添え字ｎは、０〜４、好ましくは０〜１の整数、最も好ましくは０であり；同じヘテロ原子に結合しているＲ１、Ｒ２およびＲ３の任意の２つは、組み合わさって、−Ｏ−、−ＮＲ１５−および−Ｓ−からなる群から選択される１個以上の追加のヘテロ原子を任意に含んでいてもよい５員以上の環を形成することができ；
Ｒ１、Ｒ２、Ｒ３およびＲ１５は、水素、アルキル、置換アルキル、アリール、置換アリール、アルカリル、置換アルカリルおよびＲ４からなる群から独立して選択され；ここで、Ｒ４は、２８〜５００の範囲の前記モノマーの分子量を持つ１種以上の有機モノマーで構成される有機基であり；
１つのＲｐは、−ＮＨ２であり、残り２つのＲｐは、−ＯＲ４および−ＮＲ１Ｒ４からなる群から独立して選択され；
化合物中に存在する電荷は、好適な独立して選択される内部または外部対イオンと均衡がとれている］
を提供する。
詳細な説明
定義
ここで使用される場合、用語「アルコキシ」は、繰り返し単位を有するポリオールのＣ１〜Ｃ８アルコキシおよびアルコキシ誘導体、たとえばブチレンオキシド、グリシドールオキシド、エチレンオキシドまたはプロピレンオキシドを含むように意図されている。
【０００９】
ここで使用される場合、交換可能な用語「アルキレンオキシ」および「オキシアルキレン」ならびに交換可能な用語「ポリアルキレンオキシ」および「ポリオキシアルキレン」は、概して、下記の繰り返し単位：−Ｃ２Ｈ４Ｏ−、−Ｃ３Ｈ６Ｏ−、−Ｃ４Ｈ８Ｏ−、およびそれらの任意の組合せの１つ以上をそれぞれ含有する分子構造を指す。これらの基に対応する非限定的な構造は、たとえば、−ＣＨ２ＣＨ２Ｏ−、−ＣＨ２ＣＨ２ＣＨ２Ｏ−、−ＣＨ２ＣＨ２ＣＨ２ＣＨ２Ｏ−、−ＣＨ２ＣＨ（ＣＨ３）Ｏ−および−ＣＨ２ＣＨ（ＣＨ２ＣＨ３）Ｏ−を含む。さらに、ポリオキシアルキレン構成要素は、Ｃ２〜２０アルキレンオキシ基、グリシジル基、またはそれらの混合物から選択される１つ以上のモノマーからなる群から選択されていてもよい。
【００１０】
用語「エチレンオキシド」、「プロピレンオキシド」および「ブチレンオキシド」は、「ＥＯ」、「ＰＯ」および「ＢＯ」というそれらの典型的な呼称によってそれぞれここで示されていてもよい。
【００１１】
ここで使用される場合、用語「アルキル」および「アルキルでキャップされた」は、置換されているまたは無置換の炭化水素から水素原子を除去することによって形成された任意の一価の基を意味するように意図されている。非限定的な例は、Ｃ１〜Ｃ１８アルキル基および一側面においてＣ１〜Ｃ６アルキル基を含む、分枝または無分枝、置換されているまたは無置換のヒドロカルビル部分を含む。
【００１２】
ここで使用される場合、別段の定めがない限り、用語「アリール」は、Ｃ３〜Ｃ１２アリール基を含むように意図されている。用語「アリール」は、炭素環式とヘテロ環式の両方のアリール基を指す。
【００１３】
ここで使用される場合、用語「アルカリル」は、任意のアルキル置換アリール置換基およびアリール置換アルキル置換基を指す。より具体的に、該用語は、追加の置換基を含んでいても含んでいなくてもよい、Ｃ７〜１６アルキル置換アリール置換基およびＣ７〜１６アリール置換アルキル置換基を指すように意図されている。
【００１４】
ここで使用される場合、用語「洗剤組成物」は、洗濯ケア組成物のサブセットであり、織物を洗濯するための製品を含むがこれに限定されないクリーニング組成物を含む。そのような組成物は、洗浄工程の前に使用するための前処理組成物であってもよいし、リンス添加組成物、ならびにクリーニング補助剤、たとえば漂白添加剤および「ステインスティック」または前処理型であってもよい。
【００１５】
ここで使用される場合、用語「洗濯ケア組成物」は、別段の指示がない限り、織物を洗濯するための製品、織物柔軟組成物、織物増強組成物、織物清浄組成物ならびに織物のケアおよび維持のための他の製品を含むがこれらに限定されない、顆粒、粉末、液体、ゲル、ペースト、一回量包装、バー形態および／またはフレーク型の洗浄剤および／または織物処理組成物、ならびにそれらの組合せを含む。そのような組成物は、洗浄工程の前に使用するための前処理組成物であってもよいし、リンス添加組成物、ならびにクリーニング補助剤、たとえば漂白添加剤および／もしくは「ステインスティック」または前処理組成物もしくは基材を含んだ製品、たとえばドライヤー添加シートであってもよい。
【００１６】
ここで使用される場合、用語「ロイコ」（たとえば、化合物、部分、ラジカル、染料、モノマー、フラグメントまたはポリマーに関して使用される場合）は、具体的な化学的または物理的な誘因への曝露時に、第１の色状態（たとえば、無着色または実質的に無色）から第２のより高度に着色した状態へのシフトをもたらす１つ以上の化学的および／または物理的変化を受ける、実体（たとえば、有機化合物またはその一部）を指す。好適な化学的または物理的な誘因は、酸化、ｐＨ変化、温度変化、および電磁放射線（たとえば、光）曝露における変化を含むがこれらに限定されない。ロイコ実体において出現する好適な化学的または物理的変化は、酸化および非酸化的変化、たとえば分子内環化を含むがこれらに限定されない。故に、一側面において、好適なロイコ実体は、発色団の可逆的に還元された形態であり得る。一側面において、ロイコ部分は、好ましくは、上述した化学的および／または物理的な誘因の１つ以上への曝露時に、第１および第２のπ系を組み込む、第３の合わさったコンジュゲートπ系に変換されることができる、前記第１および第２のπ系を少なくとも含む。
【００１７】
ここで使用される場合、用語「ロイコ組成物」または「ロイコ着色剤組成物」は、ここでさらに詳細に記載されている通りの、独立して選択される構造を有する少なくとも２種のロイコ化合物を含む、組成物を指す。
【００１８】
ここで使用される場合、ロイコ着色剤の「平均分子量」は、その分子量分布によって決定される通り、重量平均分子量として報告され、それらの製造プロセスの結果として、ここで開示されているロイコ着色剤は、それらのポリマー部分に繰り返し単位の分布を含有していてもよい。
【００１９】
ここで使用される場合、用語「最大吸光係数」および「最大モル吸光係数」は、４００ナノメートル〜７５０ナノメートルの範囲内の、最大吸収（ここで、最大波長とも称される）の波長におけるモル吸光係数を記載するように意図されている。
【００２０】
ここで使用される場合、用語「第１の色」は、誘発前の洗濯ケア組成物の色を指すために使用され、無色および実質的に無色を含む任意の色を含むように意図されている。
【００２１】
ここで使用される場合、用語「第２の色」は、誘発後の洗濯ケア組成物の色を指すために使用され、視覚的検査、または分析技術、たとえば分光光度分析の使用を介しての何れかで、洗濯ケア組成物の第１の色から識別可能な任意の色を含むように意図されている。
【００２２】
ここで使用される場合、用語「変換剤」は、その公知の形態（一重項および三重項状態）の何れかにおける分子酸素以外の、当技術分野において公知である任意の酸化剤を指す。
【００２３】
ここで使用される場合、用語「誘発剤」は、ロイコ組成物を、無色または実質的に無色の状態から着色状態に変換するために好適な反応物質を指す。
【００２４】
ここで使用される場合、用語「白色化剤」は、白色綿において、布に、２１０〜３４５の相対色相角、またはさらには２４０〜３２０の相対色相角、またはさらには２５０〜３００（たとえば、２５０〜２９０）の相対色相角を持つ色相を提供する場合の、染料または誘発されると染料を形成し得るロイコ着色剤を指す。
【００２５】
ここで使用される場合、「セルロース系基材」は、重量で少なくとも過半数のセルロースを含む任意の基材を含むように意図されている。セルロースは、木材、綿、リネン、ジュートおよびヘンプにおいて見出すことができる。セルロース系基材は、粉末、繊維、パルプ、ならびに粉末、繊維およびパルプから形成された物品の形態であってもよい。セルロース系繊維は、限定されないが、綿、レーヨン（再生セルロース）、アセテート（セルロースアセテート）、トリアセテート（セルローストリアセテート）、およびそれらの混合物を含む。セルロース系繊維から形成された物品は、テキスタイル物品、たとえば織物を含む。パルプから形成された物品は、紙を含む。
【００２６】
ここで使用される場合、冠詞、たとえば「ａ」および「ａｎ」は、請求項において使用される場合、特許請求されているまたは記載されているものの１つ以上を意味すると理解される。
【００２７】
ここで使用される場合、用語「を含む（include/s）」および「を含む（including）」は、非限定的であることを意味する。
【００２８】
ここで使用される場合、用語「固体」は、顆粒、粉末、バーおよび錠剤製品形態を含む。
【００２９】
ここで使用される場合、用語「流体」は、液体、ゲル、ペーストおよびガス製品形態を含む。
【００３０】
本出願の試験方法の項において開示されている試験方法は、出願人らの発明のパラメーターのそれぞれの値を決定するために使用されるべきである。
【００３１】
別段の注記がない限り、すべての成分または組成物レベルは、その成分または組成物の活性部を参照しており、そのような成分または組成物の市販の供給源において存在し得る、不純物、たとえば残留溶媒または副産物を除外する。
【００３２】
すべてのパーセンテージおよび比は、別段の指示がない限り、重量で算出される。すべてのパーセンテージおよび比は、別段の指示がない限り、全組成に基づいて算出される。
【００３３】
一側面において、２００〜１，０００ｎｍ（より好ましくは４００〜７５０ｎｍ）の範囲内の波長における最大吸光度での前記第２の着色状態のモル吸光係数は、第２の着色状態の最大吸光度の波長における前記第１の色状態の、好ましくは少なくとも５倍、より好ましくは１０倍、さらに一層好ましくは２５倍、最も好ましくは少なくとも５０倍の、モル吸光係数である。好ましくは、２００〜１，０００ｎｍ（より好ましくは４００〜７５０ｎｍ）の範囲内の波長における最大吸光度での前記第２の着色状態のモル吸光係数は、対応する波長範囲内の前記第１の色状態の、少なくとも５倍、好ましくは１０倍、さらに一層好ましくは２５倍、最も好ましくは少なくとも５０倍の、最大モル吸光係数である。
当業者は、これらの比がはるかに高くてもよいことに気付くであろう。たとえば、第１の色状態は、４００〜７５０ｎｍの範囲内の波長で、わずか１０Ｍ−１ｃｍ−１の最大モル吸光係数を有していてもよく、第２の着色状態は、４００〜７５０ｎｍの範囲内の波長で、８０，０００Ｍ−１ｃｍ−１以上もの最大モル吸光係数を有していてもよく、この場合には、吸光係数の比は、８，０００：１以上となるであろう。
【００３４】
一側面において、４００〜７５０ｎｍの範囲内の波長における前記第１の色状態の最大モル吸光係数は、１０００Ｍ−１ｃｍ−１未満であり、４００〜７５０ｎｍの範囲内の波長における前記第２の着色状態の最大モル吸光係数は、５，０００Ｍ−１ｃｍ−１超、好ましくは１０，０００、２５，０００、５０，０００またはさらには１００，０００Ｍ−１ｃｍ−１超である。当業者は、１つを超えるロイコ部分を含むポリマーが、第１の色状態において有意に高い最大モル吸光係数を有していてもよい（たとえば、ロイコ部分の多様性の相加効果または第２の着色状態に変換された１つ以上のロイコ部分の存在により）ことを認識し、理解するであろう。
【００３５】
別の側面において、発色団部分のラムダ最大吸収は、フルオロフォア部分の放射ラムダ最大によって、１ｎｍ、より好ましくは２５ｎｍ、最も好ましくは５０ｎｍだけ、分離される。加えて、洗濯ケア用途では、放射ラムダ最大は、発色団の吸収ラムダ最大未満である。
【００３６】
本発明は、テキスタイル基材を白くする青色の色相を提供するための、洗濯ケア組成物、たとえば液体洗濯洗剤において使用するために有用となり得る化合物のクラスに関する。ロイコ着色剤は、本質的に無色または軽く着色されているだけであるが、活性化時に強い色を展開することができる化合物である。洗濯ケア組成物においてロイコ化合物を使用することの１つの利点は、そのような化合物が、活性化されるまで無色であり、洗濯ケア組成物にその独自の色を呈させることである。ロイコ着色剤は、概して、洗濯ケア組成物の原色を改変しない。故に、そのような組成物の製造業者は、添加される原料、たとえば青味剤が、組成物の最終的な色値に影響を及ぼすことを考慮せずに、消費者にとって最も魅力的である色を調合することができる。
【００３７】
本発明の洗濯ケア組成物において使用されるロイコ着色剤の量は、本発明の目的を達成するために好適ないかなるレベルであってもよい。一側面において、洗濯ケア組成物は、約０．０００１重量％〜約１．０重量％、好ましくは０．０００５重量％〜約０．５重量％、さらに一層好ましくは約０．０００８重量％〜約０．２重量％、最も好ましくは０．００４重量％〜約０．１重量％の量の、ロイコ着色剤を含む。
【００３８】
別の側面において、洗濯ケア組成物は、０．００２５〜５．０ミリ当量／ｋｇ、好ましくは０．００５〜２．５ミリ当量／ｋｇ、さらに一層好ましくは０．０１〜１．０ミリ当量／ｋｇ、最も好ましくは０．０５〜０．５０ミリ当量／ｋｇの量のロイコ着色剤を含み、ここで、ミリ当量／ｋｇの単位は、洗濯組成物１ｋｇ当たりのロイコ部分のミリ当量を指す。１つを超えるロイコ部分を含むロイコ着色剤について、ミリ当量数は、下記の方程式によるロイコ着色剤のミリモル数に関係している：（ロイコ着色剤のミリモル）×（ロイコ部分のミリ当量／ロイコ着色剤のミリモルの数）＝ロイコ部分のミリ当量。ロイコ着色剤１つ当たり単一のロイコ部分しかない事例において、ミリ当量数／ｋｇは、洗濯ケア組成物のロイコ着色剤のミリモル数／ｋｇと等しくなる。
【００３９】
上述の通り、第１の態様において、本発明は、式（Ｉ）の化合物
【００４０】
【化３】
2021501254.tif 000005
【００４１】
を提供する。
【００４２】
さらに、第２の態様において、本発明は、式（Ｘ）の化合物
【００４３】
【化４】
2021501254.tif 000006
【００４４】
を提供する。
【００４５】
式（Ｘ）の化合物は、式（Ｉ）のロイコ化合物の第２の着色状態に対応する。
【００４６】
式（Ｉ）および（Ｘ）において、環Ａ、ＢおよびＣのそれぞれの上の個々のＲｏおよびＲｍ基は、水素、重水素およびＲ５からなる群から独立して選択される。それぞれのＲ５は、ハロゲン、ニトロ、アルキル、置換アルキル、アリール、置換アリール、アルカリル、置換アルカリル、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−および−Ｐ（Ｏ）（Ｏ−）２からなる群から独立して選択される。添え字ｎは、０〜４、好ましくは０〜１の整数、最も好ましくは０である。さらに、同じヘテロ原子に結合しているＲ１、Ｒ２およびＲ３の任意の２つは、組み合わさって、−Ｏ−、−ＮＲ１５−および−Ｓ−からなる群から選択される１個以上の追加のヘテロ原子を任意に含んでいてもよい５員以上の環を形成することができる。好ましい側面において、環Ａ、ＢおよびＣのうちの少なくとも１つ上の４つすべてのＲｏおよびＲｍは、水素である。別の好ましい側面において、３つすべての環Ａ、ＢおよびＣ上のすべてのＲｏおよびＲｍは、水素である。
【００４７】
式（Ｉ）において、基Ｇは、水素、重水素、Ｃ１〜Ｃ１６アルコキシド、フェノキシド、ビスフェノキシド、ニトライト、アルキルアミン、イミダゾール、アリールアミン、ポリアルキレンオキシド、ハライド、アルキルスルフィド、アリールスルフィドおよびホスフィンオキシドからなる群から独立して選択される。一側面において、Ｇは、好ましくは、水素および重水素からなる群から選択される。さらに好ましい側面において、Ｇは、水素である。
【００４８】
式（Ｉ）および（Ｘ）において、基Ｒ１、Ｒ２、Ｒ３およびＲ１５は、水素、アルキル、置換アルキル、アリール、置換アリール、アルカリル、置換アルカリルおよびＲ４からなる群から独立して選択される。
【００４９】
式（Ｉ）および（Ｘ）において、環Ａ、ＢおよびＣのうちの１つと結合しているＲｐの１つは、−ＮＨ２であり、残り２つのＲｐは、−ＯＲ４および−ＮＲ１Ｒ４からなる群から独立して選択され、Ｒ１およびＲ４は、ここで記載されている基から選択される。好ましい側面において、残り２つのＲｐは、独立して選択される−ＮＲ４Ｒ４である。
【００５０】
式（Ｉ）および（Ｘ）において、基Ｒ４は、２８〜５００、好ましくは４３〜３５０、さらに一層好ましくは４３〜２５０の範囲の前記モノマーの分子量を持つ１種以上の有機モノマーで構成される有機基である。一側面において、Ｒ４は、−Ｒｘ−Ｏ−Ｒｙ−Ｒｚおよび−Ｒｙ−Ｒｚからなる群から選択される。基Ｒｘは、アルカンジイルおよびアレンジイルからなる群から選択され；基Ｒｚは、水素、アルキル、置換アルキル、アリール、置換アリール、アルカリルおよび置換アルカリルからなる群から選択される。基Ｒｙは、
（ｉ）式（Ｃ）の構造
【００５１】
【化５】
2021501254.tif 000007
【００５２】
［式中、Ｒ１０１およびＲ１０２は、水素、アルキル、ヒドロキシアルキル、アリール、アルコキシアルキルおよびアリールオキシアルキルからなる群から独立して選択される］
に適合する繰り返し単位から独立して選択される２つ以上の二価の繰り返し単位を含む、二価の置換基；
（ｉｉ）式（ＣＸ）の構造
【００５３】
【化６】
2021501254.tif 000008
【００５４】
［式中、Ｒ１１１およびＲ１１２は、水素、ヒドロキシおよびＣ１〜Ｃ１０アルキルからなる群から独立して選択され、ａａは、１〜１２の整数であり、ｂｂは、１以上（たとえば、１〜１００）の整数である］
に適合する二価の置換基；
（ｉｉｉ）式（ＣＸＸ）の構造
【００５５】
【化７】
2021501254.tif 000009
【００５６】
［式中、Ｒ１２１およびＲ１２２は、水素、ヒドロキシおよびＣ１〜Ｃ１０アルキルからなる群から独立して選択され、ｃｃは、１〜１２の整数であり、ｄｄは、１以上（たとえば、１〜１００）の整数である］
に適合する二価の置換基；
（ｉｖ）式（ＣＸＸＸ）の構造
【００５７】
【化８】
2021501254.tif 000010
【００５８】
［式中、Ｒ１３１、Ｒ１３２およびＲ１３３は、アルキルおよびヒドロキシアルキルから独立して選択され、ｅｅは、１以上（たとえば、１〜１００）の整数である］
に適合する二価の置換基；
（ｖ）式（ＣＸＬ）の構造
【００５９】
【化９】
2021501254.tif 000011
【００６０】
［式中、それぞれのＲ１４１は、水素およびアルキルアミン基からなる群から独立して選択され、ｆｆは、１以上（たとえば、１〜１００）の整数である］
に適合する二価の置換基；
（ｖｉ）式（ＣＬ）の構造
【００６１】
【化１０】
2021501254.tif 000012
【００６２】
［式中、ｇｇは、１以上（たとえば、１〜１００）の整数である］
に適合する二価の置換基；
（ｖｉｉ）式（ＣＬＸ）の構造
【００６３】
【化１１】
2021501254.tif 000013
【００６４】
［式中、それぞれのＲ１６１は、水素およびメチルからなる群から独立して選択され、ｈｈは、１以上（たとえば、１〜１００）の整数である］
に適合する二価の置換基；
（ｖｉｉｉ）式（ＣＬＸＸ）の構造
【００６５】
【化１２】
2021501254.tif 000014
【００６６】
［式中、それぞれのＲ１７１、Ｒ１７２およびＲ１７３は、水素および−ＣＨ２ＣＯ２Ｈからなる群から独立して選択され、ｊｊは、１以上（たとえば、１〜１００）の整数である］
に適合する二価の置換基；および
（ｉｘ）式（Ｃ）、（ＣＸ）、（ＣＸＸ）、（ＣＸＸＸ）、（ＣＸＬ）、（ＣＬ）、（ＣＬＸ）または（ＣＬＸＸ）の構造に適合する置換基からなる群から選択される２つ以上の置換基を含む、二価の置換基
からなる群から選択される、二価の置換基である。
【００６７】
好ましい側面において、それぞれのＲ４は、式（Ｃ２Ｈ４Ｏ）ｘ（Ｃ３Ｈ６Ｏ）ｙ（Ｃ２Ｈ４Ｏ）ｚＲ２０の独立して選択される基である。基Ｒ２０は、水素、アルキル、置換アルキル、アリール、置換アリール、アルカリルおよび置換アルカリルからなる群から選択される。可変基ｘ、ｙおよびｚは、０および正の自然数から独立して選択される整数であり；ｘ、ｙおよびｚの和は、１以上である。一側面において、可変基ｘ、ｙおよびｚは、０〜１００、より好ましくは０〜５０、さらに一層好ましくは０〜２０、最も好ましくは０〜１０から独立して選択される。特に好ましい側面において、可変基ｘは、１〜５であり、可変基ｙは、０〜５であり、可変基ｚは、０である。さらに一層好ましい側面において、可変基ｙは、１〜５である。別の好ましい側面において、可変基ｘは、１〜２であり、可変基ｙは、０〜３であり、可変基ｚは、０である。さらに一層好ましい側面において、可変基ｙは、１〜３である。上述した側面のそれぞれにおいて、基Ｒ２０は、好ましくは、水素である。
【００６８】
式（Ｉ）および（Ｘ）の化合物について、化合物中に存在する任意の電荷は、好適な独立して選択される内部または外部対イオンと均衡がとれている。好適な独立して選択される外部対イオンは、カチオン性であってもアニオン性であってもよい。好適なカチオンの例は、好ましくは第Ｉ族および第ＩＩ族から選択される１種以上の金属を含むがこれらに限定されず、これらのうち最も好ましいのは、Ｎａ、Ｋ、ＭｇおよびＣａ、または有機カチオン、たとえばイミニウム、アンモニウムおよびホスホニウムである。好適なアニオンの例は、フッ化物、塩化物、臭化物、ヨウ化物、ペルクロレート、硫酸水素、スルフェート、アミノスルフェート、ニトレート、リン酸二水素、リン酸水素、ホスフェート、ビカーボネート、カーボネート、メソスルフェート、エソスルフェート、シアネート、チオシアネート、テトラクロロジンケート、ボレート、テトラフルオロボレート、アセテート、クロロアセテート、シアノアセテート、ヒドロキシアセテート、アミノアセテート、メチルアミノアセテート、ジ−およびトリ−クロロアセテート、２−クロロ−プロピオネート、２−ヒドロキシプロピオネート、グリコレート、チオグリコレート、チオアセテート、フェノキシアセテート、トリメチルアセテート、バレレート、パルミテート、アクリレート、オキサレート、マロネート、クロトネート、スクシネート、シトレート、メチレン−ビス−チオグリコレート、エチレン−ビス−イミノアセテート、ニトリロトリアセテート、フマレート、マレエート、ベンゾエート、メチルベンゾエート、クロロベンゾエート、ジクロロベンゾエート、ヒドロキシベンゾエート、アミノベンゾエート、フタレート、テレフタレート、インドリルアセテート、クロロベンゼンスルホネート、ベンゼンスルホネート、トルエンスルホネート、ビフェニル−スルホネートおよびクロロトルエンスルホネートを含むがこれらに限定されない。当業者は、上記に記載したものの代わりに使用することができる異なる対イオンを熟知している。
【００６９】
式（Ｘ）において描写されている通り、ある特定の共鳴構造において、中心炭素原子に割り当てられ得る正電荷を保有する。上述の通り、正電荷は、任意の好適に選択される内部または外部対イオンによって均衡をとることができる。一側面において、式（Ｘ）の化合物の中心炭素原子に割り当てられた正電荷は、ハライドおよびスルフェートからなる群から選択される外部対イオンによって均衡がとれている。別の側面において、環Ａ、ＢおよびＣの少なくとも１つ上のＲｏおよびＲｍのうちの少なくとも１つは、−Ｃ（Ｏ）Ｏ−および−Ｓ（Ｏ）２Ｏ−から選択され、該基は、式（Ｘ）の化合物の中心炭素原子に割り当てられた正電荷と均衡をとるために、内部対イオンを提供する。
【００７０】
一側面において、本発明のロイコ着色剤（たとえば、式（Ｉ）の化合物）は、４５ｍＮ／ｍより大きい、より好ましくは４７．５ｍＮ／ｍより大きい、最も好ましくは５０ｍＮ／ｍより大きい、表面張力値を有する。別の側面において、ロイコ着色剤の第２の着色状態（たとえば、式（Ｘ）の化合物）は、４５ｍＮ／ｍより大きい、より好ましくは４７．５ｍＮ／ｍより大きい、最も好ましくは５０ｍＮ／ｍより大きい、表面張力値を有する。本発明のまた別の側面において、ロイコ着色剤とその対応する第２の着色状態の両方は、４５ｍＮ／ｍより大きい、より好ましくは４７．５ｍＮ／ｍより大きい、最も好ましくは５０ｍＮ／ｍより大きい、表面張力値を有する。
【００７１】
上述した化合物および組成物は、テキスタイル材料の処理において、たとえば家庭用洗濯プロセスにおいて使用するために好適であると考えられている。特に、化合物は、化合物の性質により、テキスタイル材料の繊維に堆積するであろうと考えられている。さらに、テキスタイル材料に堆積すると、これらの化合物のロイコバージョンは、ロイコ化合物をその着色形態に変換する適切な化学的または物理的な誘因の適用を介して、着色化合物に変換され得る。たとえば、ロイコ化合物は、ロイコ化合物から酸化化合物への酸化時に、その着色形態に変換され得る。適正なロイコ部分を選択することにより、ロイコ化合物は、ロイコ化合物がその着色形態に変換されると、テキスタイル材料に所望の色相を付与するように設計され得る。たとえば、その着色形態への変換時に青色または青紫色の色相を呈するロイコ化合物を使用して、時間の経過および／または洗濯の繰り返しにより通常出現するテキスタイル材料の黄ばみに対抗することができる。故に、他の態様において、本発明は、上述したロイコ化合物を含む洗濯ケア組成物、およびテキスタイル材料を処理するための家庭用方法（たとえば、洗濯用品または衣類を洗浄するための方法）を提供する。
【００７２】
好ましくは、化合物（たとえば、その第２の色状態に変換される場合には化合物のロイコバージョン）は、布に、２１０〜３４５の相対色相角、またはさらには２４０〜３２０の相対色相角、またはさらには２５０〜３００（たとえば、２５０〜２９０）の相対色相角、またはさらには２７０〜３００（たとえば、２７０〜２９０）の相対色相角を持つ色相を与える。相対色相角は、当技術分野において公知の通りの任意の好適な方法によって決定することができる。しかしながら、好ましくは、いかなるロイコ実体もない綿と比べた、綿へのロイコ実体の堆積に関して、ここでさらに詳細に記載されている通りに決定されていてもよい。
【００７３】
上述した色相付与または白色化効果に加えて、式（Ｘ）の化合物は、洗濯ケア組成物において審美着色剤として使用され得る。そのような使用において、式（Ｘ）の化合物は、単独で、または後述する通りの他の審美染料、顔料および／もしくは着色剤と組み合わせて、使用され得る。さらに、審美着色剤として使用される場合、式（Ｘ）の化合物は、洗濯ケア組成物に所望の審美彩色を付与する任意の濃度またはローディングで使用され得る。
【００７４】
上述の通り、別の態様において、本発明は、洗濯ケア原料と、ここで記載されている通りの化合物とを含む、洗濯ケア組成物を提供する。洗濯ケア組成物は、ここで記載されている通りの任意の好適な化合物または化合物の組合せを含むことができる。洗濯ケア組成物は、任意の好適な洗濯ケア原料を含むことができる。本発明において使用するために好適な洗濯ケア原料を、以下で詳細に記載する。
洗濯ケア原料
洗濯ケア組成物は、一部の側面において、全体的にまたは部分的に組み込まれることができる、他の好適な補助剤を含んでいてもよい。補助剤は、洗濯ケア組成物の意図されている機能に従って選択されていてもよい。第１の組成物は、補助剤を含んでいてもよい。
一部の側面において、マルチコンパートメント一回量包装物品の場合、補助剤は、第１の組成物とは別個のコンパートメント内にカプセル化されている第１ではない（たとえば、第２、第３、第４など）組成物の一部であってもよい。第１ではない組成物は、任意の好適な組成物であってもよい。第１ではない組成物は、固体、液体、分散液、ゲル、ペーストまたはそれらの混合物の形態であってもよい。一回量包装が複数のコンパートメントを含む場合、ロイコ着色剤は、１つ、２つ、またはさらにはすべてのコンパートメントに添加されてもよく、またはその中に存在してもよい。一態様において、ロイコ着色剤は、より大きいコンパートメントに添加されて、潜在的な接触染色に関与するあらゆる問題を最小化し得る、より低い濃度につながる。他方で、より小さい容積のコンパートメント内のロイコ着色剤とともに酸化防止剤を濃縮することにより、安定性の増強を提供し得る、酸化防止剤のより高い局所濃度につながる場合がある。したがって、当業者が理解するであろう通り、調合者は、一回量包装の所望の特性に従って、ロイコ着色剤の場所および量を選択することができる。
補助剤
洗濯ケア組成物は、界面活性剤系を含んでいてもよい。洗濯ケア組成物は、重量で洗濯ケア組成物の約１％〜約８０％、または１％〜約６０％、好ましくは約５％〜約５０％、より好ましくは約８％〜約４０％の界面活性剤系を含んでいてもよい。
【００７５】
界面活性剤：好適な界面活性剤は、アニオン性界面活性剤、非イオン性界面活性剤、カチオン性界面活性剤、両性イオン性界面活性剤および両性界面活性剤ならびにそれらの混合物を含む。好適な界面活性剤は、直鎖状または分枝、置換されているまたは無置換のものであってもよく、石油化学材料または生体材料に由来するものであってもよい。好ましい界面活性剤系は、アニオン性と非イオン性の両方の界面活性剤を、好ましくは９０：１〜１：９０の重量比で含む。一部の事例において、少なくとも１：１のアニオン性対非イオン性界面活性剤の重量比が好ましい。しかしながら、１０未満：１の比が好ましい場合がある。存在する場合、総界面活性剤レベルは、好ましくは、重量で主題組成物の０．１％〜６０％、１％〜５０％またはさらには５％〜４０％である。
【００７６】
アニオン性界面活性剤：アニオン性界面活性剤は、それらの分子構造中に概して８〜２２個の炭素原子または概して８〜１８個の炭素原子を含有する有機疎水性基、ならびに水溶性化合物を形成するために、スルホネート、スルフェートおよびカルボキシレートから好ましくは選択される少なくとも１つの水溶性基を含有する、表面活性化合物を含むがこれらに限定されない。通常、疎水性基は、Ｃ８〜Ｃ２２アルキルまたはアシル基を含むことになる。そのような界面活性剤は、水溶性塩の形態で使用され、塩形成性カチオンは、通常、ナトリウム、カリウム、アンモニウム、マグネシウムおよびモノ−から選択され、ナトリウムカチオンは、通常選択される１つである。
【００７７】
本発明のアニオン性界面活性剤および補助アニオン性共界面活性剤は、酸形態で存在していてもよく、前記酸形態を中和して、本発明の洗剤組成物において使用するために望ましい界面活性剤塩を形成していてもよい。中和のための典型的な作用物質は、金属対イオン塩基、たとえば水酸化物、たとえばＮａＯＨまたはＫＯＨを含む。本発明のアニオン性界面活性剤およびそれらの酸形態における補助アニオン性界面活性剤または共界面活性剤を中和するためのさらなる好ましい作用物質は、アンモニア、アミン、オリゴアミンまたはアルカノールアミンを含む。アルカノールアミンが好ましい。モノエタノールアミン、ジエタノールアミン、トリエタノールアミン、および当技術分野で公知である他の直鎖状または分枝アルカノールアミンを含む好適な非限定的な例、たとえば、非常に好ましいアルカノールアミンは、２−アミノ−１−プロパノール、１−アミノプロパノール、モノイソプロパノールアミンまたは１−アミノ−３−プロパノールを含む。アミン中和は完全または部分的な程度までなされていてもよく、たとえば、アニオン性界面活性剤混合物の一部はナトリウムまたはカリウムで中和されていてもよく、アニオン性界面活性剤混合物の一部はアミンまたはアルカノールアミンで中和されていてもよい。
【００７８】
好適なスルホネート界面活性剤は、メチルエステルスルホネート、アルファオレフィンスルホネート、アルキルベンゼンスルホネート、とりわけアルキルベンゼンスルホネート、好ましくはＣ１０〜１３アルキルベンゼンスルホネートを含む。好適なアルキルベンゼンスルホネート（ＬＡＳ）は、市販の直鎖状アルキルベンゼン（ＬＡＢ）をスルホン化することによって取得可能であり、好ましくは取得される。好適なＬＡＢは、低２−フェニルＬＡＢ、たとえば商標名Ｉｓｏｃｈｅｍ（登録商標）でＳａｓｏｌによって供給されるものまたは商標名Ｐｅｔｒｅｌａｂ（登録商標）でＰｅｔｒｅｓａによって供給されるものを含み、他の好適なＬＡＢは、高２−フェニルＬＡＢ、たとえば商標名Ｈｙｂｌｅｎｅ（登録商標）でＳａｓｏｌによって供給されるものを含む。好適なアニオン性界面活性剤は、ＤＥＴＡＬ触媒プロセスによって取得されるアルキルベンゼンスルホネートであるが、他の合成ルート、たとえばＨＦも好適となり得る。一側面において、ＬＡＳのマグネシウム塩が使用される。
【００７９】
好適な硫酸塩界面活性剤は、アルキル硫酸塩、好ましくはＣ８〜１８アルキル硫酸塩、または主にＣ１２アルキル硫酸塩を含む。
【００８０】
好ましい硫酸塩界面活性剤は、アルキルアルコキシル化硫酸塩、好ましくはアルキルエトキシル化硫酸塩、好ましくはＣ８〜１８アルキルアルコキシル化硫酸塩、好ましくはＣ８〜１８アルキルエトキシル化硫酸塩であり、好ましくは、アルキルアルコキシル化硫酸塩は、０．５〜２０、好ましくは０．５〜１０の平均アルコキシル化度を有し、好ましくは、アルキルアルコキシル化硫酸塩は、０．５〜１０、好ましくは０．５〜５、より好ましくは０．５〜３の平均エトキシル化度を有するＣ８〜１８アルキルエトキシル化硫酸塩である。アルキルアルコキシル化硫酸塩は、広範なアルコキシ分布またはピークに達したアルコキシ分布を有していてもよい。
【００８１】
アルキル硫酸塩、アルキルアルコキシル化硫酸塩およびアルキルベンゼンスルホネートは、２アルキル置換または中鎖分枝型を含む直鎖状または分枝、置換されているまたは無置換のものであってもよく、石油化学材料または生体材料に由来するものであってもよい。好ましくは、分枝基は、アルキルである。典型的には、アルキルは、メチル、エチル、プロピル、ブチル、ペンチル、環式アルキル基およびそれらの混合物から選択される。単一のまたは複数のアルキル分枝は、本発明の洗剤において使用される硫酸化アニオン性界面活性剤を生成するために使用される、出発アルコールの主要ヒドロカルビル鎖上に存在し得る。最も好ましくは、分枝硫酸化アニオン性界面活性剤は、アルキル硫酸塩、アルキルエトキシ硫酸塩およびそれらの混合物から選択される。
【００８２】
アルキル硫酸塩およびアルキルアルコキシ硫酸塩は、多様な鎖長、エトキシル化および分枝度を持つものが市販されている。市販の硫酸塩は、Ｓｈｅｌｌ社製のＮｅｏｄｏｌアルコール、Ｓａｓｏｌ社製のＬｉａｌ−ＩｓａｌｃｈｅｍおよびＳａｆｏｌ、Ｔｈｅ  Ｐｒｏｃｔｅｒ＆Ｇａｍｂｌｅ  Ｃｈｅｍｉｃａｌｓ社製の天然アルコールに基づくものを含む。
【００８３】
他の好適なアニオン性界面活性剤は、アルキルエーテルカルボキシレートを含む。
【００８４】
非イオン性界面活性剤：好適な非イオン性界面活性剤は、Ｃ８〜Ｃ１８アルキルエトキシレート、たとえばＳｈｅｌｌ製のＮＥＯＤＯＬ（登録商標）非イオン性界面活性剤；Ｃ６〜Ｃ１２アルキルフェノールアルコキシレート（ここで、好ましくは、アルコキシレート単位は、エチレンオキシ単位、プロピレンオキシ単位またはそれらの混合物である）；エチレンオキシド／プロピレンオキシドブロックポリマーを持つＣ１２〜Ｃ１８アルコールおよびＣ６〜Ｃ１２アルキルフェノール凝縮物、たとえばＢＡＳＦ製のＰｌｕｒｏｎｉｃ（登録商標）；アルキル多糖、好ましくはアルキルポリグルコシド；メチルエステルエトキシレート；ポリヒドロキシ脂肪酸アミド；エーテルでキャップされたポリ（オキシアルキル化）アルコール界面活性剤；ならびにそれらの混合物からなる群から選択される。
【００８５】
好適な非イオン性界面活性剤は、アルキルポリグルコシドおよび／またはアルキルアルコキシル化アルコールである。
【００８６】
好適な非イオン性界面活性剤は、アルキルアルコキシル化アルコール、好ましくはＣ８〜１８アルキルアルコキシル化アルコール、好ましくはＣ８〜１８アルキルエトキシル化アルコールを含み、好ましくは、アルキルアルコキシル化アルコールは、１〜５０、好ましくは１〜３０、または１〜２０、または１〜１０の平均アルコキシル化度を有し、好ましくは、アルキルアルコキシル化アルコールは、１〜１０、好ましくは１〜７、より好ましくは１〜５および最も好ましくは３〜７の平均エトキシル化度を有するＣ８〜１８アルキルエトキシル化アルコールである。一側面において、アルキルアルコキシル化アルコールは、７〜０の平均エトキシル化度を有するＣ１２〜１５アルキルエトキシル化アルコールである。アルキルアルコキシル化アルコールは、直鎖状または分枝、および置換されているまたは無置換のものであることができる。好適な非イオン性界面活性剤は、ＢＡＳＦ製の商標名Ｌｕｔｅｎｓｏｌ（登録商標）を持つものを含む。
【００８７】
カチオン性界面活性剤：好適なカチオン性界面活性剤は、アルキルピリジニウム化合物、アルキル第四級アンモニウム化合物、アルキル第四級ホスホニウム化合物、アルキル三元スルホニウム化合物およびそれらの混合物を含む。
【００８８】
好ましいカチオン性界面活性剤は、一般式：
（Ｒ）（Ｒ１）（Ｒ２）（Ｒ３）Ｎ＋Ｘ−
［式中、Ｒは、直鎖状または分枝、置換されているまたは無置換のＣ６〜１８アルキルまたはアルケニル部分であり、Ｒ１およびＲ２は、メチルまたはエチル部分から独立して選択され、Ｒ３は、ヒドロキシル、ヒドロキシメチルまたはヒドロキシエチル部分であり、Ｘは、電荷中性を提供するアニオンであり、好ましいアニオンは、ハロゲン化物、好ましくは塩化物、スルフェートおよびスルホネートを含む］
を有する第四級アンモニウム化合物である。
【００８９】
両性および両性イオン性界面活性剤：好適な両性または両性イオン性界面活性剤は、アミンオキシドおよび／またはベタインを含む。好ましいアミンオキシドは、アルキルジメチルアミンオキシドまたはアルキルアミドプロピルジメチルアミンオキシド、より好ましくはアルキルジメチルアミンオキシド、とりわけココジメチルアミノオキシドである。アミンオキシドは、直鎖状または中分枝アルキル部分を有していてもよい。典型的な直鎖状アミンオキシドは、１つのＲ１  Ｃ８〜１８アルキル部分ならびにＣ１〜３アルキル基およびＣ１〜３ヒドロキシアルキル基からなる群から選択される２つのＲ２およびＲ３部分を含有する、水溶性アミンオキシドを含む。好ましくは、アミンオキシドは、式Ｒ１−Ｎ（Ｒ２）（Ｒ３）Ｏを特徴とし、式中、Ｒ１は、Ｃ８〜１８アルキルであり、Ｒ２およびＲ３は、メチル、エチル、プロピル、イソプロピル、２−ヒドロキシエチル、２−ヒドロキシプロピルおよび３−ヒドロキシプロピルからなる群から選択される。直鎖状アミンオキシド界面活性剤は、特に、直鎖状Ｃ１０〜Ｃ１８アルキルジメチルアミンオキシドおよび直鎖状Ｃ８〜Ｃ１２アルコキシエチルジヒドロキシエチルアミンオキシドを含んでいてもよい。
【００９０】
他の好適な界面活性剤は、ベタイン、たとえばアルキルベタイン、アルキルアミドベタイン、アミダゾリニウムベタイン、スルホベタイン（ＩＮＣＩスルタイン）およびホスホベタインを含む。
ロイコ着色剤希釈剤
ロイコ着色剤組成物中の別のクラスの原料は、希釈剤および／または溶媒であってもよい。希釈剤および／または溶媒の目的は、多くの場合、ロイコ着色剤の流動性を改良することおよび／または粘度を低減させることであるが、これらに限定されない。水は、その低価格および非毒性を考慮すると、多くの場合、好ましい希釈剤および／または溶媒であるが、他の溶媒も使用されていてもよい。好ましい溶媒は、低価格および低危険性を有するものである。好適な溶媒の例は、エチレングリコール、プロピレングリコール、グリセリン、アルコキシル化ポリマー、たとえばポリエチレングリコール、ポリプロピレングリコール、エチレンオキシドおよびプロピレンオキシドのコポリマー、Ｔｗｅｅｎ  ２０（登録商標）、Ｔｗｅｅｎ  ４０（登録商標）、Ｔｗｅｅｎ  ８０（登録商標）など、ならびにそれらの組合せを含むがこれらに限定されない。ポリマーの中でも、エチレンオキシドおよびプロピレンオキシドコポリマーが好ましい場合がある。これらのポリマーは、多くの場合、水での曇点を特色とし、これは、生成物が水から分離するのを助けて、望ましくない水溶性不純物を除去することができる。エチレンオキシドおよびプロピレンオキシドコポリマーの例は、ＢＡＳＦによるＰＬＵＲＯＮＩＣシリーズポリマーおよびＴＥＲＧＩＴＯＬ（商標）シリーズポリマーおよびＤｏｗによるものを含むがこれらに限定されない。ロイコ着色剤が洗濯ケア組成物に組み込まれる場合、これらのポリマーは、非イオン性界面活性剤としても作用し得る。
【００９１】
ここで記載されている洗濯ケア組成物は、下記の原料の非限定的なリスト：織物ケア有益剤；洗浄性酵素；堆積助剤；レオロジー調節剤；ビルダー；キレート剤；漂白；漂白剤；漂白前駆体；漂白ブースター；漂白触媒；香料および／または香料マイクロカプセル；香水充填ゼオライト；デンプンカプセル化アコード（starch encapsulated accord）；ポリグリセロールエステル；白色化剤；真珠光沢剤；酵素安定化系；アニオン性染料のための定着剤、アニオン性界面活性剤のための錯化剤およびそれらの混合物を含む、スカベンジング剤；光学的増白剤または蛍光物質；汚れ放出ポリマーおよび／または汚れ懸濁ポリマーを含むがこれらに限定されないポリマー；分散剤；消泡剤；非水性溶媒；脂肪酸；泡抑制剤、たとえば、シリコーン泡抑制剤；カチオン性デンプン；スカム分散剤；実質的染料；着色剤；乳白剤；酸化防止剤；ヒドロトロープ、たとえばトルエンスルホネート、クメンスルホネートおよびナフタレンスルホネート；カラースペックル；着色ビーズ、スフィアまたは押出物；粘土軟化剤；抗菌剤のうちの１つ以上を含んでいてもよい。追加でまたはあるいは、組成物は、界面活性剤、第四級アンモニウム化合物および／または溶媒系を含んでいてもよい。第四級アンモニウム化合物は、織物増強組成物、たとえば織物柔軟剤中に存在していてもよく、構造ＮＲ４＋の正に荷電した多原子イオンである第四級アンモニウムカチオンを含んでいてもよく、ここで、Ｒは、アルキル基またはアリール基である。
色相付与染料
組成物は、追加の織物シェイディング剤（shading agent）を含んでいてもよい。好適な織物シェイディング剤は、染料、染料−粘土コンジュゲートおよび顔料を含む。好適な染料は、小分子染料およびポリマー性染料を含む。好適な小分子染料は、ダイレクトブルー、ダイレクトレッド、ダイレクトバイオレット、アシッドブルー、アシッドレッド、アシッドバイオレット、ベーシックブルー、ベーシックバイオレットおよびベーシックレッドのカラーインデックス（Ｃ．Ｉ．）分類に入る染料、またはそれらの混合物からなる群から選択される小分子染料を含む。好ましい染料は、アルコキシル化アゾチオフェン、ソルベントバイオレット１３、アシッドバイオレット５０およびダイレクトバイオレット９を含む。
【００９２】
審美着色剤。組成物は、１種以上の審美着色剤を含んでいてもよい。好適な審美着色剤は、染料、染料−粘土コンジュゲート、顔料およびＬｉｑｕｉｔｉｎｔ（登録商標）ポリマー性着色剤（Ｍｉｌｌｉｋｅｎ＆Ｃｏｍｐａｎｙ、Ｓｐａｒｔａｎｂｕｒｇ、Ｓｏｕｔｈ  Ｃａｒｏｌｉｎａ、ＵＳＡ）を含む。一側面において、好適な染料および顔料は、小分子染料およびポリマー性染料を含む。審美着色剤は、アクリジン、アントラキノン、アジン、アゾ、ベンゾジフラン、ベンゾジフラノン、カロテノイド、クマリン、シアニン、ジアザヘミシアニン、ジフェニルメタン、ホルマザン、ジアザヘミシアニン、インジゴイド、メタン、メチン、ナフタルイミド、ナフトキノン、ニトロ、ニトロソ、オキサジン、フェノチアジン、フタロシアニン（たとえば銅フタロシアニン）、ピラゾール、ピラゾロン、キノロン、スチルベン、スチリル、トリアリールメタン（たとえばトリフェニルメタン）、キサンテンおよびそれらの混合物からなる群から選択される少なくとも１種の発色団構成要素を含んでいてもよい。
【００９３】
本発明の一側面において、審美着色剤は、Ｌｉｑｕｉｔｉｎｔ（登録商標）ブルーＡＨ、Ｌｉｑｕｉｔｉｎｔ（登録商標）ブルーＢＢ、Ｌｉｑｕｉｔｉｎｔ（登録商標）ブルー２７５、Ｌｉｑｕｉｔｉｎｔ（登録商標）ブルー２９７、Ｌｉｑｕｉｔｉｎｔ（登録商標）ブルーＢＢ、シアン１５、Ｌｉｑｕｉｔｉｎｔ（登録商標）グリーン１０１、Ｌｉｑｕｉｔｉｎｔ（登録商標）オレンジ２７２、Ｌｉｑｕｉｔｉｎｔ（登録商標）オレンジ２５５、Ｌｉｑｕｉｔｉｎｔ（登録商標）ピンクＡＭ、Ｌｉｑｕｉｔｉｎｔ（登録商標）ピンクＡＭＣ、Ｌｉｑｕｉｔｉｎｔ（登録商標）ピンクＳＴ、Ｌｉｑｕｉｔｉｎｔ（登録商標）バイオレット１２９、Ｌｉｑｕｉｔｉｎｔ（登録商標）バイオレットＬＳ、Ｌｉｑｕｉｔｉｎｔ（登録商標）バイオレット２９１、Ｌｉｑｕｉｔｉｎｔ（登録商標）イエローＦＴ、Ｌｉｑｕｉｔｉｎｔ（登録商標）ブルーＢｕｆ、Ｌｉｑｕｉｔｉｎｔ（登録商標）ピンクＡＭ、Ｌｉｑｕｉｔｉｎｔ（登録商標）ピンクＰＶ、アシッドブルー８０、アシッドブルー１８２、アシッドレッド３３、アシッドレッド５２、アシッドバイオレット４８、アシッドバイオレット１２６、アシッドブルー９、アシッドブルー１、およびそれらの混合物を含む。
【００９４】
カプセル化物。組成物は、カプセル化材料を含んでいてもよい。一側面において、カプセル化物はコアを含み、シェルは内側および外側表面を有し、前記シェルは、前記コアをカプセル化している。コアは、任意の洗濯ケア補助剤を含んでいてもよいが、典型的には、コアは、香料；増白剤；色相付与染料；防虫剤；シリコーン；ワックス；香味剤；ビタミン；織物軟化剤；スキンケア剤、一側面において、パラフィン；酵素；抗菌剤；漂白；センセート；およびそれらの混合物からなる群から選択される材料を含んでいてもよく；前記シェルは、ポリエチレン；ポリアミド；他のコモノマーを任意に含有するポリビニルアルコール；ポリスチレン；ポリイソプレン；ポリカーボネート；ポリエステル；ポリアクリレート；アミノプラスト（一側面において、前記アミノプラストは、ポリウレア、ポリウレタンおよび／またはポリウレアウレタンを含んでいてもよく、一側面において、前記ポリウレアは、ポリオキシメチレンウレアおよび／またはメラミンホルムアルデヒドを含んでいてもよい）；ポリオレフィン；多糖（一側面において、前記多糖は、アルギネートおよび／またはキトサンを含んでいてもよい）；ゼラチン；シェラック；エポキシ樹脂；ビニルポリマー；水不溶性無機物；シリコーン；ならびにそれらの混合物からなる群から選択される材料を含んでいてもよい。
【００９５】
好ましいカプセル化物は、香水を含む。好ましいカプセル化物は、シェルを含み、これは、メラミンホルムアルデヒドおよび／または架橋メラミンホルムアルデヒドを含んでいてもよい。他の好ましいカプセルは、ポリアクリレートベースのシェルを含む。好ましいカプセル化物は、コア材料およびシェルを含み、前記シェルは、前記コア材料を少なくとも部分的に囲んでいることが開示されている。前記カプセル化物の少なくとも７５％、８５％またはさらには９０％が、０．２ＭＰａ〜１０ＭＰａの破壊強度、および、総初期カプセル化有益剤に基づき、０％〜２０％、またはさらには１０％または５％未満の有益剤漏出を有していてもよい。好ましいのは、前記カプセル化物の少なくとも７５％、８５％またはさらには９０％が、（ｉ）１ミクロン〜８０ミクロン、５ミクロン〜６０ミクロン、１０ミクロン〜５０ミクロンまたはさらには１５ミクロン〜４０ミクロンの粒径を有していてもよく、かつ／または（ｉｉ）前記カプセル化物の少なくとも７５％、８５％またはさらには９０％が、３０ｎｍ〜２５０ｎｍ、８０ｎｍ〜１８０ｎｍまたはさらには１００ｎｍ〜１６０ｎｍの粒子壁厚を有していてもよいものである。ホルムアルデヒドスカベンジャーは、カプセル化物とともに、たとえば、カプセルスラリー中で使用されていてもよく、かつ／またはカプセル化物が組成物に添加される前、最中もしくはその後に、そのような組成物に添加されていてもよい。ＵＳＰＡ２００８／０３０５９８２Ａ１および／またはＵＳＰＡ２００９／０２４７４４９Ａ１の教示に準拠することによって作製することができる好適なカプセル。あるいは、好適なカプセルは、Ａｐｐｌｅｔｏｎ、Ｗｉｓｃｏｎｓｉｎ  ＵＳＡのＡｐｐｌｅｔｏｎ  Ｐａｐｅｒｓ  Ｉｎｃ．から購入することができる。
【００９６】
好ましい側面において、組成物は、好ましくはカプセル化物に加えて、堆積助剤を含んでいてもよい。好ましい堆積助剤は、カチオン性および非イオン性ポリマーからなる群から選択される。好適なポリマーは、カチオン性デンプン、カチオン性ヒドロキシエチルセルロース、ポリビニルホルムアルデヒド、ローカストビーンガム、マンナン、キシログルカン、タマリンドガム、ポリエチレンテレフタレート、およびジメチルアミノエチルメタクリレートを含有するポリマーを含み、アクリル酸およびアクリルアミドを含む群から選択される１種以上のモノマーを任意に含有していてもよい。
【００９７】
香料。本発明の好ましい組成物は、香料を含む。典型的には、組成物は、ＷＯ０８／８７４９７において記載されている通りの群から選択される、１種以上の香料原材料を含む香料を含む。しかしながら、洗濯ケア組成物において有用な任意の香料が使用されていてもよい。本発明の組成物に香料を組み込む好ましい方法は、水溶性ヒドロキシル化合物またはメラミン−ホルムアルデヒドまたは変性ポリビニルアルコールの何れかを含むカプセル化香料粒子を介することである。
悪臭低減材料
本開示のクリーニング組成物は、悪臭低減材料を含んでいてもよい。そのような材料は、１種以上の悪臭の知覚を減少させるまたはさらには解消することができる。これらの材料は、算出された悪臭低減値（ＭＯＲＶ）によって特徴付けることができ、これは、ＷＯ２０１６／０４９３８９において示されている試験方法に従って算出される。
【００９８】
ここで使用される場合、「ＭＯＲＶ」は、主題材料について算出された悪臭低減値である。ある材料のＭＯＲＶは、１種以上の悪臭の知覚を減少させるまたはさらには解消する、そのような材料の能力を示す。
【００９９】
本開示のクリーニング組成物は、重量で組成物の約０．０００２５％〜約０．５％、好ましくは約０．００２５％〜約０．１％、より好ましくは約０．００５％〜約０．０７５％、最も好ましくは約０．０１％〜約０．０５％の総計の、１種以上の悪臭低減材料を含んでいてもよい。クリーニング組成物は、約１〜約２０種の悪臭低減材料、より好ましくは１〜約１５種の悪臭低減材料、最も好ましくは１〜約１０種の悪臭低減材料を含んでいてもよい。
【０１００】
悪臭低減材料の１つ、いくつかまたはそれぞれは、少なくとも０．５、好ましくは０．５〜１０、より好ましくは１〜１０、最も好ましくは１〜５のＭＯＲＶを有していてもよい。悪臭低減材料の１つ、いくつかまたはそれぞれは、ここで記載されている通りに試験される悪臭について、０．５より大きいＭＯＲＶ値のすべてとして定義されるユニバーサルＭＯＲＶを有していてもよい。悪臭低減材料の総計は、３未満、より好ましい約２．５未満、さらに一層好ましくは約２未満、およびまたさらに好ましくは約１未満、および最も好ましくは約０のブロッカーインデックスを有していてもよい。悪臭低減材料の総計は、約３〜約０．００１のブロッカーインデックス平均を有していてもよい。
【０１０１】
本開示のクリーニング組成物において、悪臭低減材料は、３未満、好ましくは２未満、より好ましくは１未満および最も好ましくは約０のフレグランスフィデリティーインデックス（Fragrance Fidelity Index）、ならびに／または３〜約０．００１のフレグランスフィデリティーインデックスのフレグランスフィデリティーインデックス平均を有していてもよい。フレグランスフィデリティーインデックスが減少するにつれて、悪臭に対抗し続けながら、悪臭低減材料が提供する香りのインパクトは次第に少なくなる。
【０１０２】
本開示のクリーニング組成物は、香料を含んでいてもよい。悪臭低減組成物の部と香料の部との重量比は、約１：２０，０００〜約３０００：１、好ましくは約１：１０，０００〜約１，０００：１、より好ましくは約５，０００：１〜約５００：１および最も好ましくは約１：１５〜約１：１であってもよい。悪臭低減組成物と香料の部との比が狭まるにつれて、悪臭に対抗し続けながら、悪臭低減材料が提供する香りのインパクトは次第に少なくなる。
タンニン
本開示のクリーニング組成物は、タンニンを含んでいてもよい。タンニンは、高等植物のポリフェノールの二次代謝産物であり、ガロイルエステルおよびそれらの誘導体の何れかであり、ここで、ガロイル部分またはそれらの誘導体は、多様なポリオール−、カテキン−およびトリテルペノイドコアに結合している（ガロタンニン、エラジタンニンおよび複合タンニン）か、またはそれらは、インターフラバニルカップリングおよび置換パターンを保有することができるオリゴマー性およびポリマー性プロアントシアニジンである（縮合タンニン）。本開示のクリーニング組成物は、ガロタンニン、エラジタンニン、複合タンニン、縮合タンニンおよびそれらの組合せからなる群から選択されるタンニンを含んでいてもよい。
【０１０３】
ポリマー。組成物は、１種以上のポリマーを含んでいてもよい。例は、任意に修飾されたカルボキシメチルセルロース、ポリ（ビニル−ピロリドン）、ポリ（エチレングリコール）、ポリ（ビニルアルコール）、ポリ（ビニルピリジン−Ｎ−オキシド）、ポリ（ビニルイミダゾール）、ポリカルボキシレート、たとえばポリアクリレート、マレイン酸／アクリル酸コポリマーおよびラウリルメタクリレート／アクリル酸コポリマーである。
【０１０４】
組成物は、１種以上の両親媒性クリーニングポリマーを含んでいてもよい。そのようなポリマーは、織物および表面からグリース粒子を除去するような均衡がとれた親水性および疎水性特性を有する。好適な両親媒性アルコキシル化グリースクリーニングポリマーは、コア構造およびそのコア構造に結合している複数のアルコキシレート基を含む。これらは、アルコキシル化ポリアルキレンイミン、とりわけ内側ポリエチレンオキシドブロックおよび外側ポリプロピレンオキシドブロックを有するエトキシル化ポリエチレンイミンまたはポリエチレンイミンを含んでいてもよい。典型的には、これらは、本発明の組成物に、０．００５〜１０重量％、概して０．５〜８重量％の量で組み込まれていてもよい。
【０１０５】
組成物は、修飾ヘキサメチレンジアミンを含んでいてもよい。ヘキサメチレンジアミンの修飾は、次のものを含む：（１）ヘキサメチレンジアミンの窒素原子１個当たり１つまたは２つのアルコキシル化修飾。修飾１つ当たり約１〜約４０のアルコキシ部分の平均を有する（ポリ）アルコキシレン鎖によるヘキサメチレンジアミンの窒素上の水素原子の置き換えからなるアルコキシル化修飾、ここで、アルコキシレン鎖の終端アルコキシ部分は、水素、Ｃ１〜Ｃ４アルキル、スルフェート、カーボネートまたはそれらの混合物でキャップされている；（２）ヘキサメチレンジアミンの窒素原子１個当たり１つのＣ１〜Ｃ４アルキル部分の置換および１つまたは２つのアルコキシル化修飾。修飾１つ当たり約１〜約４０のアルコキシ部分の平均を有する（ポリ）アルコキシレン鎖による水素原子の置き換えからなるアルコキシル化修飾、ここで、アルコキシレン鎖の終端アルコキシ部分は、水素、Ｃ１〜Ｃ４アルキルまたはそれらの混合物でキャップされている；または（３）それらの組合せ。
【０１０６】
アルコキシル化ポリカルボキシレート、たとえばポリアクリレートから調製されたものは、ここで、追加のグリース除去性能を提供するために有用である。そのような材料は、ＷＯ９１／０８２８１およびＰＣＴ９０／０１８１５において記載されている。化学的に、これらの材料は、７〜８つのアクリレート単位ごとに１つのエトキシ側鎖を有するポリアクリレートを含む。側鎖は、式−（ＣＨ２ＣＨ２Ｏ）ｍ（ＣＨ２）ｎＣＨ３のものであり、式中、ｍは、２〜３であり、ｎは、６〜１２である。側鎖は、ポリアクリレート「主鎖」とエステル結合して、「コーム」ポリマー型構造を提供する。分子量は、変動し得るが、典型的には、約２０００〜約５０，０００の範囲内である。そのようなアルコキシル化ポリカルボキシレートは、重量でここでの組成物の約０．０５％〜約１０％を構成することができる。
【０１０７】
別の好適なカルボキシレートポリマーは、（ｉ）カルボキシル基を含む１種以上のモノマーから得られる５０〜９８重量％未満の構造単位；（ｉｉ）スルホネート部分を含む１種以上のモノマーから得られる１〜４９重量％未満の構造単位；ならびに（ｉｉｉ）式（Ｉ）および（ＩＩ）：
【０１０８】
【化１３】
2021501254.tif 000015
【０１０９】
［式（Ｉ）中、Ｒ０は、水素原子またはＣＨ３基を表し、Ｒは、ＣＨ２基、ＣＨ２ＣＨ２基または単結合を表し、Ｘは、０〜５の数字を表し、ただし、Ｒが単結合である場合、Ｘは、１〜５の数字を表し、Ｒ１は、水素原子またはＣ１〜Ｃ２０有機基である］
【０１１０】
【化１４】
2021501254.tif 000016
【０１１１】
［式（ＩＩ）中、Ｒ０は、水素原子またはＣＨ３基を表し、Ｒは、ＣＨ２基、ＣＨ２ＣＨ２基または単結合を表し、Ｘは、０〜５の数字を表し、Ｒ１は、水素原子またはＣ１〜Ｃ２０有機基である］
によって表されるエーテル結合含有モノマーから選択される１種類以上のモノマーから得られる１〜４９重量％の構造単位を含む、コポリマーである。
【０１１２】
ポリマーは、少なくとも５０ｋＤａ、またはさらには少なくとも７０ｋＤａの重量平均分子量を有することが好ましい場合がある。
【０１１３】
他の好適なポリマーは、両親媒性グラフトコポリマーを含む。好ましい両親媒性グラフトコポリマーは、（ｉ）ポリエチレングリコール主鎖；ならびに（ｉｉ）ポリ酢酸ビニル、ポリビニルアルコールおよびそれらの混合物から選択される少なくとも１つのペンダント部分を含む。好ましい両親媒性グラフトコポリマーは、ＢＡＳＦから供給されるＳｏｋａｌａｎ  ＨＰ２２である。他の好適なポリマーは、ランダムグラフトコポリマー、好ましくはポリエチレンオキシド主鎖および複数のポリ酢酸ビニル側鎖を有するポリ酢酸ビニルグラフト化ポリエチレンオキシドコポリマーを含む。ポリエチレンオキシド主鎖の分子量は、好ましくは約６０００であり、ポリエチレンオキシドとポリ酢酸ビニルとの重量比は、約４０〜６０であり、５０個のエチレンオキシド単位当たり１つ以下のグラフト化点である。典型的には、これらは、本発明の組成物に、０．００５〜１０重量％、より通常は０．０５〜８重量％の量で組み込まれる。
【０１１４】
組成物は、１種以上の汚れ放出ポリマーを含んでいてもよい。例は、下記の式（ＶＩ）、（ＶＩＩ）または（ＶＩＩＩ）：
（ＶＩ）  −［（ＯＣＨＲ１−ＣＨＲ２）ａ−Ｏ−ＯＣ−Ａｒ−ＣＯ−］ｄ
（ＶＩＩ）  −［（ＯＣＨＲ３−ＣＨＲ４）ｂ−Ｏ−ＯＣ−ｓＡｒ−ＣＯ−］ｅ
（ＶＩＩＩ）  −［（ＯＣＨＲ５−ＣＨＲ６）ｃ−ＯＲ７］ｆ
［式中、
ａ、ｂおよびｃは、１〜２００であり、
ｄ、ｅおよびｆは、１〜５０であり、
Ａｒは、１，４−置換フェニレンであり、
ｓＡｒは、５位においてＳＯ３Ｍｅで置換されている１，３−置換フェニレンであり、
Ｍｅは、Ｌｉ、Ｋ、Ｍｇ／２、Ｃａ／２、Ａｌ／３、アンモニウム、モノ−、ジ−、トリ−もしくはテトラアルキルアンモニウムであり、ここで、アルキル基は、Ｃ１〜Ｃ１８アルキルまたはＣ２〜Ｃ１０ヒドロキシアルキルまたはそれらの混合物であり、
Ｒ１、Ｒ２、Ｒ３、Ｒ４、Ｒ５およびＲ６は、ＨまたはＣ１〜Ｃ１８ｎ−もしくはイソ−アルキルから独立して選択され、
Ｒ７は、直鎖状もしくは分枝Ｃ１〜Ｃ１８アルキル、または直鎖状もしくは分枝Ｃ２〜Ｃ３０アルケニル、または５〜９個の炭素原子を持つシクロアルキル基、またはＣ８〜Ｃ３０アリール基、またはＣ６〜Ｃ３０アリールアルキル基である］
の１つによって定義される通りの構造を有する汚れ放出ポリマーを含む。
【０１１５】
好適な汚れ放出ポリマーは、ポリエステル汚れ放出ポリマー、たとえばＲｈｏｄｉａによって供給される、Ｒｅｐｅｌ−ｏ−ｔｅｘ  ＳＦ、ＳＦ−２およびＳＲＰ６を含む、Ｒｅｐｅｌ−ｏ−ｔｅｘポリマーである。他の好適な汚れ放出ポリマーは、Ｃｌａｒｉａｎｔによって供給される、Ｔｅｘｃａｒｅ  ＳＲＡ１００、ＳＲＡ３００、ＳＲＮ１００、ＳＲＮ１７０、ＳＲＮ２４０、ＳＲＮ３００およびＳＲＮ３２５を含む、Ｔｅｘｃａｒｅポリマーを含む。他の好適な汚れ放出ポリマーは、Ｍａｒｌｏｑｕｅｓｔポリマー、たとえばＳａｓｏｌによって供給される、Ｍａｒｌｏｑｕｅｓｔ  ＳＬである。
【０１１６】
組成物は、アルキルセルロース、アルキルアルコキシアルキルセルロース、カルボキシアルキルセルロース、アルキルカルボキシアルキルセルロースから選択されるものを含む、１種以上のセルロース系ポリマーも含んでいてもよい。好ましいセルロース系ポリマーは、カルボキシメチルセルロース、メチルセルロース、メチルヒドロキシエチルセルロース、メチルカルボキシメチルセルロースおよびそれらの混合物を含む群から選択される。
一側面において、カルボキシメチルセルロースは、０．５〜０．９のカルボキシメチル置換度および１００，０００Ｄａ〜３００，０００Ｄａの分子量を有する。
【０１１７】
汚れ放出ポリマー：組成物は、汚れ放出ポリマーを含んでいてもよい。好適な汚れ放出ポリマーは、下記の構造（Ｉ）、（ＩＩ）または（ＩＩＩ）：
（Ｉ）  −［（ＯＣＨＲ１−ＣＨＲ２）ａ−Ｏ−ＯＣ−Ａｒ−ＣＯ−］ｄ
（ＩＩ）  −［（ＯＣＨＲ３−ＣＨＲ４）ｂ−Ｏ−ＯＣ−ｓＡｒ−ＣＯ−］ｅ
（ＩＩＩ）  −［（ＯＣＨＲ５−ＣＨＲ６）ｃ−ＯＲ７］ｆ
［式中、
ａ、ｂおよびｃは、１〜２００であり、
ｄ、ｅおよびｆは、１〜５０であり、
Ａｒは、１，４−置換フェニレンであり、
ｓＡｒは、５位においてＳＯ３Ｍｅで置換されている１，３−置換フェニレンであり、
Ｍｅは、Ｌｉ、Ｋ、Ｍｇ／２、Ｃａ／２、Ａｌ／３、アンモニウム、モノ−、ジ−、トリ−またはテトラアルキルアンモニウムであり、ここで、アルキル基は、Ｃ１〜Ｃ１８アルキルまたはＣ２〜Ｃ１０ヒドロキシアルキルまたはそれらの混合物であり、
Ｒ１、Ｒ２、Ｒ３、Ｒ４、Ｒ５およびＲ６は、ＨまたはＣ１〜Ｃ１８ｎ−もしくはイソ−アルキルから独立して選択され、
Ｒ７は、直鎖状もしくは分枝Ｃ１〜Ｃ１８アルキル、または直鎖状もしくは分枝Ｃ２〜Ｃ３０アルケニル、または５〜９個の炭素原子を持つシクロアルキル基、またはＣ８〜Ｃ３０アリール基、またはＣ６〜Ｃ３０アリールアルキル基である］
の１つによって定義されている通りの構造を有する。
【０１１８】
好適な汚れ放出ポリマーは、Ｃｌａｒｉａｎｔによって、ＴｅｘＣａｒｅ（登録商標）シリーズのポリマー、たとえばＴｅｘＣａｒｅ（登録商標）ＳＲＮ２４０およびＴｅｘＣａｒｅ（登録商標）ＳＲＡ３００で販売されている。他の好適な汚れ放出ポリマーは、Ｓｏｌｖａｙによって、Ｒｅｐｅｌ−ｏ−Ｔｅｘ（登録商標）シリーズのポリマー、たとえば、Ｒｅｐｅｌ−ｏ−Ｔｅｘ（登録商標）ＳＦ２およびＲｅｐｅｌ−ｏ−Ｔｅｘ（登録商標）Ｃｒｙｓｔａｌで販売されている。
【０１１９】
公知のポリマー性汚れ放出剤、以後「ＳＲＡ」または「ＳＲＡ’ｓ」は、本発明の洗剤組成物において任意に使用されることができる。利用される場合、ＳＲＡ’ｓは、概して、重量で組成物の０．０１％〜１０．０％、典型的には０．１％〜５％、好ましくは０．２％〜３．０％を構成することになる。
【０１２０】
好ましいＳＲＡ’ｓは、典型的には、疎水性繊維、たとえばポリエステルおよびナイロンの表面を親水化するための親水性セグメント、ならびに、洗浄およびリンスサイクルの完了を介して疎水性繊維に堆積し、それに接着したままであり、それにより、親水性セグメントのためのアンカーとしての働きをするための疎水性セグメントを有する。これは、ＳＲＡによる処理の後で出現する染色を、後の洗浄手順においてより簡単にクリーニングすることができる。
【０１２１】
ＳＲＡ’ｓは、たとえば、多様な荷電、たとえば、アニオン性またはさらにはカチオン性（米国特許第４，９５６，４４７号を参照）を含むことができ、ならびに、非荷電モノマー単位および構造は、直鎖状、分枝またはさらには星形であってもよい。これらは、分子量を制御するまたは物理的もしくは表面活性特性を変更する際にとりわけ有効な、キャッピング部分を含んでいてもよい。構造および電荷分布は、異なる繊維またはテキスタイルタイプへの適用および多様な洗剤または洗剤添加剤製品に適合されていてもよい。好適な汚れ放出ポリマーは、ポリエステル汚れ放出ポリマー、たとえば、Ｒｈｏｄｉａによって供給される、Ｒｅｐｅｌ−ｏ−ｔｅｘ、ＳＦ−２およびＳＲＰ６を含むＲｅｐｅｌ−ｏ−ｔｅｘポリマーである。他の好適な汚れ放出ポリマーは、Ｃｌａｒｉａｎｔによって供給される、Ｔｅｘｃａｒｅ  ＳＲＡ１００、ＳＲＡ３００、ＳＲＮ１００、ＳＲＮ１７０、ＳＲＮ２４０、ＳＲＮ３００およびＳＲＮ３２５を含むＴｅｘｃａｒｅポリマーを含む。他の好適な汚れ放出ポリマーは、Ｍａｒｌｏｑｕｅｓｔポリマー、たとえばＳａｓｏｌによって供給されるＭａｒｌｏｑｕｅｓｔ  ＳＬである。ＳＲＡｓの例は、米国特許第４，９６８，４５１号、同第４，７１１，７３０号、同第４，７２１，５８０号、同第４，７０２，８５７号、同第４，８７７，８９６号、同第３，９５９，２３０号、同第３，８９３，９２９号、同第４，０００，０９３号、同第５，４１５，８０７号、同第４，２０１，８２４号、同第４，２４０，９１８号、同第４，５２５，５２４号、同第４，２０１，８２４号、同第４，５７９，６８１号および同第４，７８７，９８９号、欧州特許出願第０２１９０４８号、同第２７９，１３４Ａ号、同第４５７，２０５Ａ号；およびＤＥ２，３３５，０４４において記載されている。
【０１２２】
カルボキシレートポリマー：組成物は、カルボキシレートポリマー、たとえばマレエート／アクリレートランダムコポリマーまたはポリアクリレートホモポリマーを含んでいてもよい。好適なカルボキシレートポリマーは、４，０００Ｄａ〜９，０００Ｄａの分子量を有するポリアクリレートホモポリマー；５０，０００Ｄａ〜１００，０００Ｄａ、または６０，０００Ｄａ〜８０，０００Ｄａの分子量を有するマレエート／アクリレートランダムコポリマーを含む。
【０１２３】
あるいは、これらの材料は、７〜８つのアクリレート単位ごとに１つのエトキシ側鎖を有するポリアクリレートを含んでいてもよい。側鎖は、式−（ＣＨ２ＣＨ２Ｏ）ｍ（ＣＨ２）ｎＣＨ３のものであり、式中、ｍは、２〜３であり、ｎは、６〜１２である。側鎖は、ポリアクリレート「主鎖」とエステル結合して、「コーム」ポリマー型構造を提供する。分子量は、変動し得るが、典型的には、約２０００〜約５０，０００の範囲内である。
そのようなアルコキシル化ポリカルボキシレートは、重量でここでの組成物の約０．０５％〜約１０％を構成することができる。
【０１２４】
別の好適なカルボキシレートポリマーは、（ｉ）カルボキシル基を含む１種以上のモノマーから得られる５０〜９８重量％未満の構造単位；（ｉｉ）スルホネート部分を含む１種以上のモノマーから得られる１〜４９重量％未満の構造単位；ならびに（ｉｉｉ）式（Ｉ）および（ＩＩ）：
【０１２５】
【化１５】
2021501254.tif 000017
【０１２６】
［式（Ｉ）中、Ｒ０は、水素原子またはＣＨ３基を表し、Ｒは、ＣＨ２基、ＣＨ２ＣＨ２基または単結合を表し、Ｘは、０〜５の数字を表し、ただし、Ｒが単結合である場合、Ｘは、１〜５の数字を表し、Ｒ１は、水素原子またはＣ１〜Ｃ２０有機基である］
【０１２７】
【化１６】
2021501254.tif 000018
【０１２８】
［式（ＩＩ）中、Ｒ０は、水素原子またはＣＨ３基を表し、Ｒは、ＣＨ２基、ＣＨ２ＣＨ２基または単結合を表し、Ｘは、０〜５の数字を表し、Ｒ１は、水素原子またはＣ１〜Ｃ２０有機基である］
によって表されるエーテル結合含有モノマーから選択される１種類以上のモノマーから得られる１〜４９重量％の構造単位を含む、コポリマーである。
【０１２９】
ポリマーは、少なくとも５０ｋＤａ、またはさらには少なくとも７０ｋＤａの重量平均分子量を有することが好ましい場合がある。
【０１３０】
そのようなカルボキシレートベースのポリマーは、ここでの組成物において、重量で約０．１％〜約７％のレベルで有利に利用されることができる。好適なポリマー性分散剤は、カルボキシレートポリマー、たとえばマレエート／アクリレートランダムコポリマーまたはポリアクリレートホモポリマーを含む。好ましくは、カルボキシレートポリマーは、４，０００ダルトン〜９，０００ダルトンの分子量を有するポリアクリレートホモポリマー、または６０，０００ダルトン〜８０，０００ダルトンの分子量を有するマレエート／アクリレートコポリマーである。ポリマー性ポリカルボキシレートおよびポリエチレングリコールを使用することもできる。ポリアルキレングリコールベースのグラフトポリマーは、ポリアルキレングリコールベースの化合物およびモノマー材料から調製されていてもよく、ここで、モノマー材料は、カルボキシル基含有モノマーおよび任意選択の追加のモノマーを含む。カルボキシル基含有モノマーとして分類されない任意選択の追加のモノマーは、スルホン酸基含有モノマー、アミノ基含有モノマー、アリルアミンモノマー、四級化アリルアミンモノマー、Ｎビニルモノマー、ヒドロキシル基含有モノマー、ビニルアリールモノマー、イソブチレンモノマー、酢酸ビニルモノマー、これらの何れかの塩、これらの何れかの誘導体、およびそれらの混合物を含む。理論によって限定されることを意図しないが、ポリマー性分散剤は、結晶成長阻害、粒子状汚れ放出ペプチゼーションおよび再付着防止によって他のビルダー（より低分子量のポリカルボキシレートを含む）と組み合わせて使用される場合、全体的な洗剤ビルダー性能を増強すると考えられている。ポリマー性分散剤の例は、米国特許第３，３０８，０６７号、欧州特許出願第６６９１５号、ＥＰ１９３，３６０およびＥＰ１９３，３６０において見られる。
【０１３１】
アルコキシル化ポリアミンベースのポリマー：組成物は、アルコキシル化ポリアミンを含んでいてもよい。そのような材料は、エトキシル化ポリエチレンイミン、エトキシル化ヘキサメチレンジアミンおよびそれらの硫酸化バージョンを含むがこれらに限定されない。ポリプロポキシル化誘導体も含まれる。多種多様なアミンおよびポリアルキレンイミンを種々の程度にアルコキシル化し、任意にさらに修飾して、前述した利益を提供することができる。有用な例は、ＮＨ１つ当たり２０のＥＯ基にエトキシル化された６００ｇ／ｍｏｌのポリエチレンイミンコアであり、ＢＡＳＦから入手可能である。
【０１３２】
有用なアルコキシル化ポリアミンベースのポリマーは、アルコキシル化ポリエチレンイミンタイプを含み、ここで、前記アルコキシル化ポリアルキレンイミンは、ポリアルキレンイミンコア中の少なくとも１個の窒素原子と結合している１つ以上の側鎖を持つポリアルキレンイミンコアを有し、ここで、前記アルコキシル化ポリアルキレンイミンは、（ＰＥＩ）ａ−（ＥＯ）ｂ−Ｒ１の実験式（Ｉ）を有し、式中、ａは、アルコキシル化ポリアルキレンイミンのポリアルキレンイミンコアの平均数−平均分子量（ＭＷＰＥＩ）であり、１００〜１００，０００ダルトンの範囲内であり、ｂは、アルコキシル化ポリアルキレンイミンの前記１つ以上の側鎖中の平均エトキシル化度であり、５〜４０の範囲内であり、Ｒ１は、水素、Ｃ１〜Ｃ４アルキルおよびそれらの組合せからなる群から独立して選択される。
【０１３３】
他の好適なアルコキシル化ポリアルキレンイミンは、前記アルコキシル化ポリアルキレンイミンが、ポリアルキレンイミンコア中の少なくとも１個の窒素原子と結合している１つ以上の側鎖を持つポリアルキレンイミンコアを有するものを含み、ここで、アルコキシル化ポリアルキレンイミンは、（ＰＥＩ）ｏ−（ＥＯ）ｍ（ＰＯ）ｎ−Ｒ２または（ＰＥＩ）ｏ−（ＰＯ）ｎ（ＥＯ）ｍ−Ｒ２の実験式（ＩＩ）を有し、式中、ｏは、アルコキシル化ポリアルキレンイミンのポリアルキレンイミンコアの平均数−平均分子量（ＭＷＰＥＩ）であり、１００〜１００，０００ダルトンの範囲内であり、ｍは、アルコキシル化ポリアルキレンイミンの前記１つ以上の側鎖中の平均エトキシル化度であり、これは、１０〜５０の範囲であり、ｎは、アルコキシル化ポリアルキレンイミンの前記１つ以上の側鎖中の平均プロポキシル化度であり、これは、１〜５０の範囲であり、Ｒ２は、水素、Ｃ１〜Ｃ４アルキルおよびそれらの組合せからなる群から独立して選択される。
【０１３４】
両親媒性グラフトコポリマー：両親媒性グラフトコポリマーも、本発明に従って使用されていてもよい。とりわけ有用なポリマーは、（ｉ）ポリエチレングリコール主鎖；ならびに（ｉｉ）ポリ酢酸ビニル、ポリビニルアルコールおよびそれらの混合物から選択される少なくとも１つのペンダント部分を含むものを含み、本発明においても有用である。好適なポリエチレングリコールポリマーは、（ｉ）ポリエチレングリコールを含む親水性主鎖；ならびに（ｉｉ）Ｃ４〜Ｃ２５アルキル基、ポリプロピレン、ポリブチレン、飽和Ｃ１〜Ｃ６モノ−カルボン酸のビニルエステル、アクリル酸またはメタクリル酸のＣ１〜Ｃ６アルキルエステル、およびそれらの混合物からなる群から選択される疎水性側鎖を含む、ランダムグラフトコポリマーを含む。好適なポリエチレングリコールポリマーは、ランダムグラフト化ポリ酢酸ビニル側鎖を持つポリエチレングリコール主鎖を有する。ポリエチレングリコール主鎖の平均分子量は、２，０００Ｄａ〜２０，０００Ｄａ、または４，０００Ｄａ〜８，０００Ｄａの範囲内であることができる。ポリエチレングリコール主鎖とポリ酢酸ビニル側鎖との分子量比は、１：１〜１：５、または１：１．２〜１：２の範囲内であることができる。エチレンオキシド単位当たりのグラフト部位の平均数は、１未満もしくは０．８未満であることができるか、エチレンオキシド単位当たりのグラフト部位の平均数は、０．５〜０．９の範囲内であることができるか、または、エチレンオキシド単位当たりのグラフト部位の平均数は、０．１〜０．５もしくは０．２〜０．４の範囲内であることができる。好適なポリエチレングリコールポリマーは、Ｓｏｋａｌａｎ  ＨＰ２２である。好適なポリエチレングリコールポリマーは、ＷＯ０８／００７３２０において記載されている。
【０１３５】
セルロース系ポリマー：セルロース系ポリマーは、本発明に従って使用されていてもよい。好適なセルロース系ポリマーは、アルキルセルロース、アルキルアルコキシアルキルセルロース、カルボキシアルキルセルロース、アルキルカルボキシアルキルセルロース、スルホアルキルセルロースから選択され、より好ましくは、カルボキシメチルセルロース、メチルセルロース、メチルヒドロキシエチルセルロース、メチルカルボキシメチルセルロースおよびそれらの混合物から選択される。
【０１３６】
好適なカルボキシメチルセルロースは、０．５〜０．９のカルボキシメチル置換度および１００，０００Ｄａ〜３００，０００Ｄａの分子量を有する。
【０１３７】
好適なカルボキシメチルセルロースは、たとえば、ＷＯ０９／１５４９３３において記載されている通り、０．６５より大きい置換度および０．４５より大きいブロッキネス度を有する。
【０１３８】
本発明の消費者製品は、アルキルセルロース、アルキルアルコキシアルキルセルロース、カルボキシアルキルセルロース、アルキルカルボキシアルキルセルロースから選択されるものを含む、１種以上のセルロース系ポリマーも含んでいてもよい。一側面において、セルロース系ポリマーは、カルボキシメチルセルロース、メチルセルロース、メチルヒドロキシエチルセルロース、メチルカルボキシメチルセルロースおよびそれらの混合物を含む群から選択される。一側面において、カルボキシメチルセルロースは、０．５〜０．９のカルボキシメチル置換度および１００，０００Ｄａ〜３００，０００Ｄａの分子量を有する。カルボキシメチルセルロースポリマーの例は、ＣＰＫｅｌｋｏによってＦｉｎｎｆｉｘ（登録商標）ＧＤＡとして商業的に販売されているカルボキシメチルセルロース、疎水的に修飾されたカルボキシメチルセルロース、たとえば、ＣＰＫｅｌｃｏによってＦｉｎｎｆｉｘ（登録商標）ＳＨ１として商業的に販売されているカルボキシメチルセルロースのアルキルケテンダイマー誘導体、またはＣＰＫｅｌｃｏによってＦｉｎｎｆｉｘ（登録商標）Ｖとして商業的に販売されているブロッキーなカルボキシメチルセルロースである。
【０１３９】
カチオン性ポリマー：カチオン性ポリマーも本発明に従って使用されていてもよい。好適なカチオン性ポリマーは、少なくとも０．５ｍｅｑ／ｇｍ、別の態様において少なくとも０．９ｍｅｑ／ｇｍ、別の態様において少なくとも１．２ｍｅｑ／ｇｍ、また別の態様において少なくとも１．５ｍｅｑ／ｇｍであるが、また、一態様において７ｍｅｑ／ｇｍ未満、および別の態様において５ｍｅｑ／ｇｍ未満のカチオン性電荷密度を、組成物の使用意図のｐＨで有することになり、このｐＨは、概して、ｐＨ３〜ｐＨ９、一態様においてｐＨ４乃至ｐＨ８の範囲となる。ここで、ポリマーの「カチオン性電荷密度」は、ポリマー上の正電荷の数とポリマーの分子量との比を指す。そのような好適なカチオン性ポリマーの平均分子量は、概して、１０，０００乃至１，０００万、一態様において５０，０００乃至５００万、および別の態様において１００，０００乃至３００万となる。
【０１４０】
本発明の組成物において使用するための好適なカチオン性ポリマーは、カチオン性窒素含有部分、たとえば第四級アンモニウムまたはカチオン性プロトン化アミノ部分を含有する。ポリマーが、水に、組成物に、もしくは組成物のコアセルベート相に可溶性のままである限り、ならびに対イオンが組成物の必須成分と物理的にかつ化学的に相溶性であるか、または製品の性能、安定性もしくは美観を別様に不当に損ねない限り、任意のアニオン性対イオンをカチオン性ポリマーと併せて使用することができる。そのような対イオンの非限定的な例は、ハロゲン化物（たとえば、塩化物、フッ化物、臭化物、ヨウ化物）、スルフェートおよびメチルスルフェートを含む。
【０１４１】
そのようなポリマーの非限定的な例は、ＣＴＦＡ  Ｃｏｓｍｅｔｉｃ  Ｉｎｇｒｅｄｉｅｎｔ  Ｄｉｃｔｉｏｎａｒｙ、第３版、Ｅｓｔｒｉｎ、ＣｒｏｓｌｅｙおよびＨａｙｎｅｓ編（Ｔｈｅ  Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ，Ｉｎｃ．、Ｗａｓｈｉｎｇｔｏｎ，Ｄ．Ｃ．（１９８２））において記載されている。
【０１４２】
本発明に従って使用されていてもよいとりわけ有用なカチオン性ポリマーは、前記カチオン性ポリマーが、カチオン性セルロース、カチオン性グアー、ポリ（アクリルアミド−コ−ジアリルジメチルアンモニウムクロリド）、ポリ（アクリルアミド−コ−ジアリルジメチルアンモニウムクロリド−コ−アクリル酸）、ポリ（アクリルアミド−コ−メタクリロアミドプロピル−ペンタメチル−１，３−プロピレン−２−オール−アンモニウムジクロリド）、ポリ（アクリルアミド−コ−Ｎ，Ｎ−ジメチルアミノエチルアクリレート）およびその四級化誘導体、ポリ（アクリルアミド−コ−Ｎ，Ｎ−ジメチルアミノエチルメタクリレート）およびその四級化誘導体、ポリ（アクリルアミド−メタクリルアミドプロピルトリメチルアンモニウムクロリド）、ポリ（アクリルアミド−メタクリルアミドプロピルトリメチルアンモニウムクロリド−コ−アクリル酸）、ポリ（ジアリルジメチルアンモニウムクロリド）、ポリ（ジアリルジメチルアンモニウムクロリド−コ−アクリル酸）、ポリ（エチルメタクリレート−コ−オレイルメタクリレート−コ−ジエチルアミノエチルメタクリレート）およびその四級化誘導体、ポリ（エチルメタクリレート−コ−ジメチルアミノエチルメタクリレート）およびその四級化誘導体、ポリ（ヒドロキシプロピルアクリレート−コ−メタクリルアミドプロピルトリメチルアンモニウムクロリド）およびその四級化誘導体、ポリ（ヒドロキシエチルアクリレート−コ−ジメチルアミノエチルメタクリレート）およびその四級化誘導体、ポリ（メチルアクリルアミド−コ−ジメチルアミノエチルアクリレート）およびその四級化誘導体、ポリ（メタクリレート−コ−メタクリルアミドプロピルトリメチルアンモニウムクロリド）、ポリ（ビニルホルムアミド−コ−アクリル酸−コ−ジアリルジメチルアンモニウムクロリド）、ポリ（ビニルホルムアミド−コ−ジアリルジメチルアンモニウムクロリド）、ポリ（ビニルピロリドン−コ−アクリルアミド−コ−ビニルイミダゾール）およびその四級化誘導体、ポリ（ビニルピロリドン−コ−ジメチルアミノエチルメタクリレート）およびその四級化誘導体、ポリ（ビニルピロリドン−コ−メタクリルアミド−コ−ビニルイミダゾール）およびその四級化誘導体、ポリ（ビニルピロリドン−コ−ビニルイミダゾール）およびその四級化誘導体、ポリエチレンイミンおよびその四級化誘導体を含む、ならびにそれらの混合物からなる群から選択されるポリマーを含む場合を含む。
【０１４３】
組成物において使用するための他の好適なカチオン性ポリマーは、多糖ポリマー、カチオン性グアーガム誘導体、第四級窒素含有セルロースエーテル、合成ポリマー、エーテル化セルロース、グアーおよびデンプンのコポリマーを含む。使用する場合、ここでのカチオン性ポリマーは、組成物に可溶性であるか、または以上で記載したカチオン性ポリマーならびにアニオン性、両性および／もしくは両性イオン性界面活性剤成分によって形成された組成物中の複合コアセルベート相に可溶性であるかの何れかである。カチオン性ポリマーの複合コアセルベートは、組成物中の他の荷電材料と形成することもできる。
【０１４４】
好適なカチオン性ポリマーは、米国特許第３，９６２，４１８号、同第３，９５８，５８１号、および米国公開第２００７／０２０７１０９Ａ１号において記載されている。
染料移行阻害剤（ＤＴＩ）
組成物は、１種以上の染料移行阻害剤を含んでいてもよい。本発明の一態様において、本発明者らは、驚くべきことに、指定された染料に加えてポリマー性染料移行阻害剤を含む組成物が、性能の改良を与えることを見出した。これは、これらのポリマーが染料堆積を防止することから、驚くべきことである。好適な染料移行阻害剤は、ポリビニルピロリドンポリマー、ポリアミンＮ−オキシドポリマー、Ｎ−ビニルピロリドンおよびＮ−ビニルイミダゾール、ポリビニルオキサゾリドンおよびポリビニルイミダゾールのコポリマーまたはそれらの混合物を含むがこれらに限定されない。好適な例は、Ａｓｈｌａｎｄ  Ａｑｕａｌｏｎ製の、ＰＶＰ−Ｋ１５、ＰＶＰ−Ｋ３０、ＣｈｒｏｍａＢｏｎｄ  Ｓ−４００、ＣｈｒｏｍａＢｏｎｄ  Ｓ−４０３ＥおよびＣｈｒｏｍａｂｏｎｄ  Ｓ−１００、ならびに、ＢＡＳＦ製の、Ｓｏｋａｌａｎ  ＨＰ１６５、Ｓｏｋａｌａｎ  ＨＰ５０、Ｓｏｋａｌａｎ  ＨＰ５３、Ｓｏｋａｌａｎ  ＨＰ５９、Ｓｏｋａｌａｎ（登録商標）ＨＰ５６Ｋ、Ｓｏｋａｌａｎ（登録商標）ＨＰ６６を含む。染料制御剤は、（ｉ）スルホン化フェノール／ホルムアルデヒドポリマー；（ｉｉ）尿素誘導体；（ｉｉｉ）エチレン性不飽和モノマーのポリマーであって、染料で分子刷り込みされているポリマー；（ｉｖ）水不溶性ポリアミドからなる繊維であって、約２μｍ以下の平均直径を有する繊維；（ｖ）ベンゾオキサジンモノマー化合物を重合することにより取得可能なポリマー；および（ｖｉ）それらの組合せから選択されていてもよい。他の好適なＤＴＩは、ＷＯ２０１２／００４１３４において記載されている通りである。主題組成物中に存在する場合、染料移行阻害剤は、重量で組成物の約０．０００１％〜約１０％、約０．０１％〜約５％またはさらには約０．１％〜約３％のレベルで存在していてもよい。
【０１４５】
他の水溶性ポリマー：水溶性ポリマーの例は、ポリビニルアルコール（ＰＶＡ）、修飾ＰＶＡ；ポリビニルピロリドン；ＰＶＡコポリマー、たとえばＰＶＡ／ポリビニルピロリドンおよびＰＶＡ／ポリビニルアミン；部分加水分解ポリ酢酸ビニル；ポリアルキレンオキシド、たとえばポリエチレンオキシド；ポリエチレングリコール；アクリルアミド；アクリル酸；セルロース、アルキルセルロース系、たとえばメチルセルロース、エチルセルロースおよびプロピルセルロース；セルロースエーテル；セルロースエステル；セルロースアミド；ポリ酢酸ビニル；ポリカルボン酸および塩；ポリアミノ酸またはペプチド；ポリアミド；ポリアクリルアミド；マレイン酸／アクリル酸のコポリマー；デンプン、化工デンプンを含む多糖；ゼラチン；アルギネート；キシログルカン、他のヘミセルロース多糖（キシラン、グルクロノキシラン、アラビノキシラン、マンナン、グルコマンナンおよびガラクトグルコマンナンを含む）；および天然ガム、たとえばペクチン、キサンタンおよびカラギーナン、ローカストビーン、アラビア、トラガカント；ならびにそれらの組合せを含むがこれらに限定されない。
【０１４６】
アミンの非限定的な例は、エーテルアミン、環状アミン、ポリアミン、オリゴアミン（たとえば、トリアミン、ジアミン、ペンタミン、テトラアミン）またはそれらの組合せを含むがこれらに限定されない。ここで記載されている組成物は、オリゴアミン、エーテルアミン、環状アミンおよびそれらの組合せからなる群から選択されるアミンを含んでいてもよい。一部の側面において、アミンは、アルカノールアミンではない。一部の側面において、アミンは、ポリアルキレンイミンではない。
【０１４７】
好適なオリゴアミンの例は、テトラエチレンペンタミン、トリエチレンテトラミン、ジエチレントリアミンおよびそれらの混合物を含む。
【０１４８】
エーテルアミン：ここで記載されているクリーニング組成物は、エーテルアミンを含有していてもよい。クリーニング組成物は、重量で組成物の約０．１％〜約１０％、または約０．２％〜約５％、または約０．５％〜約４％のエーテルアミンを含有していてもよい。
【０１４９】
本開示のエーテルアミンは、約１０００グラム／モル未満、または約１００〜約８００グラム／モル、または約２００〜約４５０グラム／モル、または約２９０〜約１０００グラム／モル、または約２９０〜約９００グラム／モル、または約３００〜約７００グラム／モル、または約３００〜約４５０グラム／モルの重量平均分子量を有していてもよい。
本発明のエーテルアミンは、約１５０、または約２００、または約３５０、または約５００グラム／モル〜約１０００、または〜約９００、または〜約８００グラム／モルの重量平均分子量を有していてもよい。
【０１５０】
アルコキシル化フェノール化合物：本開示のクリーニング組成物は、アルコキシル化フェノール化合物を含んでいてもよい。アルコキシル化フェノール化合物は、アルコキシル化ポリアリールフェノール化合物、アルコキシル化ポリアルキルフェノール化合物およびそれらの混合物からなる群から選択されていてもよい。アルコキシル化フェノール化合物は、アルコキシル化ポリアリールフェノール化合物であってもよい。アルコキシル化フェノール化合物は、アルコキシル化ポリアルキルフェノール化合物であってもよい。
【０１５１】
アルコキシル化フェノール化合物は、クリーニング組成物中に、重量でクリーニング組成物の約０．２％〜約１０％、または約０．５％〜約５％のレベルで存在していてもよい。
【０１５２】
アルコキシル化フェノール化合物は、２８０乃至２８８０の重量平均分子量を有していてもよい。
【０１５３】
酵素。好ましくは、組成物は、１種以上の酵素を含む。好ましい酵素は、クリーニング性能および／または織物ケア有益剤を提供する。好適な酵素の例は、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼおよびアミラーゼ、またはそれらの混合物を含むがこれらに限定されない。典型的な組合せは、たとえば、プロテアーゼおよびリパーゼをアミラーゼとともに含んでいてもよい、酵素カクテルである。組成物中に存在する場合、前述の追加の酵素は、重量で組成物の約０．００００１％〜約２％、約０．０００１％〜約１％またはさらには約０．００１％〜約０．５％の酵素タンパク質のレベルで存在していてもよい。
【０１５４】
プロテアーゼ。好ましくは、組成物は、１種以上のプロテアーゼを含む。好適なプロテアーゼは、メタロプロテアーゼ、および中性またはアルカリ性微生物セリンプロテアーゼ、たとえばスブチリシン（ＥＣ  ３．４．２１．６２）を含むセリンプロテアーゼを含む。好適なプロテアーゼは、動物、植物または微生物起源のものを含む。一側面において、そのような好適なプロテアーゼは、微生物起源のものであってもよい。好適なプロテアーゼは、前述の好適なプロテアーゼの化学的にまたは遺伝的に修飾された変異体を含む。一側面において、好適なプロテアーゼは、セリンプロテアーゼ、たとえばアルカリ性微生物プロテアーゼおよび／またはトリプシン型プロテアーゼであってもよい。好適な中性またはアルカリ性プロテアーゼの例は、次のものを含む：
（ａ）ＵＳ６，３１２，９３６Ｂ１、ＵＳ５，６７９，６３０、ＵＳ４，７６０，０２５、ＵＳ７，２６２，０４２およびＷＯ０９／０２１８６７において記載されている、バチルス（Bacillus）、たとえばバチルス・レンタス（Bacillus lentus）、Ｂ．アルカロフィルス（B. alkalophilus）、枯草菌（B. subtilis）、Ｂ．アミロリケファシエンス（B. amyloliquefaciens）、バチルス・プミルス（Bacillus pumilus）およびバチルス・ギブソニー（Bacillus gibsonii）由来のものを含む、スブチリシン（ＥＣ  ３．４．２１．６２）。
（ｂ）トリプシン型またはキモトリプシン型プロテアーゼ、たとえば、ＷＯ８９／０６２７０において記載されているフザリウム（Fusarium）プロテアーゼならびにＷＯ０５／０５２１６１およびＷＯ０５／０５２１４６において記載されているセルロモナス（Cellumonas）に由来するキモトリプシンプロテアーゼを含む、トリプシン（たとえば、ブタまたはウシ起源のもの）。
（ｃ）ＷＯ０７／０４４９９３Ａ２において記載されているバチルス・アミロリケファシエンス（Bacillus amyloliquefaciens）に由来するものを含む、メタロプロテアーゼ。
【０１５５】
好ましいプロテアーゼは、バチルス・ギブソニー（Bacillus gibsonii）またはバチルス・レンタス（Bacillus Lentus）に由来するものを含む。
【０１５６】
好適な市販のプロテアーゼ酵素は、商標名Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）およびＥｓｐｅｒａｓｅ（登録商標）でＮｏｖｏｚｙｍｅｓ  Ａ／Ｓ（Ｄｅｎｍａｒｋ）によって販売されているもの、商標名Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）およびＰｕｒａｆｅｃｔ  ＯＸＰ（登録商標）でＧｅｎｅｎｃｏｒ  Ｉｎｔｅｒｎａｔｉｏｎａｌによって販売されているもの、商標名Ｏｐｔｉｃｌｅａｎ（登録商標）およびＯｐｔｉｍａｓｅ（登録商標）でＳｏｌｖａｙ  Ｅｎｚｙｍｅｓによって販売されているもの、Ｈｅｎｋｅｌ／Ｋｅｍｉｒａから入手可能なもの、すなわちＢＬＡＰ（下記の突然変異Ｓ９９Ｄ＋Ｓ１０１Ｒ＋Ｓ１０３Ａ＋Ｖ１０４Ｉ＋Ｇ１５９Ｓを持つ、ＵＳ５，３５２，６０４の図２９に示されている配列、以後、ＢＬＡＰと称する）、ＢＬＡＰＲ（Ｓ３Ｔ＋Ｖ４Ｉ＋Ｖ１９９Ｍ＋Ｖ２０５Ｉ＋Ｌ２１７Ｄを持つＢＬＡＰ）、ＢＬＡＰ  Ｘ（Ｓ３Ｔ＋Ｖ４Ｉ＋Ｖ２０５Ｉを持つＢＬＡＰ）およびＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを持つＢＬＡＰ）−すべてＨｅｎｋｅｌ／Ｋｅｍｉｒａ製；ならびに花王株式会社製のＫＡＰ（突然変異Ａ２３０Ｖ＋Ｓ２５６Ｇ＋Ｓ２５９Ｎを持つバチルス・アルカロフィルス・スブチリシン（Bacillus alkalophilus subtilisin））を含む。
【０１５７】
アミラーゼ。好ましくは、組成物は、アミラーゼを含んでいてもよい。好適なアルファ−アミラーゼは、細菌または真菌起源のものを含む。化学的にまたは遺伝的に修飾された変異体（バリアント）が含まれる。好ましいアルカリ性アルファ−アミラーゼは、バチルス（Bacillus）の菌株、たとえばバチルス・リケニフォルミス（Bacillus licheniformis）、バチルス・アミロリケファシエンス（Bacillus amyloliquefaciens）、バチルス・ステアロテルモフィルス（Bacillus stearothermophilus）、枯草菌（Bacillus subtilis）、または他のバチルス属（Bacillus sp.）、たとえばバチルス属（Bacillus sp.）ＮＣＩＢ  １２２８９、ＮＣＩＢ  １２５１２、ＮＣＩＢ  １２５１３、ＤＳＭ  ９３７５（ＵＳＰ７，１５３，８１８）ＤＳＭ  １２３６８、ＤＳＭＺ番号１２６４９、ＫＳＭ  ＡＰ１３７８（ＷＯ９７／００３２４）、ＫＳＭ  Ｋ３６またはＫＳＭ  Ｋ３８（ＥＰ１，０２２，３３４）に由来する。好ましいアミラーゼは、次のものを含む：
（ａ）ＷＯ９４／０２５９７、ＷＯ９４／１８３１４、ＷＯ９６／２３８７４およびＷＯ９７／４３４２４において記載されているバリアント、とりわけ、ＷＯ９６／２３８７４において配列番号２として記載されている酵素に対して下記の位置の１つ以上に置換を持つバリアント：１５、２３、１０５、１０６、１２４、１２８、１３３、１５４、１５６、１８１、１８８、１９０、１９７、２０２、２０８、２０９、２４３、２６４、３０４、３０５、３９１、４０８および４４４。
（ｂ）ＵＳＰ５，８５６，１６４ならびにＷＯ９９／２３２１１、ＷＯ９６／２３８７３、ＷＯ００／６００６０およびＷＯ０６／００２６４３において記載されているバリアント、とりわけ、ＷＯ０６／００２６４３において配列番号１２として記載されているＡＡ５６０酵素に対して下記の位置に１つ以上の置換を持つバリアント：
２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４、好ましくは、Ｄ１８３＊およびＧ１８４＊の欠失も含有するもの。
（ｃ）ＷＯ０６／００２６４３における配列番号４、バチルス属（Bacillus sp.）７２２由来の野生型酵素との少なくとも９０％同一性を呈するバリアント、とりわけ、１８３および１８４位に欠失を持つバリアントならびに参照によりここに組み込まれるＷＯ００／６００６０において記載されているバリアント。
（ｄ）バチルス属（Bacillus sp.）７０７由来の野生型酵素との少なくとも９５％同一性を呈するバリアント（ＵＳ６，０９３，５６２における配列番号７）、とりわけ、下記の突然変異Ｍ２０２、Ｍ２０８、Ｓ２５５、Ｒ１７２および／またはＭ２６１のうちの１つ以上を含むもの。好ましくは、前記アミラーゼは、Ｍ２０２Ｌ、Ｍ２０２Ｖ、Ｍ２０２Ｓ、Ｍ２０２Ｔ、Ｍ２０２Ｉ、Ｍ２０２Ｑ、Ｍ２０２Ｗ、Ｓ２５５Ｎおよび／またはＲ１７２Ｑのうちの１つ以上を含む。特に好ましいのは、Ｍ２０２ＬまたはＭ２０２Ｔ突然変異を含むものである。
（ｅ）ＷＯ０９／１４９１３０において記載されているバリアント、好ましくは、ＷＯ０９／１４９１３０における配列番号１または配列番号２、ゲオバチルス・ステアロサーモフィラス（Geobacillus Stearophermophilus）由来の野生型酵素またはその切断バージョンとの少なくとも９０％同一性を呈するもの。
【０１５８】
好適な市販のアルファ−アミラーゼは、ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）およびＢＡＮ（登録商標）（Ｎｏｖｏｚｙｍｅｓ  Ａ／Ｓ、Ｂａｇｓｖａｅｒｄ、Ｄｅｎｍａｒｋ）、ＫＥＭＺＹＭ（登録商標）ＡＴ  ９０００  Ｂｉｏｚｙｍ  Ｂｉｏｔｅｃｈ  Ｔｒａｄｉｎｇ  ＧｍｂＨ  Ｗｅｈｌｉｓｔｒａｓｓｅ  ２７ｂ  Ａ−１２００  Ｗｉｅｎ  Ａｕｓｔｒｉａ、ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）、ＰＯＷＥＲＡＳＥ（登録商標）およびＰＵＲＡＳＴＡＲ  ＯＸＡＭ（登録商標）（Ｇｅｎｅｎｃｏｒ  Ｉｎｔｅｒｎａｔｉｏｎａｌ  Ｉｎｃ．、Ｐａｌｏ  Ａｌｔｏ、Ｃａｌｉｆｏｒｎｉａ）およびＫＡＭ（登録商標）（花王株式会社、日本、１０３−８２１０東京都中央区日本橋茅場町１丁目１４番１０号）を含む。一側面において、好適なアミラーゼは、ＮＡＴＡＬＡＳＥ（登録商標）、ＳＴＡＩＮＺＹＭＥ（登録商標）およびＳＴＡＩＮＺＹＭＥ  ＰＬＵＳ（登録商標）ならびにそれらの混合物を含む。
【０１５９】
リパーゼ。好ましくは、本発明は、「第１サイクルリパーゼ」、たとえば米国特許第６，９３９，７０２Ｂ１号および米国特許出願第２００９／０２１７４６４号において記載されているものを含む、１種以上のリパーゼを含む。好ましいリパーゼは、第１洗浄リパーゼである。本発明の一態様において、組成物は、第１洗浄リパーゼを含む。第１洗浄リパーゼは、（ａ）フミコーラ・ラヌギノーサ（Humicola lanuginosa）菌株ＤＳＭ  ４１０９に由来する野生型リパーゼとの少なくとも９０％同一性を有し；（ｂ）前記野生型リパーゼと比較して、Ｅ１もしくはＱ２４９の１５Ａ内の三次元構造の表面において、電気的に中性または負に荷電したアミノ酸の、正に荷電したアミノ酸による置換を含み；かつ（ｃ）Ｃ−末端にペプチド添加を含み；かつ／または（ｄ）Ｎ−末端にペプチド添加を含み、かつ／または（ｅ）下記の制限：ｉ）前記野生型リパーゼのＥ２１０位に負アミノ酸を含み；ｉｉ）前記野生型リパーゼの９０〜１０１位に対応する領域に負に荷電したアミノ酸を含み；かつｉｉｉ）Ｎ９４または前記野生型リパーゼに対応する位置に中性もしくは負アミノ酸を含むか、かつ／または前記野生型リパーゼの９０〜１０１位に対応する領域に負もしくは中性正味電荷を有することを満たす、アミノ酸配列を有するポリペプチドであるリパーゼを含む。好ましいのは、Ｔ２３１ＲおよびＮ２３３Ｒ突然変異のうちの１つ以上を含む好熱菌（Thermomyces lanuginosus）由来の野生型リパーゼのバリアントである。野生型配列は、Ｓｗｉｓｓｐｒｏｔ受託番号Ｓｗｉｓｓ−Ｐｒｏｔ  Ｏ５９９５２（好熱菌（Thermomyces lanuginosus）（フミコーラ・ラヌギノーサ（Humicola lanuginosa））に由来する）の２６９種のアミノ酸（アミノ酸２３〜２９１）である。好ましいリパーゼは、商標名Ｌｉｐｅｘ（登録商標）およびＬｉｐｏｌｅｘ（登録商標）およびＬｉｐｏｃｌｅａｎ（登録商標）で販売されているものを含むであろう。
【０１６０】
エンドグルカナーゼ。他の好ましい酵素は、ＵＳ７，１４１，４０３Ｂ２においてアミノ酸配列  配列番号２と少なくとも９０％、９４％、９７％およびさらには９９％同一性の配列を有するバチルス（Bacillus）属のメンバーに内生する細菌ポリペプチドおよびそれらの混合物を含む、エンド−ベータ−１，４−グルカナーゼ活性（Ｅ．Ｃ．３．２．１．４）を呈する微生物由来エンドグルカナーゼを含む。好適なエンドグルカナーゼは、商標名Ｃｅｌｌｕｃｌｅａｎ（登録商標）およびＷｈｉｔｅｚｙｍｅ（登録商標）（Ｎｏｖｏｚｙｍｅｓ  Ａ／Ｓ、Ｂａｇｓｖａｅｒｄ、Ｄｅｎｍａｒｋ）で販売されている。
【０１６１】
ペクチン酸リアーゼ。他の好ましい酵素は、商標名Ｐｅｃｔａｗａｓｈ（登録商標）、Ｐｅｃｔａｗａｙ（登録商標）、Ｘｐｅｃｔ（登録商標）で販売されているペクチン酸リアーゼ、ならびに商標名Ｍａｎｎａｗａｙ（登録商標）（すべてＮｏｖｏｚｙｍｅｓ  Ａ／Ｓ製、Ｂａｇｓｖａｅｒｄ、Ｄｅｎｍａｒｋ）およびＰｕｒａｂｒｉｔｅ（登録商標）（Ｇｅｎｅｎｃｏｒ  Ｉｎｔｅｒｎａｔｉｏｎａｌ  Ｉｎｃ．、Ｐａｌｏ  Ａｌｔｏ、Ｃａｌｉｆｏｒｎｉａ）で販売されているマンナナーゼを含む。
【０１６２】
ヌクレアーゼ酵素。組成物は、ヌクレアーゼ酵素を含んでいてもよい。ヌクレアーゼ酵素は、核酸のヌクレオチドサブユニット間のホスホジエステル結合を開裂することができる酵素である。ここでのヌクレアーゼ酵素は、好ましくは、デオキシリボヌクレアーゼもしくはリボヌクレアーゼ酵素またはその機能的フラグメントである。機能的フラグメントまたは部は、ＤＮＡ主鎖におけるホスホジエステル結合の開裂を触媒し、そのため触媒活性を保持する前記ヌクレアーゼタンパク質の領域である、ヌクレアーゼ酵素の一部を意味している。故に、これは、その機能性が維持されている酵素および／またはバリアントおよび／または誘導体および／または同族体の、機能的バージョンを除く切断バージョンを含む。
【０１６３】
好ましくは、ヌクレアーゼ酵素は、好ましくはクラスＥ．Ｃ．３．１．２１．ｘ［ここで、ｘ＝１、２、３、４、５、６、７、８または９である］、Ｅ．Ｃ．３．１．２２．ｙ［ここで、ｙ＝１、２、４または５である］、Ｅ．Ｃ．３．１．３０．ｚ［ここで、ｚ＝１または２である］、Ｅ．Ｃ．３．１．３１．１の何れかから選択されるデオキシリボヌクレアーゼおよびそれらの混合物である。
【０１６４】
漂白剤。組成物は、１種以上の漂白剤を含むことが好ましい場合がある。漂白触媒以外の好適な漂白剤は、光漂白剤、漂白活性化剤、過酸化水素、過酸化水素源、予め形成された過酸およびそれらの混合物を含む。概して、漂白剤が使用される場合、本発明の組成物は、重量で主題組成物の約０．１％〜約５０％またはさらには約０．１％〜約２５％の、漂白剤または漂白剤の混合物を含んでいてもよい。好適な漂白剤の例は、次のものを含む：
（１）光漂白剤、たとえばスルホン化亜鉛フタロシアニン、スルホン化アルミニウムフタロシアニン、キサンテン染料、チオキサントン類およびそれらの混合物、
（２）予め形成された過酸：好適な予め形成された過酸は、予め形成されたペルオキシ酸からなる群から選択される化合物、またはそれらの塩、典型的には、過カルボン酸および塩、過炭酸および塩、過イミド酸および塩、ペルオキシモノスルホン酸および塩、たとえば、Ｏｘｏｎｅ（登録商標）、ならびにそれらの混合物を含むがこれらに限定されない。
【０１６５】
特に好ましいペルオキシ酸は、フタルイミド−ペルオキシ−アルカン酸、特にε−フタルイミドペルオキシヘキサン酸（ＰＡＰ）である。好ましくは、過酸またはその塩は、３０℃〜６０℃の範囲内の融点を有する。
【０１６６】
（３）過酸化水素の供給源、たとえば、アルカリ金属塩、たとえば過ホウ酸塩（通常は一または四水和物）、過炭酸塩、過硫酸塩、過リン酸塩、過ケイ酸塩およびそれらの混合物のナトリウム塩を含む、無機過酸化水素化物塩。使用される場合、無機過酸化水素化物塩は、典型的には、織物およびホームケア製品全体の０．０５〜４０重量％または１〜３０重量％の量で存在し、典型的には、そのような織物およびホームケア製品に、被覆されていてもよい結晶性固体として組み込まれる。好適な被覆は、無機塩、たとえばアルカリ金属ケイ酸塩、炭酸塩もしくはホウ酸塩もしくはそれらの混合物、または有機材料、たとえば水溶性もしくは分散性ポリマー、ワックス、油もしくは脂肪石鹸を含む；ならびに、
（４）Ｒ−（Ｃ＝Ｏ）−Ｌを有し、式中、Ｒは、漂白活性化剤が疎水性である場合、６〜１４個の炭素原子または８〜１２個の炭素原子を有し、漂白活性化剤が親水性である場合、６個未満の炭素原子またはさらには４個未満の炭素原子を有する、任意に分枝のアルキル基であり、Ｌは、脱離基である、漂白活性化剤。好適な脱離基の例は、安息香酸およびその誘導体−とりわけベンゼンスルホネートである。好適な漂白活性化剤は、ドデカノイルオキシベンゼンスルホネート、デカノイルオキシベンゼンスルホネート、デカノイルオキシ安息香酸またはその塩、３，５，５−トリメチルヘキサノイルオキシベンゼンスルホネート、テトラアセチルエチレンジアミン（ＴＡＥＤ）およびノナノイルオキシベンゼンスルホネート（ＮＯＢＳ）を含む。
【０１６７】
（５）漂白触媒。本発明の組成物は、ペルオキシ酸および／またはその塩から酸素原子を受け入れることができ、酸素原子を酸化可能な基材に移動させることができる、１種以上の漂白触媒も含んでいてもよい。好適な漂白触媒は、イミニウムカチオンおよびポリイオン；イミニウム両性イオン；変性アミン；変性アミンオキシド；Ｎ−スルホニルイミン；Ｎ−ホスホニルイミン；Ｎ−アシルイミン；チアジアゾールジオキシド；ペルフルオロイミン；環状糖ケトンおよびアルファアミノ−ケトンならびにそれらの混合物を含むがこれらに限定されない。１種の特に好ましい触媒は、アシルヒドラゾン型、たとえば４−（２−（２−（（２−ヒドロキシフェニルメチル）メチレン）−ヒドラジニル）−２−オキソエチル）−４−メチルクロリドである。
【０１６８】
（６）組成物は、好ましくは、触媒金属錯体を含んでいてもよい。１種の好ましいタイプの金属含有漂白触媒は、定義されている漂白触媒活性の遷移金属カチオンを含む触媒系、たとえば銅、鉄、チタン、ルテニウム、タングステン、モリブデンまたはマンガンカチオンである。
【０１６９】
所望ならば、ここでの組成物は、マンガン化合物を利用して触媒することができる。そのような化合物および使用レベルは、当技術分野において周知であり、たとえば、Ｕ．Ｓ．５，５７６，２８２において開示されているマンガンベースの触媒を含む。一部の態様において、組成物中に追加の酸化剤源は存在せず、空気からの分子酸素が酸化源を提供する。
【０１７０】
ここで有用なコバルト漂白触媒は公知であり、たとえば、Ｕ．Ｓ．５，５９７，９３６、Ｕ．Ｓ．５，５９５，９６７において記載されている。
【０１７１】
存在する場合、過酸化水素／過酸および／または漂白活性化剤の供給源は、概して、組成物中に、織物およびホームケア製品に基づき、約０．１〜約６０重量％、約０．５〜約４０重量％またはさらには約０．６〜約１０重量％の量で存在する。１種以上の疎水性過酸またはその前駆体が、１種以上の親水性過酸またはその前駆体と組み合わせて使用されていてもよい。
【０１７２】
典型的には、過酸化水素源および漂白活性化剤は一緒に組み込まれることになる。過酸化水素源および過酸または漂白活性化剤の量は、（過酸化物源から）利用可能な酸素と過酸とのモル比が、１：１〜３５：１またはさらには２：１〜１０：１となるように選択されていてもよい。液体洗剤に調合される場合、過酸化物源および活性化剤は、ｐＨジャンプ系、たとえばボレート／ソルビトールと一緒に、低ｐＨ、典型的には３〜５で調合されていてもよい。
【０１７３】
本発明の洗濯ケア組成物は、とりわけ塩素処理水中で使用されていてもよく、たとえば典型的にはほとんどの家庭給水中で見られてもよい。あるいは、ロイコ内包系は、他の漂白源、たとえば電気分解とともに使用されていてもよく、自動投入システムで使用されていてもよい。
【０１７４】
ビルダー。好ましくは、組成物は、１種以上のビルダーまたはビルダー系を含んでいてもよい。ビルダーが使用される場合、本発明の組成物は、典型的には、少なくとも１％、２％〜６０％のビルダーを含むことになる。組成物は、低レベルの、たとえば１〜１０または５重量％のリン酸塩および／またはゼオライトを含むことが好ましい場合がある。組成物は、強力ビルダーを実質的に含まないものでさえあってもよく；強力ビルダーを実質的に含まないというのは、ゼオライトおよび／またはリン酸塩が故意に添加されていないことを意味する。典型的なゼオライトビルダーは、ゼオライトＡ、ゼオライトＰおよびゼオライトＭＡＰを含む。典型的なリン酸塩ビルダーは、トリポリリン酸ナトリウムである。
【０１７５】
キレート化剤。好ましくは、組成物は、キレート化剤および／または結晶成長阻害剤を含む。好適な分子は、銅、鉄および／またはマンガンキレート化剤ならびにそれらの混合物を含む。好適な分子は、ヒドロキサム酸、アミノカルボキシレート、アミノホスホネート、スクシネート、それらの塩、およびそれらの混合物を含む。ここで使用するために好適なキレート剤の非限定的な例は、エチレンジアミン四酢酸、Ｎ−（ヒドロキシエチル）エチレンジアミントリアセテート、ニトリロトリアセテート、エチレンジアミンテトラプロピオネート、トリエチレンテトラアミンヘキサアセテート、ジエチレントリアミン−ペンタアセテート、エタノールジグリシン、エチレンジアミンテトラキス（メチレンホスホネート）、ジエチレントリアミンペンタ（メチレンホスホン酸）（ＤＴＰＭＰ）、エチレンジアミンジスクシネート（ＥＤＤＳ）、ヒドロキシエタンジメチレンホスホン酸（ＨＥＤＰ）、メチルグリシン二酢酸（ＭＧＤＡ）、ジエチレントリアミン五酢酸（ＤＴＰＡ）、それらの塩、ならびにそれらの混合物を含む。本発明における使用のキレート剤の他の非限定的な例は、米国特許第７４４５６４４号、同第７５８５３７６号および２００９／０１７６６８４Ａ１において見られる。ここで使用するための他の好適なキレート化剤は、市販のＤＥＱＵＥＳＴシリーズ、ならびにＭｏｎｓａｎｔｏ、ＤｕＰｏｎｔおよびＮａｌｃｏ  Ｉｎｃ製のキレート剤である。また他の好適なキレート剤は、ピリジニルＮオキシド型を含む。
【０１７６】
蛍光増白剤。好ましくは、組成物は、１種以上の蛍光増白剤を含む。本発明において有用となり得る市販の光学的増白剤は、下位群に分類することができ、これは、スチルベン、ピラゾリン、クマリン、カルボン酸、メチンシアニン、ジベンゾチオフェン−５，５−ジオキシド、アゾール、５および６員環ヘテロ環の誘導体、ならびに他の種々雑多な作用物質を含むがこれらに限定されない。特に好ましい増白剤は、ナトリウム２（４−スチリル−３−スルホフェニル）−２Ｈ−ナフトール［１，２−ｄ］トリアゾール、ジナトリウム４，４’−ビス｛［（４−アニリノ−６−（Ｎメチル−Ｎ−２ヒドロキシエチル）アミノ１，３，５−トリアジン−２−イル）］アミノ｝スチルベン−２−２−ジスルホネート、ジナトリウム４，４’−ビス｛［（４−アニリノ−６−モルホリノ−１，３，５−トリアジン−２−イル）］アミノ｝スチルベン−２−２’ジスルホネートおよびジナトリウム４，４’−ビス（２−スルホスチリル）ビフェニルから選択される。そのような増白剤の他の例は、「Ｔｈｅ  Ｐｒｏｄｕｃｔｉｏｎ  ａｎｄ  Ａｐｐｌｉｃａｔｉｏｎ  ｏｆ  Ｆｌｕｏｒｅｓｃｅｎｔ  Ｂｒｉｇｈｔｅｎｉｎｇ  Ａｇｅｎｔｓ」、Ｍ．Ｚａｈｒａｄｎｉｋ、Ｊｏｈｎ  Ｗｉｌｅｙ＆Ｓｏｎｓ、Ｎｅｗ  Ｙｏｒｋ出版（１９８２）において開示されている。本発明の組成物において有用となり得る光学的増白剤の具体的な非限定的な例は、米国特許第４，７９０，８５６号および米国特許第３，６４６，０１５号において同定されているものである。
【０１７７】
好ましい増白剤は、以下の構造：
【０１７８】
【化１７】
2021501254.tif 000019
【０１７９】
を有する。
【０１８０】
好適な蛍光増白剤レベルは、約０．０１、約０．０５、約０．１またはさらには約０．２重量％の下位レベル〜０．５またはさらには０．７５重量％の上位レベルを含む。
【０１８１】
一側面において、増白剤は、粘土に充填されて、粒子を形成していてもよい。
【０１８２】
好ましい増白剤は、全体的にまたは主に（典型的には少なくとも５０重量％、少なくとも７５重量％、少なくとも９０重量％、少なくとも９９重量％）、アルファ−結晶性形態である。非常に好ましい増白剤は、好ましくは下記の構造：
【０１８３】
【化１８】
2021501254.tif 000020
【０１８４】
を有する、Ｃ．Ｉ．蛍光増白剤２６０を含む。
【０１８５】
これは、たとえば３０℃または２５℃またはさらには２０℃未満の冷水によく溶解することから、特に有用となり得る。
【０１８６】
酵素安定化剤。組成物は、好ましくは、酵素安定化剤を含んでいてもよい。たとえば完成織物およびホームケア製品におけるカルシウムおよび／またはマグネシウムイオンの水溶性供給源の存在により、そのようなイオンを酵素に提供する、任意の従来の酵素安定化剤が使用されていてもよい。プロテアーゼを含む水性組成物の場合、可逆的プロテアーゼ阻害剤、たとえばボレートを含むホウ素化合物、または好ましくは４−ホルミルフェニルボロン酸、フェニルボロン酸およびそれらの誘導体、または化合物、たとえばギ酸カルシウム、ギ酸ナトリウムおよび１，２−プロパンジオールが、安定性をさらに改良するために添加され得る。
【０１８７】
溶媒系。本発明の組成物における溶媒系は、水単独または有機溶媒の混合物を水なしまたは好ましくは水ありで含有する溶媒系であることができる。
有機溶媒
組成物は、有機溶媒を任意に含んでいてもよい。好適な有機溶媒は、Ｃ４〜１４エーテルおよびジエーテル、グリコール、アルコキシル化グリコール、Ｃ６〜Ｃ１６グリコールエーテル、アルコキシル化芳香族アルコール、芳香族アルコール、脂肪族分枝アルコール、アルコキシル化脂肪族分枝アルコール、アルコキシル化直鎖状Ｃ１〜Ｃ５アルコール、直鎖状Ｃ１〜Ｃ５アルコール、アミン、Ｃ８〜Ｃ１４アルキルおよびシクロアルキル炭化水素およびハロ炭化水素、ならびにそれらの混合物を含む。好ましい有機溶媒は、１，２−プロパンジオール、２，３ブタンジオール、エタノール、グリセロール、エトキシル化グリセロール、ジプロピレングリコール、メチルプロパンジオールおよびそれらの混合物を含む。他の低級アルコール、Ｃ１〜Ｃ４アルカノールアミン、たとえばモノエタノールアミンおよびトリエタノールアミンを使用することもできる。溶媒系は、たとえば、本発明の無水固体態様から、存在しないこともできるが、より典型的には、重量で液体洗剤組成物の約０．１％〜約９８％、好ましくは少なくとも約１％〜約５０％、より通常は約５％〜約２５％、あるいは約１％〜約１０％の前記有機溶媒の範囲内のレベルで存在する。
これらの有機溶媒は、水とともに使用されていてもよく、またはそれらは水なしで使用されていてもよい。
【０１８８】
構造化された液体：本発明の一部の態様において、組成物は、構造化された液体の形態である。そのような構造化された液体は、内部的に構造化され、それにより、構造が主原料（たとえば、界面活性剤材料）によって形成され得るか、かつ／または、たとえば増粘剤として使用するために、副原料（たとえば、ポリマー、粘土および／またはシリケート材料）を使用して三次元マトリックス構造を提供することによって外部的に構造化され得る。組成物は、構造化剤、好ましくは０．０１重量％〜５重量％、０．１重量％〜２．０重量％の構造化剤を含んでいてもよい。好適な構造化剤の例は、ＵＳ２００６／０２０５６３１Ａ１、ＵＳ２００５／０２０３２１３Ａ１、ＵＳ７２９４６１１、ＵＳ６８５５６８０において記されている。構造化剤は、典型的には、ジグリセリドおよびトリグリセリド、エチレングリコールジステアレート、微結晶性セルロース、セルロースベースの材料、マイクロファイバーセルロース、疎水的に修飾されたアルカリ膨潤性エマルション、たとえばＰｏｌｙｇｅｌ  Ｗ３０（３ＶＳｉｇｍａ）、バイオポリマー、キサンタンガム、ゲランガム、水素化ヒマシ油、水素化ヒマシ油の誘導体、たとえばその非エトキシル化誘導体ならびにそれらの混合物からなる群から選択され、特に、水素化ヒマシ油、水素化ヒマシ油の誘導体、マイクロファイバーセルロース、ヒドロキシ官能性結晶性材料、長鎖脂肪アルコール、１２−ヒドロキシステアリン酸、粘土ならびにそれらの混合物の群から選択されるものである。１種の好ましい構造化剤は、好適なヒドロキシ官能性結晶性材料を詳細に定義している米国特許第６，８５５，６８０号において記載されている。好ましいのは、水素化ヒマシ油である。いくつかの構造化剤は、様々なアスペクト比を有する糸状構造システムを有する。別の好ましい構造化剤は、セルロースをベースとしており、バイオマス、木材パルプ、シトラスファイバーなどを含む若干数の供給源に由来していてもよい。
【０１８９】
本発明の組成物は、高融点脂肪化合物を含んでいてもよい。ここで有用な高融点脂肪化合物は、２５℃以上の融点を有し、脂肪アルコール、脂肪酸、脂肪アルコール誘導体、脂肪酸誘導体およびそれらの混合物からなる群から選択される。低融点のそのような化合物は、この項に含まれることは意図されていない。高融点化合物の非限定的な例は、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ、第５版、１９９３、およびＣＴＦＡ  Ｃｏｓｍｅｔｉｃ  Ｉｎｇｒｅｄｉｅｎｔ  Ｈａｎｄｂｏｏｋ、第２版、１９９２において見られる。存在する場合、高融点脂肪化合物は、好ましくは、組成物中に、重量で組成物の０．１％〜４０％、好ましくは１％〜３０％、より好ましくは１．５％〜１６％、コンディショニング改良という利益、たとえば濡れた髪に適用中のすべりの良い感触、柔らかさおよび乾燥した髪における潤った感触を提供することを考慮して、１．５％〜８％のレベルで含まれる。
【０１９０】
カチオン性ポリマー。本発明の組成物は、カチオン性ポリマーを含有していてもよい。
組成物中におけるカチオン性ポリマーの濃度は、典型的には、０．０５％〜３％、別の態様において０．０７５％〜２．０％、およびまた別の態様において０．１％〜１．０％の範囲である。好適なカチオン性ポリマーは、少なくとも０．５ｍｅｑ／ｇｍ、別の態様において少なくとも０．９ｍｅｑ／ｇｍ、別の態様において少なくとも１．２ｍｅｑ／ｇｍ、また別の態様において少なくとも１．５ｍｅｑ／ｇｍであるが、また、一態様において７ｍｅｑ／ｇｍ未満、および別の態様において５ｍｅｑ／ｇｍ未満でもあるカチオン性電荷密度を、組成物の使用意図のｐＨで有することになり、このｐＨは、概して、ｐＨ３〜ｐＨ９、一態様においてｐＨ４乃至ｐＨ８の範囲となる。ここで、ポリマーの「カチオン性電荷密度」は、ポリマー上の正電荷の数とポリマーの分子量との比を指す。そのような好適なカチオン性ポリマーの平均分子量は、概して、１０，０００乃至１，０００万、一態様において５０，０００乃至５００万、および別の態様において１００，０００乃至３００万となる。
【０１９１】
本発明の組成物において使用するための好適なカチオン性ポリマーは、カチオン性窒素含有部分、たとえば第四級アンモニウムまたはカチオン性プロトン化アミノ部分を含有する。ポリマーが、水に、組成物に、もしくは組成物のコアセルベート相に可溶性のままである限り、ならびに対イオンが組成物の必須成分と物理的にかつ化学的に相溶性であるか、または製品の性能、安定性もしくは美観を別様に不当に損ねない限り、任意のアニオン性対イオンをカチオン性ポリマーと併せて使用することができる。そのような対イオンの非限定的な例は、ハロゲン化物（たとえば、塩化物、フッ化物、臭化物、ヨウ化物）、スルフェートおよびメチルスルフェートを含む。
【０１９２】
そのようなポリマーの非限定的な例は、ＣＴＦＡ  Ｃｏｓｍｅｔｉｃ  Ｉｎｇｒｅｄｉｅｎｔ  Ｄｉｃｔｉｏｎａｒｙ、第３版、Ｅｓｔｒｉｎ、ＣｒｏｓｌｅｙおよびＨａｙｎｅｓ編（Ｔｈｅ  Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ，Ｉｎｃ．、Ｗａｓｈｉｎｇｔｏｎ，Ｄ．Ｃ．（１９８２））において記載されている。
【０１９３】
組成物において使用するための他の好適なカチオン性ポリマーは、多糖ポリマー、カチオン性グアーガム誘導体、第四級窒素含有セルロースエーテル、合成ポリマー、エーテル化セルロース、グアーおよびデンプンのコポリマーを含む。使用される場合、ここでのカチオン性ポリマーは、組成物に可溶性であるか、または以上で記載したカチオン性ポリマーならびにアニオン性、両性および／または両性イオン性界面活性剤成分によって形成された組成物中の複合コアセルベート相に可溶性であるかの何れかである。カチオン性ポリマーの複合コアセルベートは、組成物中の他の荷電材料と形成されることもできる。
【０１９４】
好適なカチオン性ポリマーは、米国特許第３，９６２，４１８号、同第３，９５８，５８１号、および米国公開第２００７／０２０７１０９Ａ１号において記載されている。
【０１９５】
非イオン性ポリマー。本発明の組成物は、コンディショニング剤として非イオン性ポリマーを含んでいてもよい。１０００超の分子量を有するポリアルキレングリコールがここで有用である。有用なのは、下記の一般式：
【０１９６】
【化１９】
2021501254.tif 000021
【０１９７】
［式中、Ｒ９５は、Ｈ、メチルおよびそれらの混合物からなる群から選択される］を有するものである。
【０１９８】
コンディショニング剤および特にシリコーンが、組成物中に含まれていてもよい。本発明の組成物において有用なコンディショニング剤は、典型的には、乳化液体粒子を形成する、非水溶性、水分散性、不揮発性の液体を含む。組成物において使用するための好適なコンディショニング剤は、概して、シリコーン（たとえば、シリコーン油、カチオン性シリコーン、シリコーンガム、高屈折シリコーンおよびシリコーン樹脂）、有機コンディショニング油（たとえば、炭化水素油、ポリオレフィンおよび脂肪エステル）もしくはそれらの組合せとして特徴付けられるコンディショニング剤、またはここでの水性界面活性剤マトリックス中で別様に液体分散粒子を形成するコンディショニング剤である。そのようなコンディショニング剤は、組成物の必須成分と物理的にかつ化学的に相溶性であるべきであり、製品の安定性、美観または性能を別様に不当に損ねるべきではない。
【０１９９】
組成物中におけるコンディショニング剤の濃度は、所望のコンディショニングという利益を提供するために十分なものであるべきである。そのような濃度は、コンディショニング剤、所望されるコンディショニング性能、コンディショニング剤粒子の平均サイズ、他の成分の種類および濃度、ならびに他の同様の要因によって変動することができる。
【０２００】
シリコーンコンディショニング剤の濃度は、典型的には、約０．０１％〜約１０％の範囲である。好適なシリコーンコンディショニング剤およびシリコーンのための任意選択の懸濁化剤の非限定的な例は、米国再発行特許第３４，５８４号、米国特許第５，１０４，６４６号；同第５，１０６，６０９号；同第４，１５２，４１６号；同第２，８２６，５５１号；同第３，９６４，５００号；同第４，３６４，８３７号；同第６，６０７，７１７号；同第６，４８２，９６９号；同第５，８０７，９５６号；同第５，９８１，６８１号；同第６，２０７，７８２号；同第７，４６５，４３９号；同第７，０４１，７６７号；同第７，２１７，７７７号；米国特許出願第２００７／０２８６８３７Ａ１号；同第２００５／００４８５４９Ａ１号；同第２００７／００４１９２９Ａ１号；英国特許第８４９，４３３号；独国特許第ＤＥ１００３６５３３号（これらはすべて参照によりここに組み込まれる）；Ｃｈｅｍｉｓｔｒｙ  ａｎｄ  Ｔｅｃｈｎｏｌｏｇｙ  ｏｆ  Ｓｉｌｉｃｏｎｅｓ、Ｎｅｗ  Ｙｏｒｋ：Ａｃａｄｅｍｉｃ  Ｐｒｅｓｓ（１９６８）；Ｇｅｎｅｒａｌ  Ｅｌｅｃｔｒｉｃ  Ｓｉｌｉｃｏｎｅ  Ｒｕｂｂｅｒ  Ｐｒｏｄｕｃｔ  Ｄａｔａ
Ｓｈｅｅｔｓ  ＳＥ３０、ＳＥ３３、ＳＥ５４およびＳＥ７６；Ｓｉｌｉｃｏｎ  Ｃｏｍｐｏｕｎｄｓ、Ｐｅｔｒａｒｃｈ  Ｓｙｓｔｅｍｓ，Ｉｎｃ．（１９８４）；およびＥｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ、第１５巻、第２版、２０４〜３０８頁、Ｊｏｈｎ  Ｗｉｌｅｙ＆Ｓｏｎｓ，Ｉｎｃ．（１９８９）において記載されている。
【０２０１】
有機コンディショニング油。本発明の組成物は、コンディショニング剤として、約０．０５％〜約３％の少なくとも１種の有機コンディショニング油を、単独でまたは他のコンディショニング剤、たとえばシリコーン（ここで記載されている）と組み合わせての何れかで含んでいてもよい。好適なコンディショニング油は、炭化水素油、ポリオレフィンおよび脂肪エステルを含む。衛生剤。本発明の組成物は、衛生および／または悪臭の利益を送達するための成分、たとえばリシノール酸亜鉛、チモール、第四級アンモニウム塩、たとえばＢａｒｄａｃ（登録商標）、ポリエチレンイミン（たとえばＢＡＳＦ製のＬｕｐａｓｏｌ（登録商標））およびその亜鉛錯体、銀および銀化合物、とりわけＡｇ＋またはナノ銀分散液をゆっくりと放出するように設計されたものの１つ以上も含んでいてもよい。
【０２０２】
プロバイオティクス。組成物は、プロバイオティクス、たとえばＷＯ２００９／０４３７０９において記載されているものを含んでいてもよい。
【０２０３】
泡ブースター。組成物は、高い泡立ちが所望される場合、好ましくは泡ブースターを含んでいてもよい。好適な例は、Ｃ１０〜Ｃ１６アルカノールアミドまたはＣ１０〜Ｃ１４アルキル硫酸塩であり、これは、好ましくは１％〜１０％のレベルで組み込まれる。Ｃ１０〜Ｃ１４モノエタノールおよびジエタノールアミドは、そのような泡ブースターの典型的なクラスを例証する。そのような泡ブースターを、高い泡立ちの補助界面活性剤、たとえば上述のアミンオキシド、ベタインおよびスルタインとともに使用することも有利である。所望ならば、水溶性マグネシウムおよび／またはカルシウム塩、たとえばＭｇＣｌ２、ＭｇＳＯ４、ＣａＣｌ２、ＣａＳＯ４などを、典型的には０．１％〜２％のレベルで添加して、追加の泡を提供し、グリース除去性能を増強することができる。
【０２０４】
泡抑制剤。泡の形成を低減させるまたは抑制するための化合物を、本発明の組成物に組み込むことができる。泡抑制は、米国特許第４，４８９，４５５号および同第４，４８９，５７４号において記載されている通りのいわゆる「高濃度クリーニング方法」において、およびフロントローディング式洗濯機において、特に重要となり得る。多種多様な材料が泡抑制剤として使用されていてもよく、泡抑制剤は、当業者に周知である。たとえば、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第３版、第７巻、４３０〜４４７頁（Ｊｏｈｎ  Ｗｉｌｅｙ＆Ｓｏｎｓ，Ｉｎｃ．、１９７９）を参照されたい。泡抑制剤の例は、モノカルボン脂肪酸、およびその中の可溶性塩、高分子量炭化水素、たとえばパラフィン、脂肪酸エステル（たとえば、脂肪酸トリグリセリド）、一価アルコールの脂肪酸エステル、脂肪族Ｃ１８〜Ｃ４０ケトン（たとえば、ステアロン）、Ｎ−アルキル化アミノトリアジン、好ましくは約１００℃未満の融点を有するワックス状炭化水素、シリコーン泡抑制剤、ならびに第二級アルコールを含む。特に有用なシリコーン泡抑制剤は、ジフェニル含有シリコーンをベースとする。
【０２０５】
シリコーン泡抑制剤は、典型的には、重量で洗剤組成物の最大２．０％の量で利用されるが、より高い量が使用されていてもよい。
【０２０６】
真珠光沢剤。ＷＯ２０１１／１６３４５７において記載されている通りの真珠光沢剤が、本発明の組成物に組み込まれていてもよい。
【０２０７】
真珠光沢剤は、光を反射および屈折させて真珠光沢効果を提供することができる、結晶性またはガラス状固体、透明または半透明の化合物であることができる。典型的には、真珠光沢剤は、それらが組み込まれる組成物に不溶性な結晶性粒子である。好ましくは、真珠光沢剤は、薄板または球の形状を有する。真珠光沢剤の粒径は、典型的には２００ミクロン未満、好ましくは１００ミクロン未満、より好ましくは５０ミクロン未満である。無機真珠光沢剤は、アルミノシリケートおよび／またはボロシリケートを含む。好ましいのは、非常に高い屈折率を有するように処理されたアルミノシリケートおよび／またはボロシリケート、好ましくはシリカ、金属酸化物、オキシ塩化物被覆アルミノシリケートおよび／またはボロシリケートである。より好ましい無機真珠光沢剤は、雲母であり、さらに一層好ましいのは、二酸化チタン処理雲母、たとえばＢＡＳＦ  Ｍｅａｒｌｉｎ  Ｓｕｐｅｒｆｉｎｅである。
【０２０８】
組成物は、重量で組成物の０．００５％〜３．０重量％、好ましくは０．０１％〜１％の、１００％活性真珠光沢剤を含んでいてもよい。真珠光沢剤は、有機または無機であってもよい。組成物は、有機および／または無機真珠光沢剤を含むことができる。
有機真珠光沢剤：
組成物が有機真珠光沢剤を含む場合、重量で組成物の０．０５％〜２．０重量％、好ましくは０．１％〜１．０％の活性レベルで、１００％活性有機真珠光沢剤が含まれる。好適な有機真珠光沢剤は、アルキレングリコールのモノエステルおよび／またはジエステル、たとえばエチレングリコールジステアレートを含む。
無機真珠光沢剤：
別の態様において、組成物は、無機真珠光沢剤も含むかもしれない。組成物が無機真珠光沢剤を含む場合、重量で組成物の０．００５％〜１．０重量％、好ましくは０．０１％〜０．２％の活性レベルで、１００％活性無機真珠光沢剤が含まれる。
懸濁粒子
一態様において、組成物は、複数の懸濁粒子を、約０．０１〜約５重量％、あるいは約０．０５〜約４重量％、あるいは約０．１〜約３重量％のレベルでさらに含む。好適な懸濁粒子の例は、米国特許第７，１６９，７４１号および米国特許公開第２００５／０２０３２１３号において提供され、それらの開示は、参照によりここに組み込まれる。これらの懸濁粒子は、液体コアまたは固体コアを含むことができる。これらの液体コアおよび固体コア粒子の詳細な記載、ならびに好ましい粒径、粒子形状、粒子密度および粒子破裂強度の記載は、米国特許出願第１２／３７０，７１４号において記載されており、その開示は、参照によりここに組み込まれる。
【０２０９】
１つの好ましい態様において、粒子は、（変形可能な）ビーズ、カプセル化物、ポリマー性粒子、たとえばプラスチック、金属（たとえば、箔材料、フレーク、グリッター）、（干渉）顔料、鉱物（塩、岩、砂利、溶岩、ガラス／シリカ粒子、タルク）、植物材料（たとえば、壁孔または種子、植物繊維、柄、茎、葉または根）、固晶および液晶などを含むがこれらに限定されない、任意の離散的で視覚的に区別可能な物の形態であってもよい。球状から板状の範囲の異なる粒子形状が可能である。
【０２１０】
一態様において、懸濁粒子は、ガスまたは気泡であってもよい。この態様において、それぞれの泡沫の直径は、約５０〜約２０００ミクロンであってもよく、体積で組成物の約０．０１〜約５％、あるいは体積で組成物の約０．０５％〜約４％、あるいは体積で組成物の約０．１％〜約３％のレベルで存在していてもよい。
乳白剤
一態様において、組成物は、乳白剤も含むかもしれない。
【０２１１】
用語がここで使用される場合、「乳白剤」は、次の系を不透明にするために材料に添加される物質である。１つの好ましい態様において、乳白剤はアキュソールであり、これは、Ｄｏｗ  Ｃｈｅｍｉｃａｌｓから入手可能である。アキュソール乳白剤は、ある特定％の固体レベルの液体形態で提供される。供給時、アキュソール乳白剤のｐＨは、２．０〜５．０の範囲であり、粒径は、０．１７〜０．４５ｕｍの範囲である。１つの好ましい態様において、アキュソールＯＰ３０３Ｂおよび３０１を使用することができる。
【０２１２】
また別の態様において、乳白剤は、無機乳白剤であってもよい。好ましくは、無機乳白剤は、ＴｉＯ２、ＺｎＯ、タルク、ＣａＣＯ３およびそれらの組合せであることができる。乳白剤−ミクロスフェア混成材料は、予め選択された比重で容易に形成され、そのため、材料が分離する傾向はほとんどない。
【０２１３】
ヒドロトロープ：組成物は、ヒドロトロープを、有効量、すなわち約０％〜１５％、または約１％〜１０％、または約３％〜約６％で任意に含んでいてもよく、そのため、組成物は水に相溶性である。ここで使用するための好適なヒドロトロープは、米国特許第３，９１５，９０３号において開示されている通り、アニオン性タイプのヒドロトロープ、特にナトリウム、カリウムおよびアンモニウムキシレンスルホネート、ナトリウム、カリウムおよびアンモニウムトルエンスルホネート、ナトリウム、カリウムおよびアンモニウムクメンスルホネート、ならびにそれらの混合物を含む。
【０２１４】
酸化防止剤：組成物は、組成物中に約０．００１〜約２重量％で存在する酸化防止剤を任意に含有していてもよい。好ましくは、酸化防止剤は、０．０１〜０．０８重量％の範囲内の濃度で存在する。酸化防止剤の混合物が使用されていてもよい。
【０２１５】
酸化防止剤は、Ｋｉｒｋ−Ｏｔｈｍｅｒ（第３巻、４２４頁）およびＩｎ  Ｕｌｌｍａｎｎ’ｓ  Ｅｎｃｙｃｌｏｐｅｄｉａ（第３巻、９１頁）において記載されている通りの物質である。
【０２１６】
本発明において使用される酸化防止剤の他のクラスは、一般式：
【０２１７】
【化２０】
2021501254.tif 000022
【０２１８】
［式中、Ｒは、Ｃ１〜Ｃ２２直鎖状または分枝アルキル、好ましくはメチルまたは分枝Ｃ３〜Ｃ６アルキル、Ｃ１〜Ｃ６アルコキシ、好ましくはメトキシであり；Ｒ１は、Ｃ３〜Ｃ６分枝アルキル、好ましくはｔｅｒｔ−ブチルであり；ｘは、１または２である］を有するアルキル化フェノールである。ヒンダードフェノール系化合物は、この式を有する好ましいタイプのアルキル化フェノールである。好ましいこのタイプのヒンダードフェノール系化合物は、２，６−ジ−ｔｅｒｔ−ブチル−ヒドロキシトルエン（ＢＨＴ）である。
【０２１９】
さらに、組成物において使用される酸化防止剤は、α−、β−、γ−、δ−トコフェロール、エトキシキン、２，２，４−トリメチル−１，２−ジヒドロキノリン、２，６−ジ−ｔｅｒｔ−ブチルヒドロキノン、ｔｅｒｔ−ブチルヒドロキシアニソール、リグノスルホン酸およびそれらの塩、ならびにそれらの混合物からなる群から選択されていてもよい。エトキシキン（１，２−ジヒドロ−６−エトキシ−２，２，４−トリメチルキノリン）は、名称Ｒａｌｕｑｕｉｎ（商標）でＲａｓｃｈｉｇ（商標）社により市販されていることに留意されたい。
【０２２０】
組成物において使用されていてもよい他のタイプの酸化防止剤は、６−ヒドロキシ−２，５，７，８−テトラメチルクロマン−２−カルボン酸（Ｔｒｏｌｏｘ（商標））および１，２−ベンズイソチアゾリン−３−オン（Ｐｒｏｘｅｌ  ＧＸＬ（商標））である。
【０２２１】
組成物において使用するために好適であり得る酸化防止剤のさらなるクラスは、式：
【０２２２】
【化２１】
2021501254.tif 000023
【０２２３】
［式中、Ｒ１およびＲ２は、それぞれ独立して、アルキルであるか、またはＲ１およびＲ２は、一緒になって、Ｃ５〜Ｃ６環式ヒドロカルビル部分を形成することができ；Ｂは、存在しないか、またはＣＨ２であり；Ｒ４は、Ｃ１〜Ｃ６アルキルであり；Ｒ５は、水素または−Ｃ（Ｏ）Ｒ３であり、ここで、Ｒ３は、水素またはＣ１〜Ｃ１９アルキルであり；Ｒ６は、Ｃ１〜Ｃ６アルキルであり；Ｒ７は、水素またはＣ１〜Ｃ６アルキルであり；Ｘは、−ＣＨ２ＯＨまたは−ＣＨ２Ａであり、ここで、Ａは、窒素内包単位、フェニルまたは置換フェニルである］を有するベンゾフランまたはベンゾピラン誘導体である。好ましい窒素内包Ａ単位は、アミノ、ピロリジノ、ピペリジノ、モルホリノ、ピペラジノおよびそれらの混合物を含む。
【０２２４】
酸化防止剤、たとえばソルビン酸トコフェロール、ブチル化ヒドロキシル安息香酸およびそれらの塩、没食子酸およびそのアルキルエステル、尿酸およびその塩、ソルビン酸およびその塩、ならびにジヒドロキシフマル酸およびその塩も使用されていてもよい。一側面において、組成物において使用するための最も好ましいタイプの酸化防止剤は、２，６−ジ−ｔｅｒｔ−ブチルヒドロキシトルエン（ＢＨＴ）、□−、□−、□−、□□トコフェロール、１，２−ベンズイソチアゾリン−３−オン（Ｐｒｏｘｅｌ  ＧＸＬ（商標））およびそれらの混合物である。
【０２２５】
包装。任意の従来の包装が使用されていてもよく、包装は、消費者が、本発明に必須の染料の色によって提供または寄与され得る洗濯ケア組成物の色を見ることができるように、完全にまたは部分的に透明であってもよい。ＵＶ吸収化合物が包装の一部またはすべてに含まれていてもよい。
【０２２６】
液体の形態である場合、本発明の洗濯ケア組成物は、水性（典型的には２重量％超またはさらには５または１０重量％超の総水、最大９０または最大８０重量％または７０重量％の総水）または非水性（典型的には２重量％未満の総水含有量）であってもよい。典型的には、本発明の組成物は、界面活性剤、シェイディング染料およびある特定の任意選択の他の原料の、水溶液または均一分散液または懸濁液の形態となり、それらのいくつかは、通常、組成物の通常は液体の成分、たとえば液体アルコールエトキシレート非イオン性、水性液体担体および任意の他の通常は液体の任意選択の原料と組み合わさった、固体形態であってもよい。そのような溶液、分散液または懸濁液は、許容可能に相安定となる。
液体の形態である場合、本発明の洗濯ケア組成物は、好ましくは、２０ｓ−１および２１℃で、１〜１５００センチポアズ（１〜１５００ｍＰａ＊ｓ）、より好ましくは１００〜１０００センチポアズ（１００〜１０００ｍＰａ＊ｓ）および最も好ましくは２００〜５００センチポアズ（２００〜５００ｍＰａ＊ｓ）の粘度を有する。粘度は、従来の方法によって決定することができる。粘度は、４０ｍｍ直径の平板鋼スピンドルおよび５００μｍのギャップサイズを使用する、ＴＡ  ｉｎｓｔｒｕｍｅｎｔｓ製のＡＲ５５０レオメーターを使用して測定されていてもよい。２０ｓ−１での高せん断粘度および０．０５−１での低せん断粘度は、２１℃における３分間の０．１−１〜２５−１の対数せん断速度曲線から取得することができる。その中で記載されている好ましいレオロジーは、内部に存在する構造化を洗剤原料とともに使用して、または外部のレオロジー調節剤を使用することにより、達成されていてもよい。より好ましくは、洗濯ケア組成物、たとえば洗剤液体組成物は、約１００センチポアズ〜１５００センチポアズ、より好ましくは１００〜１０００ｃｐｓの高せん断速度粘度を有する。一回量包装洗濯ケア組成物、たとえば洗剤液体組成物は、４００〜１０００ｃｐｓの高せん断速度粘度を有する。洗濯ケア組成物、たとえば洗濯柔軟組成物は、典型的には、１０〜１０００、より好ましくは１０〜８００ｃｐｓ、最も好ましくは１０〜５００ｃｐｓの高せん断速度粘度を有する。食器手洗い組成物は、３００〜４０００ｃｐｓ、より好ましくは３００〜１０００ｃｐｓの高せん断速度粘度を有する。
【０２２７】
液体組成物、好ましくはここでの洗濯ケア組成物は、その成分を任意の好都合な順序で組み合わせることによって、および得られた成分組合せを混合して、たとえばかき混ぜて、相安定な液体洗濯ケア組成物を形成することによって調製することができる。そのような組成物を調製するためのプロセスにおいて、液体成分、たとえば、非イオン性界面活性剤、非界面活性液体担体および他の任意選択の液体成分の、少なくとも大部分またはさらには実質的にすべてを含有する液体マトリックスが形成され、液体成分は、この液体組合せにせん断かき混ぜを付与することによって徹底的に混和される。たとえば、機械的撹拌子による急速撹拌が有用に使用されていてもよい。せん断かき混ぜが維持されている間に、任意のアニオン性界面活性剤および固体形態原料の実質的にすべてを添加することができる。混合物のかき混ぜを続け、必要ならば、この時点で増大させて、液相内に不溶性固相微粒子の溶液または均一分散液を形成することができる。固体形態材料の一部またはすべてがこのかき混ぜた混合物に添加された後、含まれる任意の酵素材料の粒子、たとえば酵素プリルが組み込まれる。以上で記載した組成物調製手順の変形として、１種以上の固体成分が、かき混ぜた混合物に、１種以上の液体成分のわずかな部分と予め混合された粒子の溶液またはスラリーとして添加されていてもよい。組成物成分のすべての添加後、混合物のかき混ぜを、必要な粘度および相安定性特徴を有する組成物を形成するために十分な期間にわたって続ける。高頻度で、これは約３０〜６０分の期間にわたるかき混ぜを伴う。
【０２２８】
本発明のロイコ着色剤は、広範囲のｐＨ値を有する液体洗濯ケア組成物において使用するために好適であることが分かった。たとえば、本発明のロイコ着色剤は、１０以上のｐＨを有する液体洗濯ケア組成物において使用するために好適であることが分かった。本発明のロイコ着色剤は、１０未満のｐＨを有する液体洗濯ケア組成物において使用するために好適であることも分かった。故に、ロイコ着色剤は、１０以上および１０以下のｐＨ値を有する洗濯ケア組成物において安定である。
【０２２９】
ポーチ。本発明の好ましい態様において、組成物は、一回量包装の形態、錠剤形態または好ましくはポーチもしくはポッドとして公知である水溶性膜内に保持されている液体／固体（任意に顆粒）／ゲル／ペーストの形態の何れかで提供される。組成物は、単一またはマルチコンパートメントポーチ内にカプセル化されることができる。マルチコンパートメントポーチは、ＥＰ−Ａ−２１３３４１０においてさらに詳細に記載されている。組成物がマルチコンパートメントポーチ内に存在する場合、本発明の組成物は、１つまたは２つ以上のコンパートメント内にあってもよく、故に、染料は、１つ以上のコンパートメント、任意にすべてのコンパートメント内に存在していてもよい。非シェイディング染料もしくは顔料または他の審美剤（aesthetic）が、１つ以上のコンパートメント内で使用されていてもよい。一態様において、組成物は、マルチコンパートメントポーチの単一コンパートメント内に存在する。
【０２３０】
好ましい膜材料は、ポリマー性材料である。膜材料は、たとえば、当技術分野において公知の通り、ポリマー性材料の、鋳造、ブロー成形、押出またはブロー押出によって取得することができる。ポーチ材料として使用するために好適な、好ましいポリマー、コポリマーまたはそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸および塩、ポリアミノ酸またはペプチド、ポリアミド、ポリアクリルアミド、マレイン酸／アクリル酸のコポリマー、デンプンおよびゼラチンを含む多糖、天然ガム、たとえばキサンタンおよびカラガムから選択される。より好ましいポリマーは、ポリアクリレートおよび水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマーおよびヒドロキシプロピルメチルセルロース（ＨＰＭＣ）、ならびにそれらの組合せから選択される。好ましくは、ポーチ材料中におけるポリマー、たとえばＰＶＡポリマーのレベルは、少なくとも６０％である。ポリマーは、任意の、好ましくは約１０００〜１，０００，０００、より好ましくは約１０，０００〜３００，０００、より一層好ましくは約２０，０００〜１５０，０００の重量平均分子量を有することができる。ポリマーの混合物を、ポーチ材料として使用することもできる。これは、その用途および必要なニーズに応じて、コンパートメントまたはポーチの機械的および／または溶解特性を制御するために有益となり得る。好適な混合物は、たとえば、１種のポリマーが別のポリマーよりも高い水溶性を有する、および／または１種のポリマーが別のポリマーよりも高い機械的強度を有する混合物を含む。また、異なる重量平均分子量を有するポリマーの混合物、たとえば、約１０，０００〜４０，０００、好ましくは２０，０００前後の重量平均分子量のＰＶＡまたはそのコポリマーの、および約１００，０００〜３００，０００、好ましくは１５０，０００前後の重量平均分子量を持つＰＶＡまたはそのコポリマーの、混合物も好適である。また、ここで好適なのは、たとえば、加水分解で分解可能なおよび水溶性のポリマーブレンド、たとえばポリラクチドおよびポリビニルアルコールを含む、ポリラクチドおよびポリビニルアルコールを混合することによって取得されるもの、典型的には、約１〜３５重量％のポリラクチドおよび約６５％〜９９重量％のポリビニルアルコールを含む、ポリマーブレンド組成物である。ここで使用するために好ましいのは、約６０％〜約９８％加水分解されて、好ましくは約８０％〜約９０％加水分解されて、材料の溶解特徴を改良する、ポリマーである。
【０２３１】
当然ながら、異なる膜材料および／または異なる厚さの膜が、本発明のコンパートメントを作製する際に使用されていてもよい。異なる膜を選択することにおける利益は、得られるコンパートメントが、異なる溶解度または放出特徴を呈し得ることである。
【０２３２】
最も好ましい膜材料は、ＭｏｎｏＳｏｌ信用照会Ｍ８６３０、Ｍ８９００、Ｈ８７７９で公知のＰＶＡ膜、ＵＳ６１６６１１７およびＵＳ６７８７５１２において記載されているもの、ならびに対応する溶解度および変形特徴のＰＶＡ膜である。
【０２３３】
ここでの膜材料は、１種以上の添加剤原料を含むこともできる。たとえば、可塑剤、たとえばグリセロール、エチレングリコール、ジエチレングリコール、プロピレングリコール、ソルビトールおよびそれらの混合物を添加することが有益となり得る。他の添加剤は、洗浄水に送達される機能的洗剤添加剤、たとえば有機ポリマー性分散剤などを含む。
【０２３４】
固体形態。既に述べた通り、洗濯ケア組成物は、固体形態であってもよい。好適な固体形態は、錠剤および微粒子形態、たとえば、顆粒状粒子、フレークまたはシートを含む。
そのような固体形態で洗剤組成物を形成するための種々の技術は、当技術分野において周知であり、ここで使用されていてもよい。一側面において、たとえば組成物が顆粒状粒子の形態である場合、ロイコ着色剤は、洗濯洗剤組成物のすべてではないが追加の成分を任意に含む、微粒子形態で提供される。着色剤微粒子は、洗濯洗剤組成物の成分の残部を含有する１種以上の追加の微粒子と組み合わせられる。さらに、洗濯ケア組成物のすべてではないが追加の成分を任意に含む着色剤は、カプセル化形態で提供されていてもよく、シェイディング染料カプセル化物は、洗濯ケア組成物の成分の実質的な残部を含有する微粒子と組み合わせられる。
【０２３５】
使用方法。以上で記載した通りに調製される本発明の組成物を使用して、織物の洗濯／処理において使用するための水性洗浄／処理溶液を形成することができる。概して、有効量のそのような組成物を、水に、たとえば従来の織物自動洗濯機内で添加して、そのような水性洗濯溶液を形成する。次いで、そのようにして形成された水性洗浄溶液を、典型的にはかき混ぜながら、それにより洗濯／処理される織物と接触させる。水に添加されて水性洗濯溶液を形成する有効量のここでの液体洗剤組成物は、水性洗浄溶液中に約５００〜７，０００ｐｐｍの組成物を形成するために十分な量を含むことができるか、または約１，０００〜３，０００ｐｐｍのここでの洗濯ケア組成物が水性洗浄溶液中で提供されることになる。
【０２３６】
典型的には、洗浄液は、洗濯ケア組成物を、洗浄水と、洗浄液中における洗濯ケア組成物の濃度が、０ｇ超／ｌ〜５ｇ／ｌ、または１ｇ／ｌ〜、および〜４．５ｇ／ｌ、または〜４．０ｇ／ｌ、または〜３．５ｇ／ｌ、または〜３．０ｇ／ｌ、または〜２．５ｇ／ｌ、またはさらには〜２．０ｇ／ｌ、またはさらには〜１．５ｇ／ｌであるような量で、接触させることによって形成される。織物またはテキスタイルを洗濯する方法は、トップローディング式もしくはフロントローディング式自動洗濯機内で行われていてもよく、または、手洗い洗濯用途において使用され得る。これらの用途において、形成される洗浄液および洗浄液中における洗濯洗剤組成物の濃度は、主要な洗浄サイクルのものである。あらゆる任意選択のリンス工程中における水のあらゆる投入量は、洗浄液の体積を決定する際には含まれない。
【０２３７】
洗浄液は、４０リットル以下の水、または３０リットル以下、または２０リットル以下、または１０リットル以下、または８リットル以下、またはさらには６リットル以下の水を含んでいてもよい。洗浄液は、０超〜１５リットル、または２リットル〜、および〜１２リットル、またはさらには〜８リットルの水を含んでいてもよい。典型的には、洗浄液１リットル当たり０．０１ｋｇ〜２ｋｇの織物が前記洗浄液に投入される。典型的には、洗浄液１リットル当たり０．０１ｋｇ〜、または０．０５ｋｇ〜、または０．０７ｋｇ〜、または０．１０ｋｇ〜、または０．１５ｋｇ〜、または０．２０ｋｇ〜、または０．２５ｋｇ〜の織物が前記洗浄液に投入される。任意に、５０ｇ以下、または４５ｇ以下、または４０ｇ以下、または３５ｇ以下、または３０ｇ以下、または２５ｇ以下、または２０ｇ以下、またはさらには１５ｇ以下、またはさらには１０ｇ以下の組成物を水に接触させて、洗浄液を形成する。そのような組成物は、典型的には、溶液中約５００ｐｐｍ〜約１５，０００ｐｐｍの濃度で使用される。洗浄溶媒が水である場合、水温は、典型的には、約５℃〜約９０℃の範囲であり、その位置が織物を含む場合、水と織物との比は、典型的には、約１：１〜約３０：１である。典型的には、本発明の洗濯ケア組成物を含む洗浄液は、３〜１１．５のｐＨを有する。
【０２３８】
一側面において、そのような方法は、前記表面または織物を任意に洗浄するおよび／またはリンスする工程を含み、前記表面または織物を、本明細書において開示されている任意の組成物と接触させ、次いで、前記表面または織物を任意に洗浄するおよび／またはリンスすることが、任意選択の乾燥工程とともに開示されている。
【０２３９】
そのような表面または織物の乾燥は、家庭用または工業用の何れかの設定において使用される一般的手段の何れか１つによって遂行され得る。普通の消費者または制度的使用条件で洗濯されることができる任意の織物を含んでいてもよく、本発明は、セルロース系基材に好適であり、一部の側面において、合成テキスタイル、たとえばポリエステルおよびナイロンならびに合成およびセルロース系織物および／または繊維を含む混合織物および／または繊維の処理にも好適である。合成織物の例としては、ポリエステル、ナイロンであり、これらは、セルロース系繊維との混合物、たとえば、ポリ綿織物で存在していてもよい。溶液は、典型的には、７〜１１、より通常は８〜１０．５のｐＨを有する。組成物は、典型的には、溶液中５００ｐｐｍ〜５，０００ｐｐｍの濃度で使用される。水温は、典型的には、約５℃〜約９０℃の範囲である。水対織物の比は、典型的には、約１：１〜約３０：１である。
【０２４０】
故に、別の態様において、本発明は、テキスタイルを処理する方法を提供する。方法は、好ましくは、（ｉ）テキスタイルを、ここで記載されている通りの組成物を含有する水溶液で処理する工程と、（ｉｉ）任意に、テキスタイルをリンスする工程と、（ｉｉｉ）テキスタイルを乾燥させる工程とを含む。一側面において、本発明は、テキスタイルを処理する方法であって、（ｉ）テキスタイルを、ここで記載されている通りの化合物を含有する水溶液で処理し、水溶液が、１０ｐｐｂ〜５０００ｐｐｍの少なくとも１種のそのような化合物および０．０ｇ／Ｌ〜３ｇ／Ｌの界面活性剤を含む工程と；（ｉｉ）任意に、リンスする工程と；（ｉｉｉ）テキスタイルを乾燥させる工程とを含む、方法を提供する。この方法で利用される化合物は、ここで記載されている化合物の何れかであり得る。さらに、この方法で利用される水溶液は、化合物を水性媒体に直接添加することによって、またはロイコ組成物を含有する洗濯ケア組成物を水性媒体に添加することによって作製することができる。
試験方法
ここでの試験方法において使用される織物見本は、Ｔｅｓｔｆａｂｒｉｃｓ，Ｉｎｃ．Ｗｅｓｔ  Ｐｉｔｔｓｔｏｎ、ＰＡから取得し、１００％綿、Ｓｔｙｌｅ  ４０３（２”×２”に切断）および／またはＳｔｙｌｅ  ４６４（４”×６”に切断）ならびに増白されていない多繊維織物、具体的にはＳｔｙｌｅ  ４１（５ｃｍ×１０ｃｍ）である。
【０２４１】
乾燥した織物見本に関する、Ｌ＊、ａ＊、ｂ＊、Ｋ／Ｓ、および白色度（ＷＩ  ＣＩＥ）値を含むすべての反射スペクトルおよび色測定は、４つの分光光度計：（１）Ｋｏｎｉｃａ−Ｍｉｎｏｌｔａ  ３６１０ｄ反射分光光度計（Ｋｏｎｉｃａ  Ｍｉｎｏｌｔａ  Ｓｅｎｓｉｎｇ  Ａｍｅｒｉｃａｓ，Ｉｎｃ．、Ｒａｍｓｅｙ、ＮＪ、ＵＳＡ；Ｄ６５照明、１０°観察者、ＵＶ光除外）、（２）ＬａｂＳｃａｎ  ＸＥ反射分光光度計（ＨｕｎｔｅｒＬａｂｓ、Ｒｅｓｔｏｎ、ＶＡ；Ｄ６５照明、１０°観察者、ＵＶ光除外）、（３）Ｃｏｌｏｒ−Ｅｙｅ（登録商標）７０００Ａ（ＧｒｅｔａｇＭａｃｂｅｔｈ、Ｎｅｗ  Ｗｉｎｄｓｏｒ、ＮＹ、ＵＳＡ；Ｄ６５光、ＵＶ除外）、または（４）Ｃｏｌｏｒ  ｉ７分光光度計（Ｘ−ｒｉｔｅ，Ｉｎｃ．、Ｇｒａｎｄ  Ｒａｐｉｄｓ、ＭＩ、ＵＳＡ；Ｄ６５光、ＵＶ除外）のうちの１つを使用して作製する。
【０２４２】
織物を照射する場合、別段の指示がない限り、乾燥後の指定された織物を、タイプＳボロシリケート内側（品番２０２７７３００）および外側（品番２０２７９６００）フィルターを備え、３７℃の最大キャビネット温度、５７℃の最大ブラックパネル温度（ＢＰＴブラックパネル形状）および３５％のＲＨ（相対湿度）に設定された、Ａｔｌａｓ  Ｘｅｎｏｎ退色試験機Ｃｉ３０００＋（Ａｔｌａｓ  Ｍａｔｅｒｉａｌ  Ｔｅｓｔｉｎｇ  Ｔｅｃｈｎｏｌｏｇｙ、Ｍｏｕｎｔ  Ｐｒｏｓｐｅｃｔ、Ｉｌｌｉｎｏｉｓ、ＵＳＡ）で、４２０ｎｍにおいて０．７７Ｗ／ｍ２の放射照度を持つ模擬太陽光に曝露する。別段の指示がない限り、照射は、決まった期間にわたって連続的である。
Ｉ．洗浄溶液からロイココンジュゲート効率を決定するための方法
綿見本（Ｓｔｙｌｅ  ４６４）を、重質液体洗濯洗剤無増白剤（水溶液中１．５５ｇ／Ｌ）で、４９℃にて２回洗浄することにより、使用前に色抜きする。試験するそれぞれのロイココンジュゲートの濃縮ストック溶液を、エタノールまたは５０：５０  エタノール：水から選択される溶媒、好ましくはエタノール中で調製する。
【０２４３】
綿織物についてのすべてのＬ＊、ａ＊、ｂ＊および白色度（ＷＩ  ＣＩＥ）値は、Ｋｏｎｉｃａ−Ｍｉｎｏｌｔａ  ３６１０ｄ反射分光光度計を使用して、乾燥した見本上で測定する。
【０２４４】
ベースの洗浄溶液は、ＡＡＴＣＣ重質液体洗濯洗剤無増白剤（５．２３ｇ／１．０Ｌ）を脱イオン水に溶解することによって調製する。４つの色抜きした綿見本を一緒に秤量し、２つの１０ｍｍのガラス玉とともに２５０ｍＬの三角フラスコに入れる。合計３つのそのようなフラスコを、試験するそれぞれの洗浄溶液について調製する。ベースの洗浄溶液にロイココンジュゲートストックを投入して、所望の２．００×１０−６当量／Ｌ洗浄濃度のロイココンジュゲートを持つ洗浄溶液を達成する。
【０２４５】
１０．０：１．０  液体：織物（ｗ／ｗ）比を提供するために十分なこの洗浄溶液のアリコートを、３つの２５０ｍＬの三角フラスコのそれぞれに入れる。それぞれのフラスコに、１０００ｇｐｇのストック硬度溶液を投入して、６ｇｐｇ（３：１  Ｃａ：Ｍｇ）の最終洗浄硬度を達成する。
【０２４６】
フラスコを、モデル７５リストアクションシェーカー（Ｂｕｒｒｅｌｌ  Ｓｃｉｅｎｔｉｆｉｃ，Ｉｎｃ．、Ｐｉｔｔｓｂｕｒｇ、ＰＡ）に置き、最大設定で１２分間にわたってかき混ぜ、その後、洗浄溶液を吸引によって除去し、使用される洗浄溶液の量と同等の体積のリンス水（０ｇｐｇ）を添加する。それぞれのフラスコに、１０００ｇｐｇのストック硬度溶液を投入して、６ｇｐｇ（３：１  Ｃａ：Ｍｇ）の最終リンス硬度を達成した後、さらに４分かき混ぜる。リンスを吸引によって除去し、織物見本を１分間にわたって遠心脱水（Ｍｉｎｉ  Ｃｏｕｎｔｅｒｔｏｐ  Ｓｐｉｎ  Ｄｒｙｅｒ、Ｔｈｅ  Ｌａｕｎｄｒｙ  Ａｌｔｅｒｎａｔｉｖｅ  Ｉｎｃ．、Ｎａｓｈｕａ、ＮＨ）し、次いで、１３５°Ｆに設定した食品脱水機に入れて、暗所で２時間にわたって乾燥させる。この乾燥手順に続いて、サンプルを暗所で保管するか、または光に様々な時間量にわたって曝露した後、織物の特性を測定することができる。
【０２４７】
消費者性向は世界中で大きく異なるため、使用される方法は、様々な条件にわたってロイコ化合物の利益を測定する可能性を考慮に入れなくてはならない。１つのそのような条件は、乾燥後の光への曝露である。一部のロイコ化合物は、ダークストレージ下では、光ストレージ下ほど大きい利益を呈さないため、最適な利益を決定するために、それぞれのロイコ化合物を両方の条件のセット下で試験しなくてはならない。したがって、方法Ｉは、測定が行われる前に、種々の時間増分にわたる乾燥させた織物の模擬太陽光への曝露を含み、ＬＣＥ値は、後述する曝露時間のセットから取得された最大値に設定される。
Ａ．乾燥後のダーク条件
乾燥後、織物を、測定時点間、暗所、室温で保管する。綿織物についてのＬ＊、ａ＊、ｂ＊および白色度（ＷＩ  ＣＩＥ）値は、２時間の乾燥期間の完結後、時間ｔ＝０、６、２４および４８時間で測定する。それぞれのロイコ着色剤について生成された１２の見本（３つのフラスコにそれぞれ４つの見本）の値を平均して、それぞれの時点ｔにおけるＬ＊、ａ＊、ｂ＊およびＷＩ  ＣＩＥについてのサンプル値に到達する。
【０２４８】
対照処理についてのＬ＊、ａ＊、ｂ＊および白色度（ＷＩ  ＣＩＥ）値を取得するために、上記の手順を下記の例外を除きここで記載されている通りに繰り返す：（１）対照のベースの洗浄溶液は、ＡＡＴＣＣ重質液体洗濯洗剤無増白剤（５．２３ｇ／１．０Ｌ）を脱イオン水中で使用して調製し、（２）乾燥期間後に測定された対照について生成された１２の見本の値を平均して、Ｌ＊、ａ＊、ｂ＊、およびＷＩ  ＣＩＥについてのサンプル値に到達し、ｔ＝０における対照値もｔ＝６、２４および４８時間に対する対照値として使用する。
【０２４９】
洗濯ケア調合物中におけるロイコ着色剤のロイコ着色剤効率（ＬＣＥ）を、それぞれの時点ｔにおいて収集したデータに基づき、下記の方程式：
ＬＣＥｔ＝ＤＥ＊＝（（Ｌ＊ｃ−Ｌ＊ｓ）２＋（ａ＊ｃ−ａ＊ｓ）２＋（ｂ＊ｃ−ｂ＊ｓ）２）１／２
を使用して算出し、式中、下付き文字ｃおよびｓは、対照、すなわち、ＡＡＴＣＣ重質液体洗濯洗剤無増白剤中で洗浄された織物、およびサンプル、すなわち、ロイコ着色剤を含有する洗濯ケア調合物中で洗浄された織物をそれぞれ指し、ここで、ＬＣＥｔを算出するために使用される値は、対応する時点ｔ（０、６、２４または４８時間）におけるものである。
【０２５０】
それぞれの洗浄溶液について生成された１２の見本（３つのフラスコにそれぞれ４つの見本）のＷＩ  ＣＩＥ値を平均し、洗浄時における白色度の変化を、下記の方程式：
ΔＷＩ＝ＷＩ  ＣＩＥ（洗浄後）−ＷＩ  ＣＩＥ（洗浄前）
を使用して算出する。
【０２５１】
洗濯ケア調合物（ΔＷＩｓａｍｐｌｅ）およびＡＡＴＣＣ  ＨＤＬ無増白剤（ΔＷＩｃｏｎｔｒｏｌ）では、別個の値があるであろう。２つの調合物間における白色度の変化は、
δΔＷＩ＝ΔＷＩｓａｍｐｌｅ−ΔＷＩｃｏｎｔｒｏｌ
によって与えられる。
Ｂ．乾燥後の光条件
乾燥後の指定された綿織物を、模擬太陽光に、１５分間、３０分間、４５分間、６０分間、７５分間、９０分間、１２０分間、および２４０分間にわたって曝露する。綿織物についての、Ｌ＊、ａ＊、ｂ＊および白色度（ＷＩ  ＣＩＥ）値を、それぞれの曝露期間後、見本上で測定する。それぞれの曝露時点におけるＬＣＥおよびΔＷＩ値の算出は、上記の方法Ｉ．Ａ．において記載されている通りであり、サンプルおよび対照洗濯ケア調合物についてのＬＣＥ値およびΔＷＩ値は、記載されている曝露時間のセットから取得された最大値に設定する。
ＩＩ．相対色相角を決定するための方法（対ＡＡＴＣＣ対照）
上述した方法Ｉに従って処理される綿織物に、ロイコ着色剤によって送達される相対色相角は、次の通りに決定される。
【０２５２】
ａ）それぞれの溶液からの１２の見本のａ＊およびｂ＊値を平均し、Δａ＊およびΔｂ＊を決定するために下記の式：
Δａ＊＝ａ＊ｓ−ａ＊ｃおよびΔｂ＊＝ｂ＊ｓ−ｂ＊ｃ
を使用し、式中、下付き文字ｃおよびｓは、ＡＡＴＣＣ重質液体洗剤無増白剤中で洗浄された織物（対照）およびロイコ着色剤を含有する洗濯ケア調合物中で洗浄された織物（サンプル）をそれぞれ指す。
【０２５３】
ｂ）Δａ＊とΔｂ＊の両方の絶対値が０．２５より小さい場合、相対色相角（ＲＨＡ）は算出されない。Δａ＊またはΔｂ＊の何れかの絶対値が０．２５以上である場合、ＲＨＡは、下記の式：
Δｂ＊≧０では、ＲＨＡ＝ＡＴＡＮ２（Δａ＊，Δｂ＊）
Δｂ＊＜０では、ＲＨＡ＝３６０＋ＡＴＡＮ２（Δａ＊，Δｂ＊）
の一方を使用して決定される。
【０２５４】
相対色相角は、乾燥後のダークまたは乾燥後の光評価の何れかにおいてデータが収集されたそれぞれの時点について算出することができる。これらの点の何れかを使用して、請求項の要件を満たすことができる。
ＩＩＩ．洗浄溶液からロイココンジュゲート効率を決定するための方法
綿見本（Ｔｅｓｔｆａｂｒｉｃｓ，Ｉｎｃ．Ｗｅｓｔ  Ｐｉｔｔｓｔｏｎ、ＰＡ；Ｓｔｙｌｅ  ４６４、１００％綿、４”×６”に切断）を、重質液体洗剤無増白剤（水溶液中１．５５ｇ／Ｌ）で、４９℃にて２回洗浄することにより、使用前に色抜きする。試験するそれぞれのロイココンジュゲートの濃縮ストック溶液を、エタノールまたは５０：５０  エタノール：水から選択される溶媒、好ましくはエタノール中で調製する。
【０２５５】
綿織物についてのすべてのＬ＊、ａ＊、ｂ＊および白色度（ＷＩ  ＣＩＥ）値は、Ｋｏｎｉｃａ−Ｍｉｎｏｌｔａ  ３６１０ｄ反射分光光度計（Ｋｏｎｉｃａ  Ｍｉｎｏｌｔａ  Ｓｅｎｓｉｎｇ  Ａｍｅｒｉｃａｓ，Ｉｎｃ．、Ｒａｍｓｅｙ、ＮＪ、ＵＳＡ；Ｄ６５照明、１０°観察者、ＵＶ光除外）を使用して、乾燥した見本上で測定する。
【０２５６】
ベースの洗浄溶液は、ＡＡＴＣＣ重質液体洗剤無増白剤（５．２３ｇ／１．０Ｌ）を脱イオン水に溶解することによって調製する。４つの色抜きした綿見本を一緒に秤量し、２つの１０ｍｍのガラス玉とともに２５０ｍＬの三角フラスコに入れる。合計３つのそのようなフラスコを、試験するそれぞれの洗浄溶液について調製する。ベースの洗浄溶液にロイココンジュゲートストックを投入して、所望の２．００×１０−６当量／Ｌ洗浄濃度のロイココンジュゲートを持つ洗浄溶液を達成する。
【０２５７】
１０．０：１．０  液体：織物（ｗ／ｗ）比を提供するために十分なこの洗浄溶液のアリコートを、３つの２５０ｍＬの三角フラスコのそれぞれに入れる。それぞれのフラスコに、１０００ｇｐｇのストック硬度溶液を投入して、６ｇｐｇ（３：１  Ｃａ：Ｍｇ）の最終洗浄硬度を達成する。
【０２５８】
フラスコを、モデル７５リストアクションシェーカー（Ｂｕｒｒｅｌｌ  Ｓｃｉｅｎｔｉｆｉｃ，Ｉｎｃ．、Ｐｉｔｔｓｂｕｒｇ、ＰＡ）に置き、最大設定で１２分間にわたってかき混ぜ、その後、洗浄溶液を吸引によって除去し、使用される洗浄溶液の量と同等の体積のリンス水（０ｇｐｇ）を添加する。それぞれのフラスコに、１０００ｇｐｇのストック硬度溶液を投入して、６ｇｐｇ（３：１  Ｃａ：Ｍｇ）の最終リンス硬度を達成した後、さらに４分かき混ぜる。リンスを吸引によって除去し、織物見本を１分間にわたって遠心脱水（Ｍｉｎｉ  Ｃｏｕｎｔｅｒｔｏｐ  Ｓｐｉｎ  Ｄｒｙｅｒ、Ｔｈｅ  Ｌａｕｎｄｒｙ  Ａｌｔｅｒｎａｔｉｖｅ  Ｉｎｃ．、Ｎａｓｈｕａ、ＮＨ）し、次いで、１３５°Ｆに設定した食品脱水機に入れて、暗所で２時間にわたって乾燥させる。この乾燥手順に続いて、サンプルを暗所で保管するか、または光に様々な時間量にわたって曝露した後、織物の特性を測定することができる。
ＩＶ．ロイコ着色剤およびその酸化形態についての表面張力値の決定のための方法
試験される材料は、本発明に従うロイコ着色剤、またはロイコ着色剤の第２の着色状態を表す染料（たとえば、トリアリールメタン染料）の何れかである。合計２５０〜２５５ｍｇの試験される材料を４オンスのガラスジャーに量り入れ、５０．０ｍＬの脱イオン水（Ｂａｒｎｓｔｅａｄ  Ｂ−Ｐｕｒｅ  Ｓｙｓｔｅｍ、約１７．２７オーム）を磁気撹拌棒とともに添加する。ジャーに蓋をし、磁気撹拌プレートに載せ、混合物を２２．０℃で１時間にわたって撹拌する。その後、撹拌を停止し、混合物を１時間にわたってそのまま静置しておく。その時間の終わりに、１０．０ｍＬの溶液をシリンジに引き込み、次いでこれにガラス繊維Ａｃｒｏｄｉｓｃ（登録商標）フィルターを装着し、アリコートを濾過して２０ｍＬのシンチレーションバイアルに入れる。ＶＷＲ  ＬａｂＭａｘピペッターを使用してピペッティングして、４５．０マイクロリットルの濾過された溶液を９６ウェルプレートの８つの別個のウェルのそれぞれに送達する。溶液をおよそ２２．０℃にてＫｉｂｒｏｎ  Ｄｅｌｔａ  ８張力計で試験し、８つの測定された複製の平均値を表面張力値としてｍＮ／ｍで報告する。
【０２５９】
例１
この例は、本発明に従う、下記の構造を有する化合物の調製を実証するものである。
【０２６０】
【化２２】
2021501254.tif 000024
【０２６１】
１２．４５グラムの４−アセトアミドベンズアルデヒドおよびアニリン−２，４（平均で２ＥＯおよび４ＰＯでアルコキシル化したアニリン）を、加熱マントル、撹拌器、凝縮器および窒素入口を備えた３つ口丸底フラスコに添加した。次いで、２．７１グラムの尿素を１８グラムの水に溶解し、溶液を反応液に添加した。混合した後、２３．７４グラムの濃ＨＣｌ（３７％）を、温度を９０℃未満に保ちながら、反応混合物にゆっくりと添加した。反応混合物を、窒素下、９０℃で６時間にわたって撹拌した。反応完了後、フラスコの内容物を過剰量の重炭酸ナトリウム溶液（６００ｍＬの水中３０ｇ）に添加した。得られた混合物から酢酸エチルを使用して生成物を抽出し、ＤＩ水で洗浄した。ロータリーエバポレーターを使用して酢酸エチルを除去し、得られた生成物を真空オーブンによって乾燥させた。
【０２６２】
例２
この例は、本発明に従う、下記の構造を有する化合物の調製を実証するものである。
【０２６３】
【化２３】
2021501254.tif 000025
【０２６４】
１５グラムの４−ニトロベンズアルデヒドおよび３６．９８グラムのＮ−フェニルジエタノールアミンを、オーバーヘッドメカニカルスターラー、熱電対、凝縮器および窒素入口を備えた２５０ｍＬの丸底フラスコに注いだ。水中尿素の溶液（２０ｍＬの水中３．５２グラムの尿素）を、反応混合物に添加した。撹拌しながら、３０．１６グラムのＨＣｌ（３７重量％）を反応混合物にゆっくりと注ぎ、その間、温度の発熱を慎重にモニターした。次いで、反応混合物を９５℃に加熱し、窒素下で一晩撹拌した。２日目に、反応混合物を過剰量の重炭酸ナトリウム溶液（水中５重量％）で中和した。生成物を酢酸エチルによる抽出によって回収した後、ＤＩ水で洗浄し、硫酸マグネシウムで乾燥させ、濾過し、最後にロータリーエバポレーターを使用して溶媒を除去した。
【０２６５】
乾燥後、１１．２５ｇの上記で作製した生成物を、機械的撹拌子および温度プローブを備えた２５０ｍＬの丸底フラスコ中の３０グラムのエタノールに溶解した。この混合物に、約１５グラムの鉄粉を添加した。次いで、ＨＣｌの溶液（４０グラムの水と混合された３グラムの３７％ＨＣｌ）を溶液にゆっくりと添加し、反応混合物を２時間にわたって還流状態まで加熱した。周囲温度に冷却した後、反応混合物を濾過して、鉄粉を除去した。次いで、濾液を過剰量の５％重炭酸ナトリウム溶液で中和した。次いで、生成物を濾過によって収集し、エタノールに再溶解した。もう一度濾過して不溶性不純物を除去した後、ロータリーエバポレーターを使用して溶媒を蒸発させることによって、生成物を単離した。
【０２６６】
例３
この例は、本発明に従う、下記の構造を有する化合物の調製を実証するものである。
【０２６７】
【化２４】
2021501254.tif 000026
【０２６８】
７．５グラムの例２において取得された生成物を、約１１０グラムのメチルエチルケトンに溶解した。７．４３グラムのクロラニルを添加し、反応混合物を１時間にわたって還流状態まで加熱した。反応物が周囲温度まで冷却した後、４４．３５グラムの５ｍｏｌ／ＬのＨＣｌ溶液を添加し、反応混合物を撹拌した。メチルエチルケトンを蒸発除去した後、水溶液を濾過して、不溶性不純物を除去した。濾液をジエチルエーテルで洗浄して、残留不純物をさらに除去し、次いで、ロータリーエバポレーターを介して乾燥させて、生成物を単離した。単離化合物のモル吸光係数をメタノール中で測定すると、５７８ｎｍにおいて約５５，０００Ｌ／ｍｏｌ／ｃｍであった。
【０２６９】
例４
この例は、例２の化合物およびＬＣＶ４ＥＯ（比較例、分子構造については以下を参照）の色相付与効果を比較するものである。
【０２７０】
【化２５】
2021501254.tif 000027
【０２７１】
これらの化合物の色相効果を試験し、ミニ洗浄機を使用する多段洗浄実験を介し、下記の手順に従って比較した。３つの異なる洗剤サンプルを試験した。第１は、市販のＨＤＬ洗剤である。第２は、ＬＣＶ４ＥＯを１，０００ｐｐｍのローディングで添加した同じ市販のＨＤＬ洗剤である。第３は、例２の化合物を１，０００ｐｐｍのローディングで添加した同じ市販のＨＤＬ洗剤である。
【０２７２】
それぞれの洗浄試験において、１２枚の漂白した綿Ｔシャツ織物（Ｔｅｓｔｆａｂｒｉｃｓ，Ｉｎｃ．から購入したもの、スタイル番号４３７Ｗ−６０、６”×６”サイズに切断）を、洗剤を含有する洗浄水溶液に添加し、ミニ洗浄機（Ｈａｉｅｒポータブル洗浄機ＸＱＢＭ２２−Ｃ）で洗浄した。洗浄サイクル中におよそ１２ＬのＤＩ水を使用し、洗浄水：織物：ＨＤＬ比は、約４８０グラムの綿疑似荷重を使用して、１０００：４０：１（質量で）であった。第１の洗浄後、織物を、同じミニ洗浄機中、各回に１２ＬのＤＩ水を使用して２回リンスした。次いで、織物のうちの４つを洗浄機から除去し、乾燥機内で乾燥させ、ＣＩＥ  Ｌ＊、ａ＊およびｂ＊値をカラーアイ分光光度計で読み取った。次いで、残りの８つのサンプル織物をさらに２回洗浄し、上述した通りにリンスし、４つのさらなるサンプル織物を洗浄機から除去し、乾燥させ、分光光度計を使用して分析した。次いで、残りの４つの綿織物のサンプルをさらに２回洗浄し、上述した通りにリンスし、乾燥させ、分光光度計を使用して分析した。
【０２７３】
ＬＣＶ４ＥＯおよび例２の化合物の青味付け効果を、洗浄前の織物と比較した場合の、洗剤で洗浄された織物のｂ＊値における変化（デルタｂ＊）によって特徴付けた。より負のデルタｂ＊は、より良好な青味付けを意味する。３つの洗剤サンプルからのデルタｂ＊値を、以下の表に記載した。ＨＤＬ洗剤は、いくらかの光学的増白剤を含有する場合に、いくらかの負のデルタｂ＊値を示した。しかしながら、ロイコ化合物を含有する洗剤は、青味付けにおいてより効率的であることが明確であった。
【０２７４】
ＬＣＶ４ＥＯおよび例２の化合物の青味付け効果を、織物に付与された相対色相角を測定することによっても特徴付けた。この特定の例において、相対色相角は、次の通りに決定された。
【０２７５】
１）Δａ＊およびΔｂ＊を決定するために、見本のａ＊およびｂ＊値ならびに下記の式：
Δａ＊＝ａ＊Ｌ−ａ＊ＳおよびΔｂ＊＝ｂ＊Ｌ−ｂ＊Ｓ
を使用し、式中、下付き文字ＬおよびＳは、ロイコ着色剤（ＬＣＶ４ＥＯおよび例２の生成物）を含有する重質液体洗剤中で洗浄された織物および洗浄前の出発織物をそれぞれ指す。
【０２７６】
２）Δａ＊とΔｂ＊の両方の絶対値が０．２５より小さい場合、相対色相角（ＲＨＡ）は算出されない。Δａ＊またはΔｂ＊の何れかの絶対値が０．２５以上である場合、ＲＨＡは、下記の式：
Δｂ＊≧０では、ＲＨＡ＝ＡＴＡＮ２（Δａ＊，Δｂ＊）
Δｂ＊＜０では、ＲＨＡ＝３６０＋ＡＴＡＮ２（Δａ＊，Δｂ＊）
の一方を使用して決定される。
【０２７７】
【表１】
2021501254.tif 000028
【０２７８】
【表２】
2021501254.tif 000029
【０２７９】
ＬＣＶ４ＥＯと比較すると、例２の化合物は、上記の表１のデルタｂ＊値において実証されたものとほぼ同じ青味付け効果を示す。しかしながら、例２の化合物は、より望ましい色相を有する。表２は、ＬＣＶ４ＥＯおよび例２の化合物で洗浄された織物の相対色相角（ＲＨＡ）を比較するものである。明らかに、ＬＣＶ４ＥＯは緑色を帯びた青色の色相（２２５〜２７０の範囲内のＲＨＡ）をもたらし、一方、例２の化合物は約２７７度のＲＨＡをもたらす。青味付け目的のために、最も望ましい色相は、２７０〜３００の相対色相角を有する。
調合物例
下記は、本開示に従うクリーニング組成物の例証的な例であり、限定を意図するものではない。
【０２８０】
例１〜７
重質液体洗濯洗剤組成物
【０２８１】
【化２６−１】
2021501254.tif 000030
【０２８２】
【化２６−２】
2021501254.tif 000031
【０２８３】
総クリーニングおよび／または処理組成物重量に基づく。酵素レベルは、原材料として報告される。
【０２８４】
例８〜１８
一回量包装組成物
これらの例は、一回量包装洗濯洗剤用の種々の調合物を提供する。組成物８〜１２は、単一の一回量包装コンパートメントを含む。組成物をカプセル化するために使用される膜は、ポリビニル−アルコールベースの膜である。
【０２８５】
【化２７−１】
2021501254.tif 000032
【０２８６】
【化２７−２】
2021501254.tif 000033
【０２８７】
総クリーニングおよび／または処理組成物重量に基づく。酵素レベルは、原材料として報告される。
【０２８８】
下記の例において、一回量包装は３つのコンパートメントを有するが、同様の組成物は、２つ、４つまたは５つのコンパートメントで作製され得る。コンパートメントをカプセル化するために使用される膜は、ポリビニルアルコールである。
【０２８９】
【化２８】
2021501254.tif 000034
【０２９０】
【化２９】
2021501254.tif 000035
【０２９１】
総クリーニングおよび／または処理組成物重量に基づき、酵素レベルは、原材料として報告される。
【０２９２】
ＡＥ１．８Ｓは、Ｃ１２〜１５アルキルエトキシ（１．８）スルフェートである
ＡＥ３Ｓは、Ｃ１２〜１５アルキルエトキシ（３）スルフェートである
ＡＥ７は、７の平均エトキシル化度を持つＣ１２〜１３アルコールエトキシレートである
ＡＥ８は、８の平均エトキシル化度を持つＣ１２〜１３アルコールエトキシレートである
ＡＥ９は、９の平均エトキシル化度を持つＣ１２〜１３アルコールエトキシレートである
アミラーゼ１は、Ｎｏｖｏｚｙｍｅｓによって供給されるＳｔａｉｎｚｙｍｅ（登録商標）、１５ｍｇ活性物質／ｇである
アミラーゼ２は、Ｎｏｖｏｚｙｍｅｓによって供給されるＮａｔａｌａｓｅ（登録商標）、２９ｍｇ活性物質／ｇである
キシログルカナーゼは、Ｎｏｖｏｚｙｍｅｓによって供給されるＷｈｉｔｅｚｙｍｅ（登録商標）、２０ｍｇ活性物質／ｇである
キレート剤１は、ジエチレントリアミンペンタアセテート酸である
キレート剤２は、１−ヒドロキシエタン１，１−ジホスホン酸である
ディスパーシンＢは、１０００ｍｇ活性物質／ｇとして報告されるグリコシドヒドロラーゼである
ＤＴＩは、ポリ（４−ビニルピリジン−１−オキシド）（たとえばＣｈｒｏｍａｂｏｎｄ  Ｓ−４０３Ｅ（登録商標））またはポリ（１−ビニルピロリドン−コ−１−ビニルイミダゾール）（たとえばＳｏｋａｌａｎ  ＨＰ５６（登録商標））の何れかである。
【０２９３】
染料制御剤  本発明に従う染料制御剤、たとえば、Ｓｕｐａｒｅｘ（登録商標）Ｏ．ＩＮ（Ｍ１）、Ｎｙｌｏｆｉｘａｎ（登録商標）Ｐ（Ｍ２）、Ｎｙｌｏｆｉｘａｎ（登録商標）ＰＭ（Ｍ３）またはＮｙｌｏｆｉｘａｎ（登録商標）ＨＦ（Ｍ４）
ＨＳＡＳは、ＵＳ６，０２０，３０３およびＵＳ６，０６０，４４３において開示されている通りの中分枝アルキルスルフェートである
ＬＡＳは、平均脂肪族炭素鎖長Ｃ９〜Ｃ１５を有する直鎖状アルキルベンゼンスルホネートである（ＨＬＡＳは、酸形態である）。
【０２９４】
ロイコ着色剤  本発明に従う任意の好適なロイコ着色剤またはそれらの混合物。
【０２９５】
リパーゼは、Ｎｏｖｏｚｙｍｅｓによって供給されるＬｉｐｅｘ（登録商標）、１８ｍｇ活性物質／ｇである
Ｌｉｑｕｉｔｉｎｔ（登録商標）Ｖ２００は、Ｍｉｌｌｉｋｅｎによって提供されるチオフェンアゾ染料である
マンナナーゼは、Ｎｏｖｏｚｙｍｅｓによって供給されるＭａｎｎａｗａｙ（登録商標）、２５ｍｇ活性物質／ｇである
ヌクレアーゼは、１０００ｍｇ活性物質／ｇとして報告されるホスホジエステラーゼ配列番号１である
光学的増白剤１は、ジナトリウム４，４’−ビス｛［４−アニリノ−６−モルホリノ−ｓ−トリアジン−２−イル］−アミノ｝−２，２’−スチルベンジスルホネートである
光学的増白剤２は、ジナトリウム４，４’−ビス−（２−スルホスチリル）ビフェニル（ナトリウム塩）である
光学的増白剤３は、３Ｖ  Ｓｉｇｍａ製のＯｐｔｉｂｌａｎｃ  ＳＰＬ１０（登録商標）である
香水カプセル化物は、コア−シェルメラミンホルムアルデヒド香水マイクロカプセルである。
【０２９６】
研磨酵素は、１０００ｍｇ活性物質／ｇとして報告されるパラ−ニトロベンジルエステラーゼである
ポリマー１は、ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）［ここで、ｎ＝２０〜３０、ｘ＝３〜８である］またはその硫酸化もしくはスルホン化バリアントである
ポリマー２は、エトキシル化（ＥＯ１５）テトラエチレンペンタミンである
ポリマー３は、エトキシル化ポリエチレンイミンである
ポリマー４は、エトキシル化ヘキサメチレンジアミンである
ポリマー５は、Ｒｏｈｍ＆Ｈａａｓによって提供されるＡｃｕｓｏｌ  ３０５である
ポリマー６は、ＢＡＳＦによって提供される、酢酸ビニル側鎖でグラフト化したポリエチレングリコールポリマーである。
【０２９７】
プロテアーゼは、ＤｕＰｏｎｔによって供給されるＰｕｒａｆｅｃｔ  Ｐｒｉｍｅ（登録商標）、４０．６ｍｇ活性物質／ｇである
構造化剤は、水素化ヒマシ油である
ここで開示される寸法および値は、列挙されている正確な数値に厳密に限定されるものとして理解されるべきではない。それどころか、別段の定めがない限り、それぞれのそのような寸法は、列挙されている値とその値周辺の機能的に同等の範囲の両方を意味するように意図されている。たとえば、「４０ｍｍ」として開示されている寸法は、「約４０ｍｍ」を意味するように意図されている。
【０２９８】
あらゆる相互参照または関連特許または出願および本出願がその優先権または利益を主張するあらゆる特許出願または特許を含む、ここで引用されているすべての文書は、明示的に除外または別段限定されない限り、参照によりその全体がここに組み込まれる。任意の文書の引用は、それがここで開示されているまたは特許請求されている任意の発明に関わる先行技術であること、あるいはそれが単独でまたは任意の他の参考文献との任意の組合せで、任意のそのような発明を、教示する、示唆するまたは開示することの承認ではない。さらに、本文書における用語の任意の意味または定義が、参照により組み込まれる文書における同じ用語の任意の意味または定義と矛盾する限りでは、本文書においてその用語に割り当てられた意味または定義が優先するものとする。
【０２９９】
本発明の特定の態様を例証し記載してきたが、本発明の趣旨および範囲から逸脱することなく、種々の他の変更および修正が為され得ることが当業者には明らかであろう。したがって、添付の請求項において、本発明の範囲内であるすべてのそのような変更および修正を網羅することが意図されている。
【国際調査報告】
2021501254.tif 000040
2021501254.tif 000041